(57)【特許請求の範囲】
【請求項１】
遊技球が流下する遊技領域が形成された遊技盤と、
前記遊技領域を流下する遊技球が進入可能に設けられた始動領域と、
前記始動領域に遊技球が進入したことを条件として、遊技者に遊技利益を付与するか否かを決定する大役抽選で用いる大役抽選用乱数値、および、変動時間が規定された変動情報の決定に用いる変動用乱数値を取得するとともに、取得した各乱数値を保留情報として保留記憶部に記憶する保留記憶手段と、
始動条件の成立により、前記保留記憶部に記憶された前記保留情報を読み出し、該保留情報の大役抽選用乱数値に基づいて前記大役抽選を実行する抽選手段と、
前記大役抽選の結果と、読み出された保留情報の変動用乱数値とに基づいて、前記変動情報を決定する変動情報決定手段と、
前記変動情報決定手段によって決定された変動情報に基づいて、前記大役抽選の結果を報知する変動演出の実行態様を決定する変動演出決定手段と、
前記変動演出決定手段の決定にしたがって前記変動演出を実行する変動演出実行手段と、
少なくとも前記保留情報の大役抽選用乱数値および変動用乱数値のいずれか一方または双方に基づいて、互いに識別可能な複数種類の保留表示画像のいずれを表示するかを示す表示パターンを、前記保留情報ごとに決定する保留表示決定手段と、
前記保留表示決定手段によって決定された表示パターンにしたがって、前記保留記憶部に記憶されている保留情報に対応する保留表示画像を保留表示領域に表示するとともに、前記抽選手段によって読み出された保留情報に対応する保留表示画像を、該保留表示領域と異なる当該表示領域に表示する保留表示制御手段と、
を備え、
前記保留表示画像の表示パターンには、前記保留記憶部に記憶されたいずれかの保留情報を対象保留情報とし、該対象保留情報が読み出される前に、前記保留表示画像とは異なる特殊表示画像の表示を開始することが規定された特定表示パターンが含まれており、
前記保留表示制御手段は、
前記保留表示決定手段によって前記特定表示パターンが決定された場合、該特定表示パターンの決定に起因して前記特殊表示画像の表示を開始させ、該特定表示パターンの対象保留情報に対応する所定の保留表示画像の表示として、少なくとも該対象保留情報に対応する保留表示画像が前記保留表示領域に表示されている間、デフォルトの表示態様にて該保留表示画像を該保留表示領域に表示させるとともに、前記当該表示領域において該特殊表示画像を継続して表示させ得ることを特徴とする遊技機。
【発明の詳細な説明】
【技術分野】
【０００１】
本発明は、保留情報に対応する保留表示画像が表示される遊技機に関する。
【背景技術】
【０００２】
従来、始動口に遊技球が入球すると保留記憶部に保留情報が記憶され、始動条件が成立すると、保留情報が順次読み出されて大役抽選が行われる遊技機が広く普及している。こうした遊技機においては、大役抽選で大当たりに当選することにより、遊技者に種々の遊技利益が付与されるとともに、大役抽選の結果を報知する変動演出を多様化することにより、演出効果の向上ならびに遊技の興趣向上が図られている。
【０００３】
また、近年では、保留記憶部に記憶されている保留情報について、当該保留情報が大当たりの当選をもたらすものであるか否か等を事前に判定し、その判定結果に応じて、大当たりの期待度を示唆する、所謂、先読み演出が広く採用されている。例えば、特許文献１に示される遊技機においては、保留記憶部に記憶されている保留情報それぞれに対応する保留表示画像が保留表示領域に表示されるとともに、大役抽選で読み出された保留情報に対応する保留表示画像が当該表示領域に表示される。
【０００４】
そして、保留表示画像の表示態様が複数種類設けられており、各保留情報の事前判定結果に基づいて、各保留表示画像の表示態様が決定される。このようにして、保留表示領域や当該表示領域に表示される保留表示画像の表示態様により、保留情報ごとに大当たりの期待度が示唆されることとなり、長期間に亘って遊技者に期待感が付与されることとなる。
【先行技術文献】
【特許文献】
【０００５】
【特許文献１】特開２０１３−３４５８０号公報
【発明の概要】
【発明が解決しようとする課題】
【０００６】
上記のように、保留表示領域に表示される保留表示画像は、保留記憶部から保留情報が読み出されるたびにシフト表示される。このように、保留表示画像の表示位置が保留表示領域内において変更されることから、保留表示画像を用いた先読み演出は、その実行内容が制限されてしまうという実態がある。
【０００７】
そこで、画像表示部のうち、保留表示領域とは異なる領域に、先読み演出用の画像を表示させることが考えられる。しかしながら、先読み演出と変動演出とは同時並行して実行されるため、変動演出用の画像が表示される領域に先読み演出用の画像を表示させるとなると、両画像が干渉してしまい、却って演出効果が低下してしまう場合がある。そのため、変動演出と先読み演出とを同時並行しても問題が生じない場合にのみ、先読み演出を実行するといった処理を施さなければならず、設計作業が煩雑化するばかりか、先読み演出の実行機会が少なくなってしまうという課題がある。
【０００８】
本発明は、設計作業の煩雑化を抑制しつつ、先読み演出の実行機会を適切に確保することができ、しかも、幅広い演出を実行することができる遊技機の提供を目的とする。
【課題を解決するための手段】
【０００９】
上記課題を解決するために、本発明の遊技機は、遊技球が流下する遊技領域が形成された遊技盤と、前記遊技領域を流下する遊技球が進入可能に設けられた始動領域と、前記始動領域に遊技球が進入したことを条件として、遊技者に遊技利益を付与するか否かを決定する大役抽選で用いる大役抽選用乱数値、および、変動時間が規定された変動情報の決定に用いる変動用乱数値を取得するとともに、取得した各乱数値を保留情報として保留記憶部に記憶する保留記憶手段と、始動条件の成立により、前記保留記憶部に記憶された前記保留情報を読み出し、該保留情報の大役抽選用乱数値に基づいて前記大役抽選を実行する抽選手段と、前記大役抽選の結果と、読み出された保留情報の変動用乱数値とに基づいて、前記変動情報を決定する変動情報決定手段と、前記変動情報決定手段によって決定された変動情報に基づいて、前記大役抽選の結果を報知する変動演出の実行態様を決定する変動演出決定手段と、前記変動演出決定手段の決定にしたがって前記変動演出を実行する変動演出実行手段と、少なくとも前記保留情報の大役抽選用乱数値および変動用乱数値のいずれか一方または双方に基づいて、互いに識別可能な複数種類の保留表示画像のいずれを表示するかを示す表示パターンを、前記保留情報ごとに決定する保留表示決定手段と、前記保留表示決定手段によって決定された表示パターンにしたがって、前記保留記憶部に記憶されている保留情報に対応する保留表示画像を保留表示領域に表示するとともに、前記抽選手段によって読み出された保留情報に対応する保留表示画像を、該保留表示領域と異なる当該表示領域に表示する保留表示制御手段と、を備え、前記保留表示画像の表示パターンには、前記保留記憶部に記憶されたいずれかの保留情報を対象保留情報とし、該対象保留情報が読み出される前に、前記保留表示画像とは異なる特殊表示画像の表示を開始することが規定された特定表示パターンが含まれており、前記保留表示制御手段は、前記保留表示決定手段によって前記特定表示パターンが決定された場合、該特定表示パターンの決定に起因して前記特殊表示画像の表示を開始させ、該特定表示パターンの対象保留情報に対応する所定の保留表示画像の表示として、少なくとも該対象保留情報に対応する保留表示画像が前記保留表示領域に表示されている間、デフォルトの表示態様にて該保留表示画像を該保留表示領域に表示させるとともに、前記当該表示領域において該特殊表示画像を継続して表示させ得ることを特徴とする。
【発明の効果】
【００１２】
本発明によれば、設計作業の煩雑化を抑制しつつ、先読み演出の実行機会を適切に確保することができ、しかも、幅広い演出を実行することができる。
【図面の簡単な説明】
【００１３】
【図１】扉が開放された状態を示す遊技機の斜視図である。
【図２】遊技機の正面図である。
【図３】遊技機のブロック図である。
【図４】大当たり決定乱数判定テーブルを説明する図である。
【図５】当たり図柄乱数判定テーブルを説明する図である。
【図６】リーチグループ決定乱数判定テーブルを説明する図である。
【図７】リーチモード決定乱数判定テーブルを説明する図である。
【図８】変動パターン乱数判定テーブルを説明する図である。
【図９】変動時間決定テーブルを説明する図である。
【図１０】特別電動役物作動ラムセットテーブルを説明する図である。
【図１１】遊技状態設定テーブルを説明する図である。
【図１２】当たり決定乱数判定テーブルを説明する図である。
【図１３】（ａ）は普通図柄変動時間データテーブルを説明する図であり、（ｂ）は開閉制御パターンテーブルを説明する図である。
【図１４】主制御基板におけるＣＰＵ初期化処理を説明するフローチャートである。
【図１５】主制御基板における電源断時退避処理を説明するフローチャートである。
【図１６】主制御基板におけるタイマ割込み処理を説明するフローチャートである。
【図１７】主制御基板におけるスイッチ管理処理を説明するフローチャートである。
【図１８】主制御基板におけるゲート通過処理を説明するフローチャートである。
【図１９】主制御基板における第１始動口通過処理を説明するフローチャートである。
【図２０】主制御基板における第２始動口通過処理を説明するフローチャートである。
【図２１】主制御基板における特別図柄乱数取得処理を説明するフローチャートである。
【図２２】主制御基板における取得時演出判定処理を説明するフローチャートである。
【図２３】特別遊技管理フェーズを説明する図である。
【図２４】主制御基板における特別遊技管理処理を説明するフローチャートである。
【図２５】主制御基板における特別図柄変動待ち処理を説明するフローチャートである。
【図２６】主制御基板における特別図柄変動番号決定処理を説明するフローチャートである。
【図２７】主制御基板における特別図柄変動中処理を説明するフローチャートである。
【図２８】主制御基板における特別図柄停止図柄表示処理を説明するフローチャートである。
【図２９】主制御基板における大入賞口開放前処理を説明するフローチャートである。
【図３０】主制御基板における大入賞口開閉切替処理を説明するフローチャートである。
【図３１】主制御基板における大入賞口開放制御処理を説明するフローチャートである。
【図３２】主制御基板における大入賞口閉鎖有効処理を説明するフローチャートである。
【図３３】主制御基板における大入賞口終了ウェイト処理を説明するフローチャートである。
【図３４】普通遊技管理フェーズを説明する図である。
【図３５】主制御基板における普通遊技管理処理を説明するフローチャートである。
【図３６】主制御基板における普通図柄変動待ち処理を説明するフローチャートである。
【図３７】主制御基板における普通図柄変動中処理を説明するフローチャートである。
【図３８】主制御基板における普通図柄停止図柄表示処理を説明するフローチャートである。
【図３９】主制御基板における普通電動役物入賞口開放前処理を説明するフローチャートである。
【図４０】主制御基板における普通電動役物入賞口開閉切替処理を説明するフローチャートである。
【図４１】主制御基板における普通電動役物入賞口開放制御処理を説明するフローチャートである。
【図４２】主制御基板における普通電動役物入賞口閉鎖有効処理を説明するフローチャートである。
【図４３】主制御基板における普通電動役物入賞口終了ウェイト処理を説明するフローチャートである。
【図４４】リーチなし変動パターンの変動演出の一例を説明する図である。
【図４５】ノーマルリーチ変動パターンの変動演出の一例を説明する図である。
【図４６】擬似連続リーチ変動パターンを説明する図である。
【図４７】変動演出決定テーブルを説明する図である。
【図４８】リーチ後予告演出決定テーブルを説明する図である。
【図４９】先読み演出の一例を説明する図である。
【図５０】保留表示シナリオ決定テーブルを説明する図である。
【図５１】特定シナリオが決定された場合の保留表示演出の一例を説明する図である。
【図５２】副制御基板に設けられたオペレーションバッファおよび演出用バッファを説明する図である。
【図５３】演出用バッファからオペレーションバッファへの演出要素情報の転記の流れを説明する図である。
【図５４】先読み演出用バッファを説明する図である。
【図５５】先読み演出用バッファに記憶される保留表示情報を説明する図である。
【図５６】特定シナリオ決定時における先読み演出用バッファの保留表示情報のシフトを説明する第１の図である。
【図５７】特定シナリオ決定時における先読み演出用バッファの保留表示情報のシフトを説明する第２の図である。
【図５８】副制御基板におけるサブＣＰＵ初期化処理を説明するフローチャートである。
【図５９】副制御基板におけるサブタイマ割込み処理を説明するフローチャートである。
【図６０】副制御基板における先読み指定コマンド受信処理を説明するフローチャートである。
【図６１】副制御基板における変動コマンド受信処理を説明するフローチャートである。
【図６２】副制御基板におけるタイムスケジュール管理処理を説明するフローチャートである。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
本発明の実施形態の理解を容易にするため、まず、遊技機の機械的構成および電気的構成を簡単に説明し、その後、各基板における具体的な処理を説明する。
【００１６】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１７】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１８】
図２は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００１９】
遊技領域１１６は、遊技盤１０８と透過板１１０との間隔に形成される空間であって、遊技球が流下または転動可能な領域である。遊技盤１０８には、多数の釘や風車が設けられており、遊技領域１１６に導かれた遊技球が釘や風車に衝突して、不規則な方向に流下、転動するようにしている。
【００２０】
遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００２１】
また、遊技領域１１６には、遊技球が入球可能な一般入賞口１１８、第１始動口１２０、第２始動口１２２が設けられており、これら一般入賞口１１８、第１始動口１２０、第２始動口１２２に遊技球が入球すると、それぞれ所定の賞球が遊技者に払い出される。なお、賞球数は１個以上であれば何個でもよく、また、一般入賞口１１８、第１始動口１２０、第２始動口１２２のそれぞれで払い出す賞球数を異ならせてもよいし、同じ賞球数に設定してもよい。このとき、第１始動口１２０に遊技球が入球して払い出す賞球数を、第２始動口１２２に遊技球が入球して払い出す賞球数よりも少なく設定することも可能である。
【００２２】
なお、詳しくは後述するが、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００２３】
また、第２始動口１２２には、可動片１２２ｂが開閉可能に設けられており、この可動片１２２ｂの状態に応じて、第２始動口１２２への遊技球の進入容易性が変化するようになっている。具体的には、可動片１２２ｂが閉状態にあるときには、第２始動口１２２への遊技球の入球が不可能となっている。これに対して、遊技領域１１６に設けられたゲート１２４内の進入領域を遊技球が通過すると、後述する普通図柄の抽選が行われ、この抽選によって当たりに当選すると、可動片１２２ｂが所定時間、開状態に制御される。このように、可動片１２２ｂが開状態になると、当該可動片１２２ｂが遊技球を第２始動口１２２に導く受け皿として機能し、第２始動口１２２への遊技球の入球が容易となる。なお、ここでは、第２始動口１２２が閉状態にあるときに、当該第２始動口１２２への遊技球の入球が不可能であることとしたが、第２始動口１２２が閉状態にある場合にも一定の頻度で遊技球が入球可能となるように構成してもよい。
【００２４】
さらに、遊技領域１１６には、遊技球が入球可能な大入賞口１２８が設けられている。この大入賞口１２８には、開閉扉１２８ｂが開閉可能に設けられており、通常、開閉扉１２８ｂが大入賞口１２８を閉鎖して、大入賞口１２８への遊技球の入球が不可能となっている。これに対して、前述の大役遊技が実行されると、開閉扉１２８ｂが開放されて、大入賞口１２８への遊技球の入球が可能となる。そして、大入賞口１２８に遊技球が入球すると、所定の賞球が遊技者に払い出される。
【００２５】
なお、遊技領域１１６の最下部には、一般入賞口１１８、第１始動口１２０、第２始動口１２２、大入賞口１２８のいずれにも入球しなかった遊技球を、遊技領域１１６から遊技盤１０８の背面側に排出する排出口１３０が設けられている。
【００２６】
そして、遊技機１００には、遊技の進行中等に演出を行う演出装置として、液晶表示装置からなる演出表示装置２００、可動装置からなる演出役物装置２０２、さまざまな点灯態様や発光色に制御されるランプからなる演出照明装置２０４、スピーカからなる音声出力装置２０６、遊技者の操作を受け付ける演出操作装置２０８が設けられている。
【００２７】
演出表示装置２００は、画像を表示する画像表示部からなる演出表示部２００ａを備えており、この演出表示部２００ａを、遊技盤１０８の略中央部分において、遊技機１００の正面側から視認可能に配置している。この演出表示部２００ａには、図示のように演出図柄２１０ａ、２１０ｂ、２１０ｃが変動表示され、これら各演出図柄２１０ａ、２１０ｂ、２１０ｃの停止表示態様によって大役抽選結果が遊技者に報知される変動演出が実行されることとなる。
【００２８】
演出役物装置２０２は、演出表示部２００ａよりも前面に配置され、通常、遊技盤１０８の背面側に退避しているが、上記の演出図柄２１０ａ、２１０ｂ、２１０ｃの変動表示中などに、演出表示部２００ａの前面まで可動して、遊技者に大当たりの期待感を付与するものである。
【００２９】
演出照明装置２０４は、演出役物装置２０２や遊技盤１０８等に設けられており、演出表示部２００ａに表示される画像等に合わせて、さまざまに点灯制御される。
【００３０】
音声出力装置２０６は、前枠１０６の上部位置や外枠１０２の最下部位置に設けられ、演出表示部２００ａに表示される画像等に合わせて、遊技機１００の正面側に向けてさまざまな音声を出力する。
【００３１】
演出操作装置２０８は、遊技者の押下操作を受け付けるボタンで構成され、遊技機１００の幅方向略中央位置であって、かつ、透過板１１０よりも下方位置に設けられている。この演出操作装置２０８は、演出表示部２００ａに表示される画像等に合わせて有効化されるものであり、操作有効時間内に遊技者の操作を受け付けると、当該操作に応じて、さまざまな演出が実行される。
【００３２】
なお、図中符号１３２は、遊技機１００から払い出される賞球や、遊技球貸出装置から貸し出される遊技球が導かれる上皿であり、この上皿１３２が遊技球で一杯になると、遊技球は下皿１３４に導かれることとなる。また、この下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを図中左右方向にスライドさせることにより、当該球抜きつまみ１３４ａと一体となって開閉板がスライドし、球抜き孔から下皿１３４の下方に遊技球を排出することが可能となっている。
【００３３】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。これら各表示器１６０〜１７２は、遊技に係る種々の状況を表示するための装置であるが、その詳細については後述する。
【００３４】
（制御手段の内部構成）
図３は、遊技の進行を制御する制御手段の内部構成を示すブロック図である。
【００３５】
主制御基板３００は遊技の基本動作を制御する。この主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００３６】
上記主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、大入賞口１２８に遊技球が入球したことを検出する大入賞口検出スイッチ１２８ｓが接続されており、これら各検出スイッチから主制御基板３００に検出信号が入力されるようになっている。
【００３７】
また、主制御基板３００には、第２始動口１２２の可動片１２２ｂを作動する普通電動役物ソレノイド１２２ｃと、大入賞口１２８を開閉する開閉扉１２８ｂを作動する大入賞口ソレノイド１２８ｃと、が接続されており、主制御基板３００によって、第２始動口１２２および大入賞口１２８の開閉制御がなされるようになっている。
【００３８】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００３９】
また、本実施形態の遊技機１００は、主に第１始動口１２０または第２始動口１２２への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００４０】
また、主制御基板３００には、払出制御基板３１０および副制御基板３３０が接続されている。
【００４１】
払出制御基板３１０は、遊技球を発射させるための制御、および、賞球を払い出すための制御を行う。この払出制御基板３１０も、ＣＰＵ、ＲＯＭ、ＲＡＭを備えており、主制御基板３００に対して双方向に通信可能に接続されている。この払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００４２】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、払い出された遊技球数が払出球計数スイッチ３１６ｓによって検出され、払い出すべき賞球が遊技者に払い出されたかが把握されるようになっている。
【００４３】
また、払出制御基板３１０には、下皿１３４の満タン状態を検出する皿満タン検出スイッチ３１８ｓが接続されている。この皿満タン検出スイッチ３１８ｓは、賞球として払い出される遊技球を下皿１３４に導く通路に設けられており、遊技球検出信号が払出制御基板３１０に入力されるようになっている。
【００４４】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００４５】
また、払出制御基板３１０には、遊技球の発射制御を行う発射制御回路３２０が設けられている。払出制御基板３１０には、操作ハンドル１１２に設けられ、当該操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御回路３２０において、遊技球発射装置に設けられた発射用ソレノイド１１２ｃを通電して遊技球を発射させる制御がなされる。
【００４６】
副制御基板３３０は、主に遊技中や待機中等の各演出を制御する。この副制御基板３３０は、サブＣＰＵ３３０ａ、サブＲＯＭ３３０ｂ、サブＲＡＭ３３０ｃを備えており、主制御基板３００に対して、当該主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行制御する。このとき、サブＲＡＭ３３０ｃは、サブＣＰＵ３３０ａの演算処理時におけるデータのワークエリアとして機能する。
【００４７】
具体的には、副制御基板３３０は、上記演出表示部２００ａに画像を表示させる画像表示制御を行う。サブＲＯＭ３３０ｂには、演出表示部２００ａに表示される図柄や背景等の画像データが多数格納されており、サブＣＰＵ３３０ａが、画像データをサブＲＯＭ３３０ｂから不図示のＶＲＡＭに読み出して、演出表示部２００ａの画像表示を制御する。
【００４８】
また、副制御基板３３０は、音声出力装置２０６から音声を出力させる音声出力制御や、演出役物装置２０２を可動したり演出照明装置２０４を点灯制御したりする。さらには、演出操作装置２０８が押下操作されたことを検出する演出操作装置検出スイッチ２０８ｓから操作検出信号が入力された際に、所定の演出を実行する。
【００４９】
なお、各基板には、不図示の電源基板が接続されており、電源基板を介して商用電源から各基板に電力供給がなされている。また、電源基板にはコンデンサからなるバックアップ電源が設けられている。
【００５０】
次に、本実施形態の遊技機１００における遊技について、メインＲＯＭ３００ｂに記憶されている各種テーブルと併せて説明する。
【００５１】
前述したように、本実施形態の遊技機１００は、特別遊技と普通遊技の２種類の遊技が並行して進行するものであり、これら両遊技を進行する際の遊技状態として、低確率遊技状態または高確率遊技状態のいずれかの遊技状態と、非時短遊技状態または時短遊技状態のいずれかの遊技状態と、が組み合わされたいずれかの遊技状態にて遊技が進行する。
【００５２】
各遊技状態の詳細については後述するが、低確率遊技状態というのは、大入賞口１２８が開放される大役遊技を実行する権利獲得の確率が低く設定された遊技状態であり、高確率遊技状態というのは、大役遊技を実行する権利獲得の確率が高く設定された遊技状態である。
【００５３】
また、非時短遊技状態というのは、可動片１２２ｂが開状態になりにくく、第２始動口１２２に遊技球が入球しにくい遊技状態であり、時短遊技状態というのは、非時短遊技状態よりも可動片１２２ｂが開状態になりやすく、第２始動口１２２に遊技球が入球しやすい遊技状態である。なお、遊技機１００の初期状態は、低確率遊技状態および非時短遊技状態に設定され、この遊技状態を本実施形態では通常遊技状態と称する。
【００５４】
遊技者が操作ハンドル１１２を操作して遊技領域１１６に遊技球を発射させるとともに、遊技領域１１６を流下する遊技球が第１始動口１２０または第２始動口１２２に入球すると、遊技者に遊技利益を付与するか否かの抽選（以下、「大役抽選」という）が行われる。この大役抽選において、大当たりに当選すると、大入賞口１２８が開放されるとともに当該大入賞口１２８への遊技球の入球が可能となる大役遊技が実行され、また、当該大役遊技の終了後の遊技状態が、上記のいずれかの遊技状態に設定される。以下では、大役抽選方法について説明する。
【００５５】
なお、詳しくは後述するが、第１始動口１２０または第２始動口１２２に遊技球が入球すると、大役抽選に係る種々の乱数値（大当たり決定乱数、当たり図柄乱数、リーチグループ決定乱数、リーチモード決定乱数、変動パターン乱数）が取得されるとともに、これら各乱数値がメインＲＡＭ３００ｃの特図保留記憶領域に記憶される。以下では、第１始動口１２０に遊技球が入球して特図保留記憶領域に記憶された種々の乱数を総称して特１保留とよび、第２始動口１２２に遊技球が入球して特図保留記憶領域に記憶された種々の乱数を総称して特２保留とよぶ。
【００５６】
メインＲＡＭ３００ｃの特図保留記憶領域は、第１特図保留記憶領域と第２特図保留記憶領域とを備えている。第１特図保留記憶領域および第２特図保留記憶領域は、それぞれ４つの記憶部（第１〜第４記憶部）を有している。そして、第１始動口１２０に遊技球が入球すると、特１保留を第１特図保留記憶領域の第１記憶部から順に記憶し、第２始動口１２２に遊技球が入球すると、特２保留を第２特図保留記憶領域の第１記憶部から順に記憶する。
【００５７】
例えば、第１始動口１２０に遊技球が入球したとき、第１特図保留記憶領域の第１〜第４記憶部のいずれにも保留が記憶されていない場合には、第１記憶部に特１保留を記憶する。また、例えば、第１記憶部〜第３記憶部に特１保留が記憶されている状態で、第１始動口１２０に遊技球が入球した場合には、特１保留を第４記憶部に記憶する。また、第２始動口１２２に遊技球が入球した場合にも、上記と同様に、第２特図保留記憶領域の第１記憶部〜第４記憶部の中で、特２保留が記憶されていない、最も番号（序数）の小さい記憶部に特２保留が記憶される。
【００５８】
ただし、第１特図保留記憶領域および第２特図保留記憶領域に記憶可能な特１保留数（Ｘ１）および特２保留数（Ｘ２）は、それぞれ４つに設定されている。したがって、例えば、第１始動口１２０に遊技球が入球したときに、第１特図保留記憶領域に既に４つの特１保留が記憶されている場合には、当該第１始動口１２０への遊技球の入球によって新たに特１保留が記憶されることはない。同様に、第２始動口１２２に遊技球が入球したときに、第２特図保留記憶領域に既に４つの特２保留が記憶されている場合には、当該第２始動口１２２への遊技球の入球によって新たに特２保留が記憶されることはない。
【００５９】
図４は、大当たり決定乱数判定テーブルを説明する図である。第１始動口１２０または第２始動口１２２に遊技球が入球すると、０〜６５５３５の範囲内から１つの大当たり決定乱数が取得される。そして、大役抽選を開始するとき、すなわち、大当たりの判定を行うときの遊技状態に応じて大当たり決定乱数判定テーブルが選択され、当該選択された大当たり決定乱数判定テーブルと取得された大当たり決定乱数とによって大役抽選が行われる。
【００６０】
低確率遊技状態において、特１保留および特２保留について大役抽選を開始する場合には、図４（ａ）に示すように、低確時大当たり決定乱数判定テーブルが参照される。この低確時大当たり決定乱数判定テーブルによれば、大当たり決定乱数が１０００１〜１０１６４であった場合に大当たりと判定し、その他の大当たり決定乱数であった場合にはハズレと判定する。したがって、この場合の大当たり確率は約１／３９９．６となる。
【００６１】
また、高確率遊技状態において、特１保留および特２保留について大役抽選を開始する場合には、図４（ｂ）に示すように、高確時大当たり決定乱数判定テーブルが参照される。この高確時大当たり決定乱数判定テーブルによれば、大当たり決定乱数が１０００１〜１１６４０であった場合に大当たりと判定し、その他の大当たり決定乱数であった場合にはハズレと判定する。したがって、この場合の大当たり確率は約１／３９．９６となる。このように、高確率遊技状態である場合には、低確率遊技状態である場合に比べて、大当たり確率が１０倍となる。なお、低確率遊技状態において「大当たり」となる大当たり決定乱数（１０００１〜１０１６４）は、高確率遊技状態においても「大当たり」となる。
【００６２】
図５は、当たり図柄乱数判定テーブルを説明する図である。第１始動口１２０または第２始動口１２２に遊技球が入球すると、０〜９９の範囲内から１つの当たり図柄乱数が取得される。そして、上記の大役抽選により「大当たり」の判定結果が導出された場合に、取得している当たり図柄乱数と当たり図柄乱数判定テーブルとによって、特別図柄の種別が決定される。このとき、特１保留によって「大当たり」に当選した場合には、図５（ａ）に示すように、特１用当たり図柄乱数判定テーブルが選択され、特２保留によって「大当たり」に当選した場合には、図５（ｂ）に示すように、特２用当たり図柄乱数判定テーブルが選択される。以下では、当たり図柄乱数によって決定される特別図柄、すなわち、大当たりの判定結果が得られた場合に決定される特別図柄を大当たり図柄とよび、ハズレの判定結果が得られた場合に決定される特別図柄をハズレ図柄とよぶ。
【００６３】
図５（ａ）に示す特１用当たり図柄乱数判定テーブル、および、図５（ｂ）に示す特２用当たり図柄乱数判定テーブルによれば、取得した当たり図柄乱数の値に応じて、図示のとおり、特別図柄の種別（大当たり図柄）が決定される。また、大役抽選結果が「ハズレ」であった場合に、当該抽選結果が特１保留によって導出されたときは、抽選を行うことなくハズレ図柄として特別図柄Ｘが決定され、当該抽選結果が特２保留によって導出されたときは、抽選を行うことなくハズレ図柄として特別図柄Ｙが決定される。つまり、当たり図柄乱数判定テーブルは、大役抽選結果が「大当たり」であった場合にのみ参照され、大役抽選結果が「ハズレ」であった場合に参照されることはない。
【００６４】
図６は、リーチグループ決定乱数判定テーブルを説明する図である。このリーチグループ決定乱数判定テーブルは複数設けられており、保留種別や保留数、さらには遊技状態に対応付けて設定される変動状態等に応じて１のテーブルが選択される。第１始動口１２０または第２始動口１２２に遊技球が入球すると、０〜１０００６の範囲内から１つのリーチグループ決定乱数が取得される。上記のように、大役抽選結果が導出されると、当該大役抽選結果を報知する変動演出パターンを決定する処理が行われる。本実施形態では、大役抽選結果が「ハズレ」であった場合に、変動演出パターンを決定するにあたって、まず、リーチグループ決定乱数とリーチグループ決定乱数判定テーブルとによってグループ種別が決定される。
【００６５】
例えば、遊技状態が非時短遊技状態に設定されており、変動状態が通常１変動状態に設定されているときに、特１保留に基づいて「ハズレ」の大役抽選結果が導出された場合において、大役抽選を行うときの特１保留数（以下、単に「保留数」という）が０個であれば、図６（ａ）に示すように、リーチグループ決定乱数判定テーブル１が選択される。同様に、保留数が１、２個であれば、図６（ｂ）に示すように、リーチグループ決定乱数判定テーブル２が選択され、保留数が３個であれば、図６（ｃ）に示すように、リーチグループ決定乱数判定テーブル３が選択される。なお、図６において、グループ種別の欄に記載しているグループｘは、任意のグループ番号を示している。したがって、取得したリーチグループ決定乱数と、参照するリーチグループ決定乱数判定テーブルの種類とに応じて、グループ種別として種々のグループ番号が決定されることとなる。
【００６６】
このように、本実施形態では、変動演出パターンを決定するためのテーブルが、設定されている遊技状態に加えて、変動状態に基づいて決定される。つまり、変動状態とは、いずれのテーブルを参照して変動演出パターンを決定するかが規定されたものであり、遊技状態とは別に設定される概念である。
【００６７】
なお、大役抽選結果が「大当たり」であった場合には、変動演出パターンを決定するにあたってグループ種別を決定することはない。つまり、リーチグループ決定乱数判定テーブルは、大役抽選結果が「ハズレ」であった場合にのみ参照され、大役抽選結果が「大当たり」であった場合に参照されることはない。
【００６８】
図７は、リーチモード決定乱数判定テーブルを説明する図である。このリーチモード決定乱数判定テーブルは、大役抽選結果が「ハズレ」であった場合に選択されるハズレ時リーチモード決定乱数判定テーブルと、大役抽選結果が「大当たり」であった場合に選択される大当たり時リーチモード決定乱数判定テーブルとに大別される。なお、ハズレ時リーチモード決定乱数判定テーブルは、上記のように決定されたグループ種別ごとに設けられており、大当たり時リーチモード決定乱数判定テーブルは、遊技状態や図柄種別ごとに設けられている。また、各リーチモード決定乱数判定テーブルは、保留種別ごとに設けてもよい。ここでは、所定の遊技状態および図柄種別において参照されるグループｘ用ハズレ時リーチモード決定乱数判定テーブルの一例を図７（ａ）に示し、大当たり時リーチモード決定乱数判定テーブルの一例を図７（ｂ）に示す。
【００６９】
第１始動口１２０または第２始動口１２２に遊技球が入球すると、０〜２５０の範囲内から１つのリーチモード決定乱数が取得される。そして、上記の大役抽選の結果が「ハズレ」であった場合には、図７（ａ）に示すように、上記のグループ種別の抽選により決定されたグループ種別に対応するハズレ時リーチモード決定乱数判定テーブルが選択され、選択されたハズレ時リーチモード決定乱数判定テーブルとリーチモード決定乱数とに基づいて、変動モード番号が決定される。また、上記の大役抽選の結果が「大当たり」であった場合には、図７（ｂ）に示すように、読み出された遊技状態や図柄の種別に対応する大当たり時リーチモード決定乱数判定テーブルが選択され、選択された大当たり時リーチモード決定乱数判定テーブルとリーチモード決定乱数とに基づいて、変動モード番号が決定される。
【００７０】
また、各リーチモード決定乱数判定テーブルにおいては、リーチモード決定乱数に、変動モード番号とともに、後述する変動パターン乱数判定テーブルが対応付けられており、変動モード番号が決定されるのと同時に、変動パターン乱数判定テーブルが決定される。なお、図７において、変動パターン乱数判定テーブルの欄に記載しているテーブルｘは、任意のテーブル番号を示している。したがって、取得したリーチモード決定乱数と、参照するリーチモード決定乱数判定テーブルの種類とに応じて、変動モード番号と、変動パターン乱数判定テーブルのテーブル番号とが決定されることとなる。また、本実施形態において、変動モード番号および後述する変動パターン番号は、１６進数で設定されている。以下において、１６進数を示す場合には「Ｈ」を付するが、図７〜図９に○○Ｈと記載しているのは、１６進数で示される任意の値を示すものである。
【００７１】
以上のように、大役抽選結果が「ハズレ」であった場合には、まず、図６に示すリーチグループ決定乱数判定テーブルとリーチグループ決定乱数とによってグループ種別が決定される。そして、決定されたグループ種別と遊技状態に応じ、図７に示すハズレ時リーチモード決定乱数判定テーブルとリーチモード決定乱数とによって、変動モード番号および変動パターン乱数判定テーブルが決定される。
【００７２】
一方、大役抽選結果が「大当たり」であった場合には、決定された大当たり図柄（特別図柄の種別）、大当たり当選時の遊技状態等に応じ、図７に示す大当たり時リーチモード決定乱数判定テーブルとリーチモード決定乱数とによって、変動モード番号、変動パターン乱数判定テーブルが決定されることとなる。
【００７３】
図８は、変動パターン乱数判定テーブルを説明する図である。ここでは、所定のテーブル番号ｘの変動パターン乱数判定テーブルｘを示すが、変動パターン乱数判定テーブルは、この他にも、テーブル番号ごとに多数設けられている。
【００７４】
第１始動口１２０または第２始動口１２２に遊技球が入球すると、０〜２３８の範囲内から１つの変動パターン乱数が取得される。そして、上記の変動モード番号と同時に決定された変動パターン乱数判定テーブルと、取得した変動パターン乱数とに基づいて、図示のように変動パターン番号が決定される。
【００７５】
このように、大役抽選が行われると、大役抽選結果、決定された図柄種別、遊技状態、保留数、保留種別等に応じて、変動モード番号、変動パターン番号が決定される。これら変動モード番号、変動パターン番号は、変動演出パターンを特定するものであり、そのそれぞれに、変動演出の態様および時間が対応付けられている。
【００７６】
図９は、変動時間決定テーブルを説明する図である。上記のように、変動モード番号が決定されると、図９（ａ）に示す変動時間１決定テーブルにしたがって変動時間１が決定される。この変動時間１決定テーブルによれば、変動モード番号ごとに変動時間１が対応付けられており、決定された変動モード番号に応じて、対応する変動時間１が決定される。
【００７７】
また、上記のように、変動パターン番号が決定されると、図９（ｂ）に示す変動時間２決定テーブルにしたがって変動時間２が決定される。この変動時間２決定テーブルによれば、変動パターン番号ごとに変動時間２が対応付けられており、決定された変動パターン番号に応じて、対応する変動時間２が決定される。このようにして決定された変動時間１、２の合計時間が、大役抽選結果を報知する変動演出の時間、すなわち、変動時間となる。
【００７８】
以上のようにして変動モード番号が決定されると、当該決定された変動モード番号に対応する変動モードコマンドが副制御基板３３０に送信され、変動パターン番号が決定されると、当該決定された変動パターン番号に対応する変動パターンコマンドが副制御基板３３０に送信される。副制御基板３３０においては、受信した変動モードコマンドに基づいて、主に変動演出の前半の態様が決定され、受信した変動パターンコマンドに基づいて、主に変動演出の後半の態様が決定されることとなる。以下では、変動モードコマンドおよび変動パターンコマンドを総称して変動コマンドと呼ぶ場合があるが、その詳細については後述する。
【００７９】
図１０は、特別電動役物作動ラムセットテーブルを説明する図である。この特別電動役物作動ラムセットテーブルは、大役遊技を制御するための各種データが記憶されたものであり、大役遊技中は、この特別電動役物作動ラムセットテーブルを参照して、大入賞口ソレノイド１２８ｃが通電制御される。なお、実際は、特別電動役物作動ラムセットテーブルは、大当たり図柄の種別ごとに複数設けられており、決定された大当たり図柄の種別に応じて、対応するテーブルが大役遊技の開始時にセットされるが、ここでは、説明の都合上、１つのテーブルに全ての大当たり図柄の制御データを示す。
【００８０】
大当たり図柄である特別図柄Ａ、Ｂ、Ｃが決定されると、図１０に示すように、特別電動役物作動ラムセットテーブルを参照して大役遊技が実行される。大役遊技は、大入賞口１２８が所定回数開閉される複数回のラウンド遊技で構成されている。この特別電動役物作動ラムセットテーブルによれば、オープニング時間（最初のラウンド遊技が開始されるまでの待機時間）、特別電動役物最大作動回数（１回の大役遊技中に実行されるラウンド遊技の回数）、特別電動役物開閉切替回数（１ラウンド中の大入賞口１２８の開放回数）、ソレノイド通電時間（大入賞口１２８の開放回数ごとの大入賞口ソレノイド１２８ｃの通電時間、すなわち、１回の大入賞口１２８の開放時間）、規定数（１回のラウンド遊技における大入賞口１２８への最大入賞可能数）、大入賞口閉鎖有効時間（ラウンド遊技間の大入賞口１２８の閉鎖時間、すなわち、インターバル時間）、エンディング時間（最後のラウンド遊技が終了してから、通常の特別遊技（後述する特別図柄の変動表示）が再開されるまでの待機時間）が、大役遊技の制御データとして、大当たり図柄の種別ごとに、図示のように予め記憶されている。
【００８１】
図１１は、大役遊技の終了後の遊技状態を設定するための遊技状態設定テーブルを説明する図である。図１１に示すとおり、特別図柄Ａが決定された場合には、大役遊技の終了後に低確率遊技状態に設定され、特別図柄Ｂ、Ｃが決定された場合には、大役遊技の終了後に高確率遊技状態に設定されるとともに、高確率遊技状態の継続回数（以下、「高確回数」という）は１００００回に設定される。これは、大役抽選結果が１００００回確定するまでの間、高確率遊技状態が継続することを意味している。ただし、上記した高確回数は１の高確率遊技状態における最大継続回数を示すものであり、上記の継続回数に到達するまでの間に大当たりに当選した場合には、再度、遊技状態の設定が行われることとなる。したがって、大役遊技の終了後に高確率遊技状態に設定された場合に、当該高確率遊技状態において大当たりの抽選結果が導出されることなく、ハズレの抽選結果が１００００回導出されると、低確率遊技状態に遊技状態が変更されることとなる。
【００８２】
また、特別図柄Ａ、Ｂ、Ｃが決定された場合には、大役遊技の終了後に時短遊技状態に設定される。具体的には、特別図柄Ａが決定された場合には、大役遊技の終了後に時短遊技状態に設定されるとともに、このとき、時短遊技状態の継続回数（以下、「時短回数」という）は５０回に設定される。これは、大役抽選結果が５０回確定するまでの間、時短遊技状態が継続することを意味している。ただし、上記した時短回数は１の時短遊技状態における最大継続回数を示すものであり、上記の継続回数に到達するまでの間に大当たりに当選した場合には、再度、遊技状態の設定が行われることとなる。また、特別図柄Ｂ、Ｃが決定された場合には、大役遊技の終了後に時短遊技状態に設定されるとともに、時短回数が１００００回に設定される。
【００８３】
なお、ここでは、大当たり図柄の種別に応じて、大役遊技の終了後の遊技状態および時短回数を設定することとしたが、大当たり図柄の種別と大当たり当選時の遊技状態との双方に応じて、遊技状態や時短回数を設定してもよい。
【００８４】
図１２は、当たり決定乱数判定テーブルを説明する図である。遊技領域１１６を流下する遊技球がゲート１２４を通過すると、第２始動口１２２の可動片１２２ｂを通電制御するか否かが対応付けられた普通図柄の判定処理（以下、「普図抽選」という）が行われる。
【００８５】
なお、詳しくは後述するが、遊技球がゲート１２４を通過すると、０〜９９の範囲内から１つの当たり決定乱数が取得されるとともに、この乱数値がメインＲＡＭ３００ｃの普図保留記憶領域に４つを上限として記憶される。つまり、普図保留記憶領域は、当たり決定乱数をセーブする４つの記憶部を備えている。したがって、普図保留記憶領域の４つの記憶部全てに当たり決定乱数が記憶された状態で、遊技球がゲート１２４を通過した場合には、当該遊技球の通過に基づいて当たり決定乱数が記憶されることはない。以下では、ゲート１２４を遊技球が通過して普図保留記憶領域に記憶された当たり決定乱数を普図保留とよぶ。
【００８６】
非時短遊技状態において普図抽選を開始する場合には、図１２（ａ）に示すように、非時短遊技状態用当たり決定乱数判定テーブルが参照される。この非時短遊技状態用当たり決定乱数判定テーブルによれば、当たり決定乱数が０であった場合に、普通図柄の種別として当たり図柄が決定され、当たり決定乱数が１〜９９であった場合に、普通図柄の種別としてハズレ図柄が決定される。したがって、非時短遊技状態において当たり図柄が決定される確率、すなわち、当選確率は１／１００となる。詳しくは後述するが、この普図抽選において当たり図柄が決定されると、第２始動口１２２の可動片１２２ｂが開状態に制御され、ハズレ図柄が決定された場合には、第２始動口１２２の可動片１２２ｂが閉状態に維持される。
【００８７】
また、時短遊技状態において普図抽選を開始する場合には、図１２（ｂ）に示すように、時短遊技状態用当たり決定乱数判定テーブルが参照される。この時短遊技状態用当たり決定乱数判定テーブルによれば、当たり決定乱数が０〜９８であった場合に、普通図柄の種別として当たり図柄が決定され、当たり決定乱数が９９であった場合に、普通図柄の種別としてハズレ図柄が決定される。したがって、時短遊技状態において当たり図柄が決定される確率、すなわち、当選確率は９９／１００となる。
【００８８】
図１３（ａ）は、普通図柄変動時間データテーブルを説明する図であり、図１３（ｂ）は、開閉制御パターンテーブルを説明する図である。上記のように、普図抽選が行われると、普通図柄の変動時間が決定される。普通図柄変動時間データテーブルは、普図抽選によって当たり図柄もしくはハズレ図柄が決定されたときに、当該普通図柄の変動時間を決定する際に参照されるものである。この普通図柄変動時間データテーブルによれば、遊技状態が非時短遊技状態に設定されている場合には変動時間が１０秒に決定され、遊技状態が時短遊技状態に設定されている場合には変動時間が１秒に決定される。このようにして変動時間が決定されると、当該決定された時間にわたって普通図柄表示器１６８が変動表示（点滅表示）される。そして、当たり図柄が決定された場合には普通図柄表示器１６８が点灯し、ハズレ図柄が決定された場合には普通図柄表示器１６８が消灯する。
【００８９】
そして、普図抽選によって当たり図柄が決定されるとともに、普通図柄表示器１６８が点灯した場合には、第２始動口１２２の可動片１２２ｂが、図１３（ｂ）に示すように、開閉制御パターンテーブルを参照して通電制御される。なお、実際は、開閉制御パターンテーブルは、遊技状態ごとに設けられており、普通図柄が決定されたときの遊技状態に応じて、対応するテーブルが普通電動役物ソレノイド１２２ｃの通電開始時にセットされるが、ここでは、説明の都合上、１つのテーブルに各遊技状態に対応する制御データを示す。
【００９０】
当たり図柄が決定されると、図１３（ｂ）に示すように、開閉制御パターンテーブルを参照して第２始動口１２２が開閉制御される。この開閉制御パターンテーブルによれば、普電開放前時間（第２始動口１２２の開放が開始されるまでの待機時間）、普通電動役物最大開閉切替回数（第２始動口１２２の開放回数）、ソレノイド通電時間（第２始動口１２２の開放回数ごとの普通電動役物ソレノイド１２２ｃの通電時間、すなわち、１回の第２始動口１２２の開放時間）、規定数（第２始動口１２２の全開放中における第２始動口１２２への最大入賞可能数）、普電閉鎖有効時間（第２始動口１２２の各開放間の閉鎖時間、すなわち、休止時間）、普電有効状態時間（第２始動口１２２の最後の開放終了からの待機時間）、普電終了ウェイト時間（普電有効状態時間の経過後、後述する普通図柄の変動表示が再開されるまでの待機時間）が、第２始動口１２２の制御データとして、遊技状態ごとに、図示のように予め記憶されている。
【００９１】
このように、非時短遊技状態および時短遊技状態には、それぞれ、第２始動口１２２を開閉するための開閉制御条件が、遊技進行条件として対応付けられており、時短遊技状態においては、非時短遊技状態よりも第２始動口１２２に遊技球が入球しやすくなる。つまり、時短遊技状態においては、ゲート１２４を遊技球が通過する限りにおいて、次々と普図抽選がなされるとともに、第２始動口１２２が頻繁に開放状態となるため、遊技者は遊技球の費消を低減しながら、大役抽選を行うことが可能となる。
【００９２】
なお、第２始動口１２２の開閉条件は、普通図柄の当選確率、普通図柄の変動表示の時間、第２始動口１２２の開放時間の３つの要素を規定するものである。そして、本実施形態では、この３つの要素のうち２つの要素において、非時短遊技状態よりも時短遊技状態の方を有利に設定することで、時短遊技状態の方が、非時短遊技状態よりも、第２始動口１２２に遊技球が入球しやすくなるように設定した。しかしながら、上記３つの要素のうち、１つまたは３つの要素について、時短遊技状態の方が、非時短遊技状態よりも有利に設定してもよい。いずれにしても、時短遊技状態の方が非時短遊技状態に比べて、少なくとも１つの要素について有利となることで、総合的に時短遊技状態の方が、非時短遊技状態よりも第２始動口１２２に遊技球が容易に入球するようにすればよい。つまり、遊技状態が非時短遊技状態に設定されている場合に、第１の条件にしたがって可動片１２２ｂが開閉制御され、遊技状態が時短遊技状態に設定されている場合に、第１の条件よりも開状態になりやすい第２の条件にしたがって可動片１２２ｂが開閉制御されればよい。
【００９３】
次に、遊技機１００における遊技の進行に伴う主制御基板３００の主な処理について、フローチャートを用いて説明する。
【００９４】
（主制御基板３００のＣＰＵ初期化処理）
図１４は、主制御基板３００におけるＣＰＵ初期化処理（Ｓ１００）を説明するフローチャートである。
【００９５】
電源基板より電源が供給されると、メインＣＰＵ３００ａにシステムリセットが発生し、メインＣＰＵ３００ａは、以下のＣＰＵ初期化処理（Ｓ１００）を行う。
【００９６】
（ステップＳ１００−１）
メインＣＰＵ３００ａは、電源投入に応じて、初期設定処理として、メインＲＯＭ３００ｂから起動プログラムを読み込むとともに、各種処理を実行するために必要な設定処理を行う。
【００９７】
（ステップＳ１００−３）
メインＣＰＵ３００ａは、タイマカウンタにウェイト処理時間を設定する。
【００９８】
（ステップＳ１００−５）
メインＣＰＵ３００ａは、電源断予告信号を検出しているかを判定する。なお、主制御基板３００には、電源断検知回路が設けられており、電源電圧が所定値以下になると、電源検知回路から電源断予告信号が出力される。電源断予告信号を検出している場合には、上記ステップＳ１００−３に処理を移し、電源断予告信号を検出していない場合には、ステップＳ１００−７に処理を移す。
【００９９】
（ステップＳ１００−７）
メインＣＰＵ３００ａは、上記ステップＳ１００−３で設定したウェイト時間が経過したか否かを判定する。その結果、ウェイト時間が経過したと判定した場合にはステップＳ１００−９に処理を移し、ウェイト時間は経過していないと判定した場合には上記ステップＳ１００−５に処理を移す。
【０１００】
（ステップＳ１００−９）
メインＣＰＵ３００ａは、メインＲＡＭ３００ｃへのアクセスを許可するために必要な処理を実行する。
【０１０１】
（ステップＳ１００−１１）
メインＣＰＵ３００ａは、ＲＡＭクリアフラグがオンしているか否かを判定する。なお、遊技盤１０８の背面には不図示のＲＡＭクリアボタンが設けられており、このＲＡＭクリアボタンが押圧操作されると、ＲＡＭクリア検出スイッチがＲＡＭクリアボタンの押圧操作を検出して、主制御基板３００にＲＡＭクリア信号が出力される。ＲＡＭクリアボタンが押圧操作された状態で電源が投入されると、ＲＡＭクリア信号が入力され、ＲＡＭクリアフラグがオンされる。そして、ＲＡＭクリアフラグがオンしていると判定した場合にはステップＳ１００−１３に処理を移し、ＲＡＭクリアフラグはオンしていないと判定した場合にはステップＳ１００−１９に処理を移す。
【０１０２】
（ステップＳ１００−１３）
メインＣＰＵ３００ａは、メインＲＡＭ３００ｃのうち、電源投入時（メインＲＡＭ３００ｃをクリアするリセット時）にクリアすべきクリア対象のデータをクリアする初期化処理を行う。
【０１０３】
（ステップＳ１００−１５）
メインＣＰＵ３００ａは、メインＲＡＭ３００ｃがクリアされたことを副制御基板３３０に伝達するためのサブコマンド（ＲＡＭクリア指定コマンド）の送信処理（コマンドを送信バッファに格納）を行う。
【０１０４】
（ステップＳ１００−１７）
メインＣＰＵ３００ａは、メインＲＡＭ３００ｃがクリアされたことを払出制御基板３１０に伝達するための払出コマンド（ＲＡＭクリア指定コマンド）の送信処理（コマンドを送信バッファに格納）を行う。
【０１０５】
（ステップＳ１００−１９）
メインＣＰＵ３００ａは、チェックサムを算出するために必要な処理を実行する。
【０１０６】
（ステップＳ１００−２１）
メインＣＰＵ３００ａは、上記ステップＳ１００−１９で算出したチェックサムが、電源断時に保存されたチェックサムと不一致であるかを判定する。その結果、両者が不一致であると判定した場合にはステップＳ１００−１３に処理を移し、両者が不一致ではない（一致する）と判定した場合にはステップＳ１００−２３に処理を移す。
【０１０７】
（ステップＳ１００−２３）
メインＣＰＵ３００ａは、メインＲＡＭ３００ｃのうち、電源復帰時（メインＲＡＭ３００ｃをクリアせずに、電源断前のデータを維持するとき）にクリアすべきクリア対象のデータをクリアする初期化処理を行う。
【０１０８】
（ステップＳ１００−２５）
メインＣＰＵ３００ａは、電源断から復帰したことを副制御基板３３０に伝達するためのサブコマンド（電源復帰指定コマンド）の送信処理（コマンドを送信バッファに格納）を行う。
【０１０９】
（ステップＳ１００−２７）
メインＣＰＵ３００ａは、電源断から復帰したことを払出制御基板３１０に伝達するための払出コマンド（電源復帰指定コマンド）の送信処理（コマンドを送信バッファに格納）を行う。
【０１１０】
（ステップＳ１００−２９）
メインＣＰＵ３００ａは、特別図柄の種別を示す電源投入時特図図柄種別指定コマンド、特１保留数（Ｘ１）を示す特１保留指定コマンド、特２保留数（Ｘ２）を示す特２保留指定コマンド、記憶されている特１保留および特２保留の入賞順序を示す特別図柄入賞順序コマンド等、電源投入時の初期状態の演出に必要なコマンドを副制御基板３３０に送信するための電源投入時サブコマンドセット処理（コマンドを送信バッファに格納）を実行する。
【０１１１】
（ステップＳ１００−３１）
メインＣＰＵ３００ａは、タイマ割込みの周期を設定する。
【０１１２】
（ステップＳ１００−３３）
メインＣＰＵ３００ａは、割込みを禁止するための処理を行う。
【０１１３】
（ステップＳ１００−３５）
メインＣＰＵ３００ａは、当たり図柄乱数用初期値更新乱数を更新する。なお、当たり図柄乱数用初期値更新乱数は、当たり図柄乱数の初期値および終了値を決定するためのものである。つまり、後述する当たり図柄乱数の更新処理によって当たり図柄乱数が、当たり図柄乱数用初期値更新乱数から、当該当たり図柄乱数用初期値更新乱数−１まで１周すると、当たり図柄乱数は、そのときの当たり図柄乱数用初期値更新乱数に更新されることとなる。
【０１１４】
（ステップＳ１００−３７）
メインＣＰＵ３００ａは、払出制御基板３１０から受信した受信データ（主コマンド）を解析し、受信データに応じた種々の処理を実行する。
【０１１５】
（ステップＳ１００−３９）
メインＣＰＵ３００ａは、送信バッファに格納されているサブコマンドを副制御基板３３０に送信するための処理を行う。
【０１１６】
（ステップＳ１００−４１）
メインＣＰＵ３００ａは、割込みを許可するための処理を行う。
【０１１７】
（ステップＳ１００−４３）
メインＣＰＵ３００ａは、リーチグループ決定乱数、リーチモード決定乱数、変動パターン乱数を更新し、以後、上記ステップＳ１００−３３から処理を繰り返す。なお、以下では、変動演出パターンを決定するためのリーチグループ決定乱数、リーチモード決定乱数、変動パターン乱数を総称して変動演出用乱数と呼ぶ。
【０１１８】
次に、主制御基板３００における割込み処理について説明する。ここでは、電源断時退避処理（ＸＩＮＴ割込み処理）およびタイマ割込み処理について説明する。
【０１１９】
（主制御基板３００の電源断時退避処理（ＸＩＮＴ割込み処理））
図１５は、主制御基板３００における電源断時退避処理（ＸＩＮＴ割込み処理）を説明するフローチャートである。メインＣＰＵ３００ａは、電源断検知回路を監視しており、電源電圧が所定値以下になると、ＣＰＵ初期化処理の割込み許可期間中（ステップＳ１００−４１とステップＳ１００−３３の処理の間）に割り込んで電源断時退避処理を実行する。
【０１２０】
（ステップＳ３００−１）
電源断予告信号が入力されると、メインＣＰＵ３００ａは、レジスタを退避する。
【０１２１】
（ステップＳ３００−３）
メインＣＰＵ３００ａは、電源断予告信号をチェックする。
【０１２２】
（ステップＳ３００−５）
メインＣＰＵ３００ａは、電源断予告信号を検出しているかを判定する。その結果、電源断予告信号を検出していると判定した場合にはステップＳ３００−１１に処理を移し、電源断予告信号を検出していないと判定した場合にはステップＳ３００−７に処理を移す。
【０１２３】
（ステップＳ３００−７）
メインＣＰＵ３００ａは、レジスタを復帰させる。
【０１２４】
（ステップＳ３００−９）
メインＣＰＵ３００ａは、割込みを許可するための処理を行い、当該電源断時退避処理を終了する。
【０１２５】
（ステップＳ３００−１１）
メインＣＰＵ３００ａは、出力ポートの出力を停止する出力ポートクリア処理を実行する。
【０１２６】
（ステップＳ３００−１３）
メインＣＰＵ３００ａは、チェックサムを算出して保存するチェックサム設定処理を実行する。
【０１２７】
（ステップＳ３００−１５）
メインＣＰＵ３００ａは、メインＲＡＭ３００ｃへのアクセスを禁止するために必要なＲＡＭプロテクト設定処理を実行する。
【０１２８】
（ステップＳ３００−１７）
メインＣＰＵ３００ａは、電源断発生監視時間を設定すべく、ループカウンタのカウンタ値に所定の電源断検出信号検出回数をセットする。
【０１２９】
（ステップＳ３００−１９）
メインＣＰＵ３００ａは、電源断予告信号をチェックする。
【０１３０】
（ステップＳ３００−２１）
メインＣＰＵ３００ａは、電源断予告信号を検出しているかを判定する。その結果、電源断予告信号を検出していると判定した場合にはステップＳ３００−１７に処理を移し、電源断予告信号を検出していないと判定した場合にはステップＳ３００−２３に処理を移す。
【０１３１】
（ステップＳ３００−２３）
メインＣＰＵ３００ａは、上記ステップＳ３００−１７でセットしたループカウンタの値を１減算する。
【０１３２】
（ステップＳ３００−２５）
メインＣＰＵ３００ａは、ループカウンタのカウンタ値が０でないかを判定する。その結果、カウンタ値が０ではないと判定した場合にはステップＳ３００−１９に処理を移し、カウンタ値が０であると判定した場合には上記したＣＰＵ初期化処理（ステップＳ１００）に移行する。
【０１３３】
なお、実際に電源断が生じた場合には、ステップＳ３００−１７〜ステップＳ３００−２５をループしている間に遊技機１００の稼働が停止する。
【０１３４】
（主制御基板３００のタイマ割込み処理）
図１６は、主制御基板３００におけるタイマ割込み処理を説明するフローチャートである。主制御基板３００には、所定の周期（本実施形態では４ミリ秒、以下「４ｍｓ」という）毎にクロックパルスを発生させるリセット用クロックパルス発生回路が設けられている。そして、リセット用クロックパルス発生回路によって、クロックパルスが発生すると、ＣＰＵ初期化処理（ステップＳ１００）に割り込んで、以下のタイマ割込み処理が実行される。
【０１３５】
（ステップＳ４００−１）
メインＣＰＵ３００ａは、レジスタを退避する。
【０１３６】
（ステップＳ４００−３）
メインＣＰＵ３００ａは、割込みを許可するための処理を行う。
【０１３７】
（ステップＳ４００−５）
メインＣＰＵ３００ａは、コモン出力バッファにセットされたコモンデータを出力ポートに出力し、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２を点灯制御するダイナミックポート出力処理を実行する。
【０１３８】
（ステップＳ４００−７）
メインＣＰＵ３００ａは、各種の入力ポート情報を読み込み、最新のスイッチ状態を正確に取得するためのポート入力処理を実行する。
【０１３９】
（ステップＳ４００−９）
メインＣＰＵ３００ａは、各種タイマカウンタを更新するタイマ更新処理を行う。ここで、各種タイマカウンタは、特に断る場合を除き、当該主制御基板３００のタイマ割込み処理の度に減算され、０になると減算を停止する。
【０１４０】
（ステップＳ４００−１１）
メインＣＰＵ３００ａは、上記ステップＳ１００−３５と同様、当たり図柄乱数用初期値更新乱数の更新処理を実行する。
【０１４１】
（ステップＳ４００−１３）
メインＣＰＵ３００ａは、当たり図柄乱数を更新する処理を行う。具体的には、乱数カウンタを１加算して更新し、加算した結果が乱数範囲の最大値を超えた場合には、乱数カウンタを０に戻し、乱数カウンタが１周した場合には、その時の当たり図柄乱数用初期値更新乱数の値から乱数を更新する。
【０１４２】
なお、詳しい説明は省略するが、本実施形態では、大当たり決定乱数および当たり決定乱数は、主制御基板３００に内蔵されたハードウェア乱数生成部によって更新されるハードウェア乱数を用いている。ハードウェア乱数生成部は、大当たり決定乱数および当たり決定乱数を、いずれも一定の規則にしたがって更新し、乱数列が一巡するごとに自動的に乱数列を変更するとともに、システムリセット毎にスタート値を変更している。
【０１４３】
（ステップＳ５００）
メインＣＰＵ３００ａは、第１始動口検出スイッチ１２０ｓ、第２始動口検出スイッチ１２２ｓ、ゲート検出スイッチ１２４ｓから信号の入力があったか否か判定するスイッチ管理処理を実行する。なお、このスイッチ管理処理の詳細については後述する。
【０１４４】
（ステップＳ６００）
メインＣＰＵ３００ａは、上記の特別遊技を進行制御するための特別遊技管理処理を実行する。なお、この特別遊技管理処理の詳細については後述する。
【０１４５】
（ステップＳ７００）
メインＣＰＵ３００ａは、上記の普通遊技を進行制御するための普通遊技管理処理を実行する。なお、この普通遊技管理処理の詳細については後述する。
【０１４６】
（ステップＳ４００−１５）
メインＣＰＵ３００ａは、各種エラーの判定およびエラー判定結果に応じた設定を行うためのエラー管理処理を実行する。
【０１４７】
（ステップＳ４００−１７）
メインＣＰＵ３００ａは、一般入賞口検出スイッチ１１８ｓ、第１始動口検出スイッチ１２０ｓ、第２始動口検出スイッチ１２２ｓ、大入賞口検出スイッチ１２８ｓのチェックを行い、該当する賞球制御用のカウンタ等を加算するための入賞口スイッチ処理を実行する。
【０１４８】
（ステップＳ４００−１９）
メインＣＰＵ３００ａは、上記ステップＳ４００−１７でセットされた賞球制御用のカウンタのカウンタ値等に基づく払出コマンドの作成および送信を行うための払出制御管理処理を実行する。
【０１４９】
（ステップＳ４００−２１）
メインＣＰＵ３００ａは、遊技情報出力端子板３１２から外部へ出力する外部情報用の出力データをセットするための外部情報管理処理を実行する。
【０１５０】
（ステップＳ４００−２３）
メインＣＰＵ３００ａは、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２等の各種表示器（ＬＥＤ）を点灯制御するためのコモンデータをコモン出力バッファにセットするＬＥＤ表示設定処理を実行する。
【０１５１】
（ステップＳ４００−２５）
メインＣＰＵ３００ａは、普通電動役物ソレノイド１２２ｃおよび大入賞口ソレノイド１２８ｃのソレノイド出力イメージを合成し、出力ポートバッファに格納するためのソレノイド出力イメージ合成処理を実行する。
【０１５２】
（ステップＳ４００−２７）
メインＣＰＵ３００ａは、各出力ポートバッファに格納されたコモン出力バッファの値を出力ポートに出力するためのポート出力処理を実行する。
【０１５３】
（ステップＳ４００−２９）
メインＣＰＵ３００ａは、レジスタを復帰してタイマ割込み処理を終了する。
【０１５４】
以下に、上記したタイマ割込み処理のうち、ステップＳ５００のスイッチ管理処理、ステップＳ６００の特別遊技管理処理、ステップＳ７００の普通遊技管理処理について、詳細に説明する。
【０１５５】
図１７は、主制御基板３００におけるスイッチ管理処理（ステップＳ５００）を説明するフローチャートである。
【０１５６】
（ステップＳ５００−１）
メインＣＰＵ３００ａは、ゲート検出スイッチオン検出時であるか、すなわち、ゲート１２４を遊技球が通過してゲート検出スイッチ１２４ｓからの検出信号がオンされたかを判定する。その結果、ゲート検出スイッチオン検出時であると判定した場合にはステップＳ５１０に処理を移し、ゲート検出スイッチオン検出時ではないと判定した場合にはステップＳ５００−３に処理を移す。
【０１５７】
（ステップＳ５１０）
メインＣＰＵ３００ａは、ゲート１２４への遊技球の通過に基づいてゲート通過処理を実行する。なお、このゲート通過処理の詳細については後述する。
【０１５８】
（ステップＳ５００−３）
メインＣＰＵ３００ａは、第１始動口検出スイッチオン検出時であるか、すなわち、第１始動口１２０に遊技球が入球して第１始動口検出スイッチ１２０ｓから検出信号が入力されたかを判定する。その結果、第１始動口検出スイッチオン検出時であると判定した場合にはステップＳ５２０に処理を移し、第１始動口検出スイッチオン検出時ではないと判定した場合にはステップＳ５００−５に処理を移す。
【０１５９】
（ステップＳ５２０）
メインＣＰＵ３００ａは、第１始動口１２０への遊技球の入球に基づいて第１始動口通過処理を実行する。なお、この第１始動口通過処理の詳細については後述する。
【０１６０】
（ステップＳ５００−５）
メインＣＰＵ３００ａは、第２始動口検出スイッチオン検出時であるか、すなわち、第２始動口１２２に遊技球が入球して第２始動口検出スイッチ１２２ｓから検出信号が入力されたかを判定する。その結果、第２始動口検出スイッチオン検出時であると判定した場合にはステップＳ５３０に処理を移し、第２始動口検出スイッチオン検出時ではないと判定した場合にはステップＳ５００−７に処理を移す。
【０１６１】
（ステップＳ５３０）
メインＣＰＵ３００ａは、第２始動口１２２への遊技球の入球に基づいて第２始動口通過処理を実行する。なお、この第２始動口通過処理の詳細については後述する。
【０１６２】
（ステップＳ５００−７）
メインＣＰＵ３００ａは、大入賞口検出スイッチオン検出時であるか、すなわち、大入賞口１２８に遊技球が入球して大入賞口検出スイッチ１２８ｓから検出信号が入力されたかを判定する。その結果、大入賞口検出スイッチオン検出時であると判定した場合にはステップＳ５００−９に処理を移し、大入賞口検出スイッチオン検出時ではないと判定した場合には当該スイッチ管理処理を終了する。
【０１６３】
（ステップＳ５００−９）
メインＣＰＵ３００ａは、現在、大役遊技中であるか否かを判定し、大入賞口１２８への遊技球の入球が適正になされたものであるかを判定する。ここでは、大役遊技中ではないと判定した場合には、所定の不正検出処理を実行し、大役遊技中であり、大入賞口１２８への遊技球の入球が適正になされたと判定した場合には、大入賞口入賞球数カウンタを１加算して、当該スイッチ管理処理（ステップＳ５００）を終了する。
【０１６４】
図１８は、主制御基板３００におけるゲート通過処理（ステップＳ５１０）を説明するフローチャートである。
【０１６５】
（ステップＳ５１０−１）
メインＣＰＵ３００ａは、ハードウェア乱数生成部によって更新された当たり決定乱数をロードする。
【０１６６】
（ステップＳ５１０−３）
メインＣＰＵ３００ａは、普通図柄保留球数カウンタのカウンタ値が最大値以上であるか、つまり、普通図柄保留球数カウンタのカウンタ値が４以上であるかを判定する。その結果、普通図柄保留球数カウンタのカウンタ値が最大値以上であると判定した場合には当該ゲート通過処理を終了し、普通図柄保留球数カウンタは最大値以上ではないと判定した場合にはステップＳ５１０−５に処理を移す。
【０１６７】
（ステップＳ５１０−５）
メインＣＰＵ３００ａは、普通図柄保留球数カウンタのカウンタ値を、現在のカウンタ値に「１」加算した値に更新する。
【０１６８】
（ステップＳ５１０−７）
メインＣＰＵ３００ａは、普図保留記憶領域の４つの記憶部のうち、取得した当たり決定乱数をセーブする対象となる対象記憶部を算定する。
【０１６９】
（ステップＳ５１０−９）
メインＣＰＵ３００ａは、上記ステップＳ５１０−１で取得した当たり決定乱数を、上記ステップＳ５１０−７で算定した対象記憶部にセーブする。
【０１７０】
（ステップＳ５１０−１１）
メインＣＰＵ３００ａは、普図保留記憶領域に記憶されている普図保留数を示す普図保留指定コマンドを送信バッファにセットし、当該ゲート通過処理を終了する。
【０１７１】
図１９は、主制御基板３００における第１始動口通過処理（ステップＳ５２０）を説明するフローチャートである。
【０１７２】
（ステップＳ５２０−１）
メインＣＰＵ３００ａは、特別図柄識別値として「００Ｈ」をセットする。なお、特別図柄識別値は、保留種別として特１保留および特２保留のいずれであるかを識別するためのもので、特別図柄識別値（００Ｈ）は特１保留を示し、特別図柄識別値（０１Ｈ）は特２保留を示す。
【０１７３】
（ステップＳ５２０−３）
メインＣＰＵ３００ａは、特別図柄１保留球数カウンタのアドレスをセットする。
【０１７４】
（ステップＳ５３５）
メインＣＰＵ３００ａは、特別図柄乱数取得処理を実行して、当該第１始動口通過処理を終了する。なお、この特別図柄乱数取得処理は、第２始動口通過処理（ステップＳ５３０）と共通のモジュールを利用して実行される。したがって、特別図柄乱数取得処理の詳細は、第２始動口通過処理の説明後に説明する。
【０１７５】
図２０は、主制御基板３００における第２始動口通過処理（ステップＳ５３０）を説明するフローチャートである。
【０１７６】
（ステップＳ５３０−１）
メインＣＰＵ３００ａは、特別図柄識別値として「０１Ｈ」をセットする。
【０１７７】
（ステップＳ５３０−３）
メインＣＰＵ３００ａは、特別図柄２保留球数カウンタのアドレスをセットする。
【０１７８】
（ステップＳ５３５）
メインＣＰＵ３００ａは、後述する特別図柄乱数取得処理を実行する。
【０１７９】
（ステップＳ５３０−５）
メインＣＰＵ３００ａは、普通遊技管理フェーズをロードする。なお、詳しくは後述するが、普通遊技管理フェーズは、普通遊技の実行処理の段階、すなわち、普通遊技の進行状況を示すものであり、普通遊技の実行処理の段階に応じて更新される。
【０１８０】
（ステップＳ５３０−７）
メインＣＰＵ３００ａは、上記ステップＳ５３０−５でロードした普通遊技管理フェーズが「０４Ｈ」ではないかを判定する。なお、普通遊技管理フェーズの「０４Ｈ」は、普通電動役物入賞口開放制御処理中であることを示すものである。この普通電動役物入賞口開放制御処理においては、普通電動役物ソレノイド１２２ｃが通電されて第２始動口１２２の可動片１２２ｂが開状態に制御されることから、ここでは、第２始動口１２２が適正に開放され得る状態にあるかを判定することとなる。その結果、普通遊技管理フェーズが「０４Ｈ」ではないと判定した場合には当該第２始動口通過処理を終了し、普通遊技管理フェーズが「０４Ｈ」であると判定した場合にはステップＳ５３０−９に処理を移す。
【０１８１】
（ステップＳ５３０−９）
メインＣＰＵ３００ａは、普通電動役物入賞球数カウンタのカウンタ値を、現在のカウンタ値に「１」加算した値に更新し、当該第２始動口通過処理を終了する。
【０１８２】
図２１は、主制御基板３００における特別図柄乱数取得処理（ステップＳ５３５）を説明するフローチャートである。この特別図柄乱数取得処理は、上記した第１始動口通過処理（ステップＳ５２０）および第２始動口通過処理（ステップＳ５３０）において、共通のモジュールを用いて実行される。
【０１８３】
（ステップＳ５３５−１）
メインＣＰＵ３００ａは、上記ステップＳ５２０−１またはステップＳ５３０−１でセットした特別図柄識別値をロードする。
【０１８４】
（ステップＳ５３５−３）
メインＣＰＵ３００ａは、対象特別図柄保留球数をロードする。ここでは、上記ステップＳ５３５−１でロードした特別図柄識別値が「００Ｈ」であれば、特別図柄１保留球数カウンタのカウンタ値、すなわち、特１保留数をロードする。また、上記ステップＳ５３５−１でロードした特別図柄識別値が「０１Ｈ」であれば、特別図柄２保留球数カウンタのカウンタ値、すなわち、特２保留数をロードする。
【０１８５】
（ステップＳ５３５−５）
メインＣＰＵ３００ａは、ハードウェア乱数生成部によって更新された大当たり決定乱数をロードする。
【０１８６】
（ステップＳ５３５−７）
メインＣＰＵ３００ａは、上記ステップＳ５３５−３でロードした対象特別図柄保留球数が上限値以上であるかを判定する。その結果、上限値以上であると判定した場合には、ステップＳ５３５−２３に処理を移し、上限値以上ではないと判定した場合には、ステップＳ５３５−９に処理を移す。
【０１８７】
（ステップＳ５３５−９）
メインＣＰＵ３００ａは、対象特別図柄保留球数カウンタのカウンタ値を、現在のカウンタ値に「１」加算した値に更新する。
【０１８８】
（ステップＳ５３５−１１）
メインＣＰＵ３００ａは、特図保留記憶領域の記憶部のうち、取得した大当たり決定乱数をセーブする対象となる対象記憶部を算定する。
【０１８９】
（ステップＳ５３５−１３）
メインＣＰＵ３００ａは、上記ステップＳ５３５−５でロードした大当たり決定乱数、上記ステップＳ４００−１３で更新された当たり図柄乱数、上記ステップＳ１００−４３で更新されたリーチグループ決定乱数、リーチモード決定乱数、変動パターン乱数を取得し、上記ステップＳ５３５−１１で算定した対象記憶部に格納する。
【０１９０】
（ステップＳ５３５−１５）
メインＣＰＵ３００ａは、特図保留記憶領域に記憶されている特１保留および特２保留の入賞順序を更新して記憶する特別図柄保留球入賞順序設定処理を行う。
【０１９１】
（ステップＳ５３６）
メインＣＰＵ３００ａは、上記ステップＳ５３５−１３で対象記憶部に格納した各種の乱数に基づいて、取得時演出判定処理を実行する。この取得時演出判定処理については、図２２を用いて後述する。
【０１９２】
（ステップＳ５３５−１７）
メインＣＰＵ３００ａは、特別図柄１保留球数カウンタおよび特別図柄２保留球数カウンタのカウンタ値をロードする。
【０１９３】
（ステップＳ５３５−１９）
メインＣＰＵ３００ａは、上記ステップＳ５３５−１７でロードしたカウンタ値に基づいて、特図保留指定コマンドを送信バッファにセットする。ここでは、特別図柄１保留球数カウンタのカウンタ値（特１保留数）に基づいて特図１保留指定コマンドをセットし、特別図柄２保留球数カウンタのカウンタ値（特２保留数）に基づいて特図２保留指定コマンドをセットする。これにより、特１保留または特２保留が記憶されるたびに、特１保留数および特２保留数が副制御基板３３０に伝達されることとなる。
【０１９４】
（ステップＳ５３５−２１）
メインＣＰＵ３００ａは、上記ステップＳ５３５−１５で記憶した特１保留および特２保留の入賞順序に対応する特別図柄入賞順序コマンドを送信バッファにセットする。
【０１９５】
（ステップＳ５３５−２３）
メインＣＰＵ３００ａは、普通遊技管理フェーズをロードする。
【０１９６】
（ステップＳ５３５−２５）
メインＣＰＵ３００ａは、上記ステップＳ５３５−２３でロードした普通遊技管理フェーズを確認し、後述する普通電動役物入賞口開放制御状態未満（普通遊技管理フェーズ<０４Ｈ）であるかを判定する。その結果、普通電動役物入賞口開放制御状態未満であると判定した場合にはステップＳ５３５−２７に処理を移し、普通電動役物入賞口開放制御状態未満ではないと判定した場合には当該特別図柄乱数取得処理を終了する。
【０１９７】
（ステップＳ５３５−２７）
メインＣＰＵ３００ａは、異常入賞があったか否かを判定するとともに、異常入賞があったと判定した場合には、所定の処理を行う始動口異常入賞エラー処理を実行し、当該特別図柄乱数取得処理（ステップＳ５３５）を終了する。
【０１９８】
図２２は、主制御基板３００における取得時演出判定処理（ステップＳ５３６）を説明するフローチャートである。
【０１９９】
（ステップＳ５３６−１）
メインＣＰＵ３００ａは、低確率遊技状態であるか高確率遊技状態であるかを識別する確率状態識別カウンタのカウンタ値、すなわち、現在、低確率遊技状態であるか高確率遊技状態であるかを確認する。
【０２００】
（ステップＳ５３６−３）
メインＣＰＵ３００ａは、確率状態識別カウンタのカウンタ値に基づいて、対応する大当たり決定乱数判定テーブルを選択する。具体的には、確率状態識別カウンタのカウンタ値が、低確率遊技状態を示す値であれば、低確時大当たり決定乱数判定テーブル（図４（ａ）参照）を選択し、高確率遊技状態を示す値であれば、高確時大当たり決定乱数判定テーブル（図４（ｂ）参照）を選択する。そして、選択したテーブルと、上記ステップＳ５３５−１３で対象記憶部に記憶した大当たり決定乱数とに基づいて、大当たりまたはハズレのいずれかを仮判定する特別図柄当たり仮判定処理を行う。
【０２０１】
（ステップＳ５３６−５）
メインＣＰＵ３００ａは、特別図柄を仮決定するための特別図柄図柄仮判定処理を実行する。ここでは、上記ステップＳ５３６−３の仮判定処理の結果（特別図柄当たり仮判定処理によって導出された結果）が大当たりであった場合には、上記ステップＳ５３５−１３で対象記憶部に記憶した当たり図柄乱数、保留種別をロードし、対応する当たり図柄乱数判定テーブル（図５参照）を選択して特別図柄判定データを抽出する。また、上記ステップＳ５３６−３の仮判定処理の結果がハズレであった場合には、保留種別に対応するハズレ用の特別図柄判定データ（ハズレ図柄の種別）を抽出する。
【０２０２】
（ステップＳ５３６−７）
メインＣＰＵ３００ａは、上記ステップＳ５３６−５で抽出した特別図柄判定データに対応する先読み指定図柄コマンドを送信バッファにセットする。これにより、対象記憶部に記憶された保留について、現在の遊技状態において読み出された場合に決定される特別図柄の種別が、当該保留の記憶時点で導出されることとなる。
【０２０３】
（ステップＳ５３６−９）
メインＣＰＵ３００ａは、現在の遊技状態が時短遊技状態であるかを判定する。その結果、時短遊技状態であると判定した場合には当該取得時演出判定処理を終了し、時短遊技状態ではないと判定した場合にはステップＳ５３６−１１に処理を移す。
【０２０４】
（ステップＳ５３６−１１）
メインＣＰＵ３００ａは、セットされた特別図柄識別値が「００Ｈ」であるか、すなわち、新たに対象記憶部に記憶された保留は特１保留であるかを判定する。その結果、特別図柄識別値が「００Ｈ」である（特１保留が記憶された）と判定した場合にはステップＳ５３６−１３に処理を移し、特別図柄識別値は「００Ｈ」ではない（特２保留が記憶された）と判定した場合には当該取得時演出判定処理を終了する。
【０２０５】
（ステップＳ５３６−１３）
メインＣＰＵ３００ａは、上記ステップＳ５３６−３の特別図柄当たり仮判定処理によって導出された結果が、大当たりであるかを判定する。その結果、大当たりであると判定した場合にはステップＳ５３６−１９に処理を移し、大当たりではない（ハズレである）と判定した場合にはステップＳ５３６−１５に処理を移す。
【０２０６】
（ステップＳ５３６−１５）
メインＣＰＵ３００ａは、予め設けられた取得時グループ種別判定テーブルをセットし、上記ステップＳ５３５−１３で対象記憶部に記憶したリーチグループ決定乱数と、当該取得時グループ種別判定テーブルとに基づいて、グループ種別を事前判定する。詳しくは後述するが、取得時グループ種別判定テーブルによれば、リーチグループ決定乱数に応じてグループ種別コマンドが対応付けられており、ここでは、新たに記憶されたリーチグループ決定乱数に応じて、１のグループ種別コマンドが決定される。この取得時グループ種別判定テーブルでは、１のグループ種別コマンドに対応する乱数範囲が、図６に示すリーチグループ決定乱数判定テーブルと等しく設定されている。したがって、このグループ種別事前判定処理では、対象記憶部に記憶された保留が読み出された際、すなわち、特別図柄の変動表示の開始時に、いずれのグループ種別が決定されるのかを、当該保留が記憶された時点で、事前に判定することとなる。
【０２０７】
（ステップＳ５３６−１７）
メインＣＰＵ３００ａは、上記ステップＳ５３６−１５の判定結果に対応する先読み指定グループ種別コマンドを送信バッファにセットし、当該取得時演出判定処理を終了する。
【０２０８】
（ステップＳ５３６−１９）
メインＣＰＵ３００ａは、特１保留用の大当たり時リーチモード決定乱数判定テーブル（図７（ｂ）参照）をセットする。なお、詳しい説明は省略するが、特１保留用の大当たり時リーチモード決定乱数判定テーブルは、変動状態ごとに、かつ、大当たり図柄ごとに設けられており、ここでは、現在の変動状態、および、上記ステップＳ５３６−５で導出された大当たり図柄の双方に対応する大当たり時リーチモード決定乱数判定テーブルがセットされる。
【０２０９】
（ステップＳ５３６−２１）
メインＣＰＵ３００ａは、上記ステップＳ５３６−１９でセットしたリーチモード決定乱数判定テーブルと、上記ステップＳ５３５−１３で対象記憶部に記憶したリーチモード決定乱数とに基づいて、変動モード番号を仮決定する。また、ここでは、変動モード番号とともに、変動パターン乱数判定テーブルが仮決定される。
【０２１０】
（ステップＳ５３６−２３）
メインＣＰＵ３００ａは、上記ステップＳ５３６−２１で仮決定した変動モード番号に対応する先読み指定変動モードコマンドを送信バッファにセットする。
【０２１１】
（ステップＳ５３６−２５）
メインＣＰＵ３００ａは、上記ステップＳ５３６−２１で仮決定した変動パターン乱数判定テーブルと、上記ステップＳ５３５−１３で対象記憶部に記憶した変動パターン乱数とに基づいて、変動パターン番号を仮決定する。
【０２１２】
（ステップＳ５３６−２７）
メインＣＰＵ３００ａは、上記ステップＳ５３６−２５で仮決定した変動パターン番号に対応する先読み指定変動パターンコマンドを送信バッファにセットし、当該取得時演出判定処理を終了する。
【０２１３】
上記ステップＳ５３６−１１〜上記ステップＳ５３６−２７の処理によれば、遊技状態が非時短遊技状態に設定されている場合には、新たに記憶された特１保留について、当該特１保留が読み出された際に大当たりに当選するか否かが、当該特１保留の記憶時点で判定される。そして、当該特１保留によってはハズレの大役抽選結果が導出されると仮判定された場合には、グループ種別（リーチグループ決定乱数の範囲）を示す先読み指定グループ種別コマンドが副制御基板３３０に送信される。一方、当該特１保留によって大当たりに当選すると仮判定された場合には、当該特１保留が読み出された際に決定されることとなる変動モード番号を示す先読み指定変動モードコマンド、および、変動パターン番号を示す先読み指定変動パターンコマンドが、副制御基板３３０に送信される。
【０２１４】
ただし、非時短遊技状態に設定されている場合には、特２保留が記憶されたとしても、当該特２保留については、先読み指定コマンド（先読み指定グループ種別コマンド、先読み指定変動モードコマンド、先読み指定変動パターンコマンド）を副制御基板３３０に送信することはない。なお、ここでは、非時短遊技状態に設定されている場合に特１保留が記憶された場合に限り、先読み指定コマンドを副制御基板３３０に送信することとしたが、時短遊技状態に設定されている場合や、特２保留が記憶された場合等に、先読み指定コマンドを副制御基板３３０に送信しても構わない。
【０２１５】
このように、取得時演出判定処理は、新たに保留が記憶されたときに、当該保留が読み出された際に決定される変動演出にかかる情報を、当該保留が記憶された時点で導出するための処理となる。
【０２１６】
図２３は、特別遊技管理フェーズを説明する図である。既に説明したとおり、本実施形態では、第１始動口１２０または第２始動口１２２への遊技球の入球を契機とする特別遊技と、ゲート１２４への遊技球の通過を契機とする普通遊技とが、同時並行して進行する。特別遊技に係る処理は、段階的に、かつ、繰り返し実行されるが、主制御基板３００では、こうした特別遊技に係る各処理を特別遊技管理フェーズによって管理している。
【０２１７】
図２３に示すように、メインＲＯＭ３００ｂには、特別遊技を実行制御するための複数の特別遊技制御モジュールが格納されており、これら特別遊技制御モジュールごとに、特別遊技管理フェーズが対応付けられている。具体的には、特別遊技管理フェーズが「００Ｈ」である場合には、「特別図柄変動待ち処理」を実行するためのモジュールがコールされ、特別遊技管理フェーズが「０１Ｈ」である場合には、「特別図柄変動中処理」を実行するためのモジュールがコールされ、特別遊技管理フェーズが「０２Ｈ」である場合には、「特別図柄停止図柄表示処理」を実行するためのモジュールがコールされ、特別遊技管理フェーズが「０３Ｈ」である場合には、「大入賞口開放前処理」を実行するためのモジュールがコールされ、特別遊技管理フェーズが「０４Ｈ」である場合には、「大入賞口開放制御処理」を実行するためのモジュールがコールされ、特別遊技管理フェーズが「０５Ｈ」である場合には、「大入賞口閉鎖有効処理」を実行するためのモジュールがコールされ、特別遊技管理フェーズが「０６Ｈ」である場合には、「大入賞口終了ウェイト処理」を実行するためのモジュールがコールされる。
【０２１８】
図２４は、主制御基板３００における特別遊技管理処理（ステップＳ６００）を説明するフローチャートである。
【０２１９】
（ステップＳ６００−１）
メインＣＰＵ３００ａは、特別遊技管理フェーズをロードする。
【０２２０】
（ステップＳ６００−３）
メインＣＰＵ３００ａは、上記ステップＳ６００−１でロードした特別遊技管理フェーズに対応する特別遊技制御モジュールを選択する。
【０２２１】
（ステップＳ６００−５）
メインＣＰＵ３００ａは、上記ステップＳ６００−３で選択した特別遊技制御モジュールをコールして処理を開始する。
【０２２２】
（ステップＳ６００−７）
メインＣＰＵ３００ａは、特別遊技の制御時間を管理する特別遊技タイマをロードし、当該特別遊技管理処理を終了する。
【０２２３】
図２５は、主制御基板３００における特別図柄変動待ち処理を説明するフローチャートである。この特別図柄変動待ち処理は、特別遊技管理フェーズが「００Ｈ」であった場合に実行される。
【０２２４】
（ステップＳ６１０−１）
メインＣＰＵ３００ａは、特別図柄２保留球数カウンタのカウンタ値、すなわち、特２保留数（Ｘ２）が「１」以上であるかを判定する。その結果、特２保留数（Ｘ２）が「１」以上であると判定した場合にはステップＳ６１０−７に処理を移し、特２保留数（Ｘ２）は「１」以上ではないと判定した場合にはステップＳ６１０−３に処理を移す。
【０２２５】
（ステップＳ６１０−３）
メインＣＰＵ３００ａは、特別図柄１保留球数カウンタのカウンタ値、すなわち、特１保留数（Ｘ１）が「１」以上であるかを判定する。その結果、特１保留数（Ｘ１）が「１」以上であると判定した場合にはステップＳ６１０−７に処理を移し、特１保留数（Ｘ１）は「１」以上ではないと判定した場合にはステップＳ６１０−５に処理を移す。
【０２２６】
（ステップＳ６１０−５）
メインＣＰＵ３００ａは、客待ちコマンドを送信バッファにセットするとともに、客待ち状態に設定するための客待ち設定処理を実行し、当該特別図柄変動待ち処理を終了する。
【０２２７】
（ステップＳ６１０−７）
メインＣＰＵ３００ａは、第２特図保留記憶領域の第１記憶部〜第４記憶部に記憶されている特２保留、または、第１特図保留記憶領域の第１記憶部〜第４記憶部に記憶されている特１保留を、１つ序数の小さい記憶部にブロック転送する。具体的には、上記ステップＳ６１０−１において、特別図柄２保留球数が「１」以上であると判定した場合には、第２特図保留記憶領域の第２記憶部〜第４記憶部に記憶されている特２保留を、第１記憶部〜第３記憶部に転送する。また、メインＲＡＭ３００ｃには、処理対象となる第０記憶部が設けられており、第１記憶部に記憶されている特２保留を、第０記憶部にブロック転送する。また、上記ステップＳ６１０−３において、特別図柄１保留球数が「１」以上であると判定した場合には、第１特図保留記憶領域の第２記憶部〜第４記憶部に記憶されている特１保留を、第１記憶部〜第３記憶部に転送するとともに、第１記憶部に記憶されている特１保留を、第０記憶部にブロック転送する。なお、この特別図柄記憶エリアシフト処理においては、第０記憶部に転送された保留種別に対応する対象特別図柄保留球数カウンタのカウンタ値を「１」減算するとともに、特１保留または特２保留が「１」減算したことを示す、保留減指定コマンドを送信バッファにセットする。
【０２２８】
（ステップＳ６１０−９）
メインＣＰＵ３００ａは、第０記憶部に転送された大当たり決定乱数、保留種別、高確率遊技状態であるか低確率遊技状態であるかを識別する特別図柄確率状態フラグをロードし、対応する大当たり決定乱数判定テーブルを選択して大役抽選を行い、その抽選結果を記憶する特別図柄当たり判定処理を実行する。
【０２２９】
（ステップＳ６１０−１１）
メインＣＰＵ３００ａは、特別図柄を決定するための特別図柄図柄判定処理を実行する。ここでは、上記ステップＳ６１０−９の大役抽選の結果が大当たりであった場合には、第０記憶部に転送された当たり図柄乱数、保留種別をロードし、対応する当たり図柄乱数判定テーブルを選択して特別図柄判定データを抽出し、抽出した特別図柄判定データ（大当たり図柄の種別）をセーブする。また、上記ステップＳ６１０−９の大役抽選の結果がハズレであった場合には、保留種別に対応するハズレ用の特別図柄判定データ（ハズレ図柄の種別）をセーブする。このようにして、特別図柄判定データをセーブしたら、当該特別図柄判定データに対応する図柄種別指定コマンドを送信バッファにセットする。
【０２３０】
（ステップＳ６１０−１３）
メインＣＰＵ３００ａは、上記ステップＳ６１０−１１で抽出した特別図柄判定データに対応する特別図柄停止図柄番号をセーブする。なお、第１特別図柄表示器１６０および第２特別図柄表示器１６２は、それぞれ７セグで構成されており、７セグを構成する各セグメントには番号（カウンタ値）が対応付けられている。ここで決定する特別図柄停止図柄番号は、最終的に点灯するセグメントの番号（カウンタ値）を示すものである。
【０２３１】
（ステップＳ６１１）
メインＣＰＵ３００ａは、変動モード番号および変動パターン番号を決定する特別図柄変動番号決定処理を実行する。この特別図柄変動番号決定処理の詳細は後述する。
【０２３２】
（ステップＳ６１０−１５）
メインＣＰＵ３００ａは、上記ステップＳ６１１で決定された変動モード番号および変動パターン番号をロードするとともに、変動時間決定テーブルを参照して、変動時間１および変動時間２を決定する。そして、決定した変動時間１、２の合計時間を、特別図柄変動タイマにセットする。
【０２３３】
（ステップＳ６１０−１７）
メインＣＰＵ３００ａは、上記ステップＳ６１０−９における大役抽選の結果が大当たりであるか否かを判定し、大当たりであった場合には、上記ステップＳ６１０−１１でセーブした特別図柄判定データをロードして、大当たり図柄の種別を確認する。そして、遊技状態設定テーブルを参照して、大役遊技終了後に設定される遊技状態および高確回数を判定し、その判定結果を特別図柄確率状態予備フラグおよび高確回数切り予備カウンタにセーブする。また、ここでは、大当たり当選時に設定されている遊技状態が記憶される。
【０２３４】
（ステップＳ６１０−１９）
メインＣＰＵ３００ａは、第１特別図柄表示器１６０または第２特別図柄表示器１６２において、特別図柄の変動表示を開始するために、特別図柄表示図柄カウンタを設定する処理を実行する。第１特別図柄表示器１６０および第２特別図柄表示器１６２を構成する７セグの各セグメントにはカウンタ値が対応付けられており、特別図柄表示図柄カウンタに設定されたカウンタ値に対応するセグメントが点灯制御される。ここでは、特別図柄の変動表示の開始時に点灯させるセグメントに対応するカウンタ値が特別図柄表示図柄カウンタに設定されることとなる。なお、特別図柄表示図柄カウンタは、第１特別図柄表示器１６０に対応する特別図柄１表示図柄カウンタと、第２特別図柄表示器１６２に対応する特別図柄２表示図柄カウンタとが別個に設けられており、ここでは、保留種別に対応するカウンタにカウンタ値が設定される。
【０２３５】
（ステップＳ６１０−２１）
メインＣＰＵ３００ａは、特別図柄１保留球数カウンタおよび特別図柄２保留球数カウンタのカウンタ値をロードし、特図保留指定コマンドを送信バッファにセットする。ここでは、特別図柄１保留球数カウンタのカウンタ値（特１保留数）に基づいて特図１保留指定コマンドをセットし、特別図柄２保留球数カウンタのカウンタ値（特２保留数）に基づいて特図２保留指定コマンドをセットする。また、ここでは、上記ステップＳ６１０−７で記憶した特１保留および特２保留の入賞順序に対応する特別図柄入賞順序コマンドを送信バッファにセットする。これにより、特１保留または特２保留が消化されるたびに、特１保留数および特２保留数、ならびに、これら各保留の入賞順序が副制御基板３３０に伝達されることとなる。
【０２３６】
（ステップＳ６１０−２３）
メインＣＰＵ３００ａは、特別遊技管理フェーズを「０１Ｈ」に更新し、当該特別図柄変動待ち処理を終了する。
【０２３７】
図２６は、主制御基板３００における特別図柄変動番号決定処理を説明するフローチャートである。
【０２３８】
（ステップＳ６１１−１）
メインＣＰＵ３００ａは、上記ステップＳ６１０−９における大役抽選の結果が大当たりであるかを判定する。その結果、大当たりであると判定した場合にはステップＳ６１１−３に処理を移し、大当たりではない（ハズレである）と判定した場合にはステップＳ６１１−５に処理を移す。
【０２３９】
（ステップＳ６１１−３）
メインＣＰＵ３００ａは、現在の変動状態、大当たり図柄の種別、保留種別に対応する大当たり時リーチモード決定乱数判定テーブルをセットする。
【０２４０】
（ステップＳ６１１−５）
メインＣＰＵ３００ａは、読み出した保留の保留種別が特２保留である場合には、特別図柄２保留球数カウンタのカウンタ値を確認し、読み出した保留の保留種別が特１保留である場合には、特別図柄１保留球数カウンタのカウンタ値を確認する。
【０２４１】
（ステップＳ６１１−７）
メインＣＰＵ３００ａは、現在の変動状態、上記ステップＳ６１１−５で確認した保留数、保留種別に基づいて、対応するリーチグループ決定乱数判定テーブルをセットする。そして、セットしたリーチグループ決定乱数判定テーブルと、上記ステップＳ６１０−７で第０記憶部に転送したリーチグループ決定乱数とに基づいて、リーチグループ（グループ種別）を決定する。
【０２４２】
（ステップＳ６１１−９）
メインＣＰＵ３００ａは、上記ステップＳ６１１−７で決定されたグループ種別に対応するハズレ時リーチモード決定乱数判定テーブルをセットする。
【０２４３】
（ステップＳ６１１−１１）
メインＣＰＵ３００ａは、上記ステップＳ６１１−３または上記ステップＳ６１１−９でセットしたリーチモード決定乱数判定テーブルと、上記ステップＳ６１０−７で第０記憶部に転送したリーチモード決定乱数とに基づいて、変動モード番号を決定する。また、ここでは、変動モード番号とともに、変動パターン乱数判定テーブルが決定される。
【０２４４】
（ステップＳ６１１−１３）
メインＣＰＵ３００ａは、上記ステップＳ６１１−１１で決定した変動モード番号に対応する変動モードコマンドを送信バッファにセットする。
【０２４５】
（ステップＳ６１１−１５）
メインＣＰＵ３００ａは、上記ステップＳ６１１−１１で決定した変動パターン乱数判定テーブルと、上記ステップＳ６１０−７で第０記憶部に転送した変動パターン乱数とに基づいて、変動パターン番号を決定する。
【０２４６】
（ステップＳ６１１−１７）
メインＣＰＵ３００ａは、上記ステップＳ６１１−１５で決定した変動パターン番号に対応する変動パターンコマンドを送信バッファにセットして、当該特別図柄変動番号決定処理を終了する。
【０２４７】
図２７は、主制御基板３００における特別図柄変動中処理を説明するフローチャートである。この特別図柄変動中処理は、特別遊技管理フェーズが「０１Ｈ」であった場合に実行される。
【０２４８】
（ステップＳ６２０−１）
メインＣＰＵ３００ａは、特別図柄変動ベースカウンタを更新する処理を実行する。なお、特別図柄変動ベースカウンタは、所定周期（例えば１００ｍｓ）で１周するようにカウンタ値が設定される。具体的には、特別図柄変動ベースカウンタのカウンタ値が「０」であった場合には、所定のカウンタ値（例えば２５）がセットされ、カウンタ値が「１」以上であった場合には、現在のカウンタ値から「１」減算した値にカウンタ値を更新する。
【０２４９】
（ステップＳ６２０−３）
メインＣＰＵ３００ａは、上記ステップＳ６２０−１で更新した特別図柄変動ベースカウンタのカウンタ値が「０」であるかを判定する。その結果、カウンタ値が「０」であった場合にはステップＳ６２０−５に処理を移し、カウンタ値が「０」ではなかった場合にはステップＳ６２０−９に処理を移す。
【０２５０】
（ステップＳ６２０−５）
メインＣＰＵ３００ａは、上記ステップＳ６１０−１５で設定された特別図柄変動タイマのタイマ値を所定値減算する特別図柄変動タイマ更新処理を行う。
【０２５１】
（ステップＳ６２０−７）
メインＣＰＵ３００ａは、上記ステップＳ６２０−５で更新した特別図柄変動タイマのタイマ値が「０」であるかを判定する。その結果、タイマ値が「０」であった場合にはステップＳ６２０−１５に処理を移し、タイマ値が「０」ではなかった場合にはステップＳ６２０−９に処理を移す。
【０２５２】
（ステップＳ６２０−９）
メインＣＰＵ３００ａは、第１特別図柄表示器１６０および第２特別図柄表示器１６２を構成する７セグの各セグメントの点灯時間を計時する特別図柄表示タイマを更新する。具体的には、特別図柄表示タイマのタイマ値が「０」であった場合には、所定のタイマ値がセットされ、タイマ値が「１」以上であった場合には、現在のタイマ値から「１」減算した値にタイマ値を更新する。
【０２５３】
（ステップＳ６２０−１１）
メインＣＰＵ３００ａは、特別図柄表示タイマのタイマ値が「０」であるかを判定する。その結果、特別図柄表示タイマのタイマ値が「０」であると判定した場合にはステップＳ６２０−１３に処理を移し、特別図柄表示タイマのタイマ値が「０」でないと判定した場合には当該特別図柄変動中処理を終了する。
【０２５４】
（ステップＳ６２０−１３）
メインＣＰＵ３００ａは、更新対象の特別図柄表示図柄カウンタのカウンタ値を更新する。これにより、７セグを構成する各セグメントが、所定時間おきに順次点灯することとなる。
【０２５５】
（ステップＳ６２０−１５）
メインＣＰＵ３００ａは、特別遊技管理フェーズを「０２Ｈ」に更新する。
【０２５６】
（ステップＳ６２０−１７）
メインＣＰＵ３００ａは、対象の特別図柄表示図柄カウンタに、上記ステップＳ６１０−１３で決定した特別図柄停止図柄番号（カウンタ値）をセーブする。これにより、第１特別図柄表示器１６０または第２特別図柄表示器１６２に、決定された特別図柄が停止表示されることとなる。
【０２５７】
（ステップＳ６２０−１９）
メインＣＰＵ３００ａは、第１特別図柄表示器１６０または第２特別図柄表示器１６２に特別図柄が停止表示されたことを示す特図停止指定コマンドを送信バッファにセットする。
【０２５８】
（ステップＳ６２０−２１）
メインＣＰＵ３００ａは、特別図柄を停止表示する時間である特別図柄変動停止時間を特別遊技タイマにセットし、当該特別図柄変動中処理を終了する。
【０２５９】
図２８は、主制御基板３００における特別図柄停止図柄表示処理を説明するフローチャートである。この特別図柄停止図柄表示処理は、特別遊技管理フェーズが「０２Ｈ」であった場合に実行される。
【０２６０】
（ステップＳ６３０−１）
メインＣＰＵ３００ａは、上記ステップＳ６２０−２１でセットした特別遊技タイマのタイマ値が「０」でないかを判定する。その結果、特別遊技タイマのタイマ値が「０」ではないと判定した場合には当該特別図柄停止図柄表示処理を終了し、特別遊技タイマのタイマ値が「０」であると判定した場合にはステップＳ６３０−３に処理を移す。
【０２６１】
（ステップＳ６３０−３）
メインＣＰＵ３００ａは、大役抽選の結果を確認する。
【０２６２】
（ステップＳ６３０−５）
メインＣＰＵ３００ａは、大役抽選の結果が大当たりであるかを判定する。その結果、大当たりであると判定した場合にはステップＳ６３０−１７に処理を移し、大当たりではないと判定した場合にはステップＳ６３０−７に処理を移す。
【０２６３】
（ステップＳ６３０−７）
メインＣＰＵ３００ａは、回数切り管理処理を実行する。ここでは、特別図柄確率状態フラグをロードして、現在の遊技状態が低確率遊技状態であるか高確率遊技状態であるかを確認する。そして、遊技状態が高確率遊技状態であった場合には、高確回数切りカウンタのカウンタ値を、現在のカウンタ値から「１」減算した値に更新する。なお、高確回数切りカウンタを更新した結果、カウンタ値が「０」になった場合には、低確率遊技状態に対応する特別図柄確率状態フラグをセットする。これにより、高確率遊技状態において、大当たりに当選することなく、特別図柄が所定回数確定したところで、遊技状態が低確率遊技状態に移行することとなる。
【０２６４】
また、ここでは、遊技状態が非時短遊技状態であるか時短遊技状態であるかを識別するための普通図柄時短状態フラグをロードして、現在の遊技状態が非時短遊技状態であるか時短遊技状態であるかを確認する。そして、遊技状態が時短遊技状態であった場合には、時短回数切りカウンタのカウンタ値を、現在のカウンタ値から「１」減算した値に更新する。なお、時短回数切りカウンタを更新した結果、カウンタ値が「０」になった場合には、非時短遊技状態に対応する普通図柄時短状態フラグをセットする。これにより、時短遊技状態において、大当たりに当選することなく、特別図柄が所定回数確定したところで、遊技状態が非時短遊技状態に移行することとなる。
【０２６５】
（ステップＳ６３０−９）
メインＣＰＵ３００ａは、変動状態更新処理を実行する。ここでは、現在、変動状態が特殊変動状態であるかを判定する。そして、特殊変動状態であると判定した場合には、特殊変動回数カウンタのカウンタ値を確認し、特殊変動状態から通常変動状態に切り替えるか否かを判定する。その結果、通常変動状態に切り替えると判定した場合、すなわち、特殊変動状態における最後の特別図柄の変動表示が終了したと判定した場合には、変動状態識別フラグを通常変動状態用のフラグに更新する。
【０２６６】
（ステップＳ６３０−１１）
メインＣＰＵ３００ａは、特別図柄が確定したときの遊技状態を示す特図確定時遊技状態確認指定コマンドを送信バッファにセットする。
【０２６７】
（ステップＳ６３０−１３）
メインＣＰＵ３００ａは、上記ステップＳ６３０−７で更新した高確回数および時短回数を副制御基板３３０に伝達するための回数コマンドを送信バッファにセットする。
【０２６８】
（ステップＳ６３０−１５）
メインＣＰＵ３００ａは、特別遊技管理フェーズを「００Ｈ」に更新し、当該特別図柄停止図柄表示処理を終了する。これにより、１の保留に基づく特別遊技管理処理が終了し、特１保留または特２保留が記憶されている場合には、次の保留に基づく特別図柄の変動表示を開始するための処理が行われることとなる。
【０２６９】
（ステップＳ６３０−１７）
メインＣＰＵ３００ａは、確定した特別図柄の種別に応じて、特別電動役物作動ラムセットテーブルのデータをセットする。
【０２７０】
（ステップＳ６３０−１９）
メインＣＰＵ３００ａは、特別電動役物最大作動回数設定処理を行う。具体的には、上記ステップＳ６３０−１７でセットしたデータを参照し、特別電動役物最大作動回数カウンタに、カウンタ値として所定数（特別図柄の種別に対応するカウンタ値＝ラウンド数）をセットする。なお、この特別電動役物最大作動回数カウンタは、これから開始する大役遊技において実行可能なラウンド数を示すものである。一方、メインＲＡＭ３００ｃには、特別電動役物連続作動回数カウンタが設けられており、各ラウンド遊技の開始時に、特別電動役物連続作動回数カウンタのカウンタ値を「１」加算することで、現在のラウンド遊技数が管理される。ここでは、大役遊技の開始に伴って、この特別電動役物連続作動回数カウンタのカウンタ値をリセット（「０」に更新）する処理が併せて実行される。
【０２７１】
（ステップＳ６３０−２１）
メインＣＰＵ３００ａは、上記ステップＳ６３０−１７でセットしたデータを参照し、特別遊技タイマに、タイマ値として所定のオープニング時間をセーブする。
【０２７２】
（ステップＳ６３０−２３）
メインＣＰＵ３００ａは、大役遊技の開始を副制御基板３３０に伝達するためのオープニング指定コマンドを送信バッファにセットする。
【０２７３】
（ステップＳ６３０−２５）
メインＣＰＵ３００ａは、特別遊技管理フェーズを「０３Ｈ」に更新し、当該特別図柄停止図柄表示処理を終了する。これにより、大役遊技が開始されることとなる。
【０２７４】
図２９は、主制御基板３００における大入賞口開放前処理を説明するフローチャートである。この大入賞口開放前処理は、特別遊技管理フェーズが「０３Ｈ」であった場合に実行される。
【０２７５】
（ステップＳ６４０−１）
メインＣＰＵ３００ａは、上記ステップＳ６３０−２１でセットした特別遊技タイマのタイマ値が「０」でないかを判定する。その結果、特別遊技タイマのタイマ値が「０」ではないと判定した場合には当該大入賞口開放前処理を終了し、特別遊技タイマのタイマ値が「０」であると判定した場合にはステップＳ６４０−３に処理を移す。
【０２７６】
（ステップＳ６４０−３）
メインＣＰＵ３００ａは、特別電動役物連続作動回数カウンタのカウンタ値を、現在のカウンタ値に「１」加算した値に更新する。
【０２７７】
（ステップＳ６４０−５）
メインＣＰＵ３００ａは、大入賞口１２８の開放開始（ラウンド遊技の開始）を副制御基板３３０に伝達するための大入賞口開放指定コマンドを送信バッファにセットする。
【０２７８】
（ステップＳ６４１）
メインＣＰＵ３００ａは、大入賞口開閉切替処理を実行する。この大入賞口開閉切替処理については後述する。
【０２７９】
（ステップＳ６４０−７）
メインＣＰＵ３００ａは、特別遊技管理フェーズを「０４Ｈ」に更新し、当該大入賞口開放前処理を終了する。
【０２８０】
図３０は、主制御基板３００における大入賞口開閉切替処理を説明するフローチャートである。
【０２８１】
（ステップＳ６４１−１）
メインＣＰＵ３００ａは、特別電動役物開閉切替回数カウンタのカウンタ値が、特別電動役物開閉切替回数（１回のラウンド遊技中における大入賞口１２８の開閉回数）の上限値であるかを判定する。その結果、カウンタ値が上限値であると判定した場合には当該大入賞口開閉切替処理を終了し、カウンタ値は上限値ではないと判定した場合にはステップＳ６４１−３に処理を移す。
【０２８２】
（ステップＳ６４１−３）
メインＣＰＵ３００ａは、特別電動役物作動ラムセットテーブルのデータを参照し、特別電動役物開閉切替回数カウンタのカウンタ値に基づいて、大入賞口ソレノイド１２８ｃを通電制御するためのソレノイド制御データ、および、大入賞口ソレノイド１２８ｃの通電時間もしくは通電停止時間であるタイマデータを抽出する。
【０２８３】
（ステップＳ６４１−５）
メインＣＰＵ３００ａは、上記ステップＳ６４１−３で抽出したソレノイド制御データに基づいて、大入賞口ソレノイド１２８ｃの通電を開始するか、もしくは、大入賞口ソレノイド１２８ｃの通電を停止するための大入賞口ソレノイド通電制御処理を実行する。この大入賞口ソレノイド通電制御処理の実行により、上記ステップＳ４００−２５およびステップＳ４００−２７において、大入賞口ソレノイド１２８ｃの通電開始もしくは通電停止の制御がなされることとなる。
【０２８４】
（ステップＳ６４１−７）
メインＣＰＵ３００ａは、上記ステップＳ６４１−３で抽出したタイマデータに基づくタイマ値を、特別遊技タイマにセーブする。なお、ここで特別遊技タイマにセーブされるタイマ値は、大入賞口１２８の１回の最大開放時間となる。
【０２８５】
（ステップＳ６４１−９）
メインＣＰＵ３００ａは、大入賞口ソレノイド１２８ｃの通電開始状態か、すなわち、上記ステップＳ６４１−５において、大入賞口ソレノイド１２８ｃの通電を開始する制御処理がなされたかを判定する。その結果、通電開始状態であると判定した場合にはステップＳ６４１−１１に処理を移し、通電開始状態ではないと判定した場合には当該大入賞口開閉切替処理を終了する。
【０２８６】
（ステップＳ６４１−１１）
メインＣＰＵ３００ａは、特別電動役物開閉切替回数カウンタのカウンタ値を、現在のカウンタ値に「１」加算した値に更新し、当該大入賞口開閉切替処理を終了する。
【０２８７】
図３１は、主制御基板３００における大入賞口開放制御処理を説明するフローチャートである。この大入賞口開放制御処理は、特別遊技管理フェーズが「０４Ｈ」であった場合に実行される。
【０２８８】
（ステップＳ６５０−１）
メインＣＰＵ３００ａは、上記ステップＳ６４１−７でセーブした特別遊技タイマのタイマ値が「０」でないかを判定する。その結果、特別遊技タイマのタイマ値が「０」ではないと判定した場合にはステップＳ６５０−５に処理を移し、特別遊技タイマのタイマ値が「０」であると判定した場合にはステップＳ６５０−３に処理を移す。
【０２８９】
（ステップＳ６５０−３）
メインＣＰＵ３００ａは、特別電動役物開閉切替回数カウンタのカウンタ値が、特別電動役物開閉切替回数の上限値であるかを判定する。その結果、カウンタ値が上限値であると判定した場合にはステップＳ６５０−７に処理を移し、カウンタ値は上限値ではないと判定した場合にはステップＳ６４１に処理を移す。
【０２９０】
（ステップＳ６４１）
上記ステップＳ６５０−３において、特別電動役物開閉切替回数カウンタのカウンタ値が、特別電動役物開閉切替回数の上限値ではないと判定した場合には、メインＣＰＵ３００ａは、上記ステップＳ６４１の処理を実行する。
【０２９１】
（ステップＳ６５０−５）
メインＣＰＵ３００ａは、上記ステップＳ５００−９で更新された大入賞口入賞球数カウンタのカウンタ値が規定数に到達していないか、すなわち、大入賞口１２８に、１ラウンド中の最大入賞可能数と同数の遊技球が入球していないかを判定する。その結果、規定数に到達していないと判定した場合には当該大入賞口開放制御処理を終了し、規定数に到達したと判定した場合にはステップＳ６５０−７に処理を移す。
【０２９２】
（ステップＳ６５０−７）
メインＣＰＵ３００ａは、大入賞口ソレノイド１２８ｃの通電を停止して大入賞口１２８を閉鎖するために必要な大入賞口閉鎖処理を実行する。これにより、大入賞口１２８が閉鎖状態となる。
【０２９３】
（ステップＳ６５０−９）
メインＣＰＵ３００ａは、大入賞口閉鎖有効時間（インターバル時間）を特別遊技タイマにセーブする。
【０２９４】
（ステップＳ６５０−１１）
メインＣＰＵ３００ａは、特別遊技管理フェーズを「０５Ｈ」に更新する。
【０２９５】
（ステップＳ６５０−１３）
メインＣＰＵ３００ａは、大入賞口１２８が閉鎖されたことを示す大入賞口閉鎖指定コマンドを送信バッファにセットし、当該大入賞口開放制御処理を終了する。
【０２９６】
図３２は、主制御基板３００における大入賞口閉鎖有効処理を説明するフローチャートである。この大入賞口閉鎖有効処理は、特別遊技管理フェーズが「０５Ｈ」であった場合に実行される。
【０２９７】
（ステップＳ６６０−１）
メインＣＰＵ３００ａは、上記ステップＳ６５０−９でセーブした特別遊技タイマのタイマ値が「０」でないかを判定する。その結果、特別遊技タイマのタイマ値が「０」でないと判定した場合には当該大入賞口閉鎖有効処理を終了し、特別遊技タイマのタイマ値が「０」であると判定した場合にはステップＳ６６０−３に処理を移す。
【０２９８】
（ステップＳ６６０−３）
メインＣＰＵ３００ａは、特別電動役物連続作動回数カウンタのカウンタ値が、特別電動役物最大作動回数カウンタのカウンタ値と一致するか、すなわち、予め設定された回数のラウンド遊技が終了したかを判定する。その結果、特別電動役物連続作動回数カウンタのカウンタ値が、特別電動役物最大作動回数カウンタのカウンタ値と一致すると判定した場合にはステップＳ６６０−９に処理を移し、一致しないと判定した場合にはステップＳ６６０−５に処理を移す。
【０２９９】
（ステップＳ６６０−５）
メインＣＰＵ３００ａは、特別遊技管理フェーズを「０３Ｈ」に更新する。
【０３００】
（ステップＳ６６０−７）
メインＣＰＵ３００ａは、所定の大入賞口閉鎖時間を特別遊技タイマにセーブし、当該大入賞口閉鎖有効処理を終了する。これにより、次のラウンド遊技が開始されることとなる。
【０３０１】
（ステップＳ６６０−９）
メインＣＰＵ３００ａは、エンディング時間を特別遊技タイマにセーブするエンディング時間設定処理を実行する。
【０３０２】
（ステップＳ６６０−１１）
メインＣＰＵ３００ａは、特別遊技管理フェーズを「０６Ｈ」に更新する。
【０３０３】
（ステップＳ６６０−１３）
メインＣＰＵ３００ａは、エンディングの開始を示すエンディング指定コマンドを送信バッファにセットし、当該大入賞口閉鎖有効処理を終了する。
【０３０４】
図３３は、主制御基板３００における大入賞口終了ウェイト処理を説明するフローチャートである。この大入賞口終了ウェイト処理は、特別遊技管理フェーズが「０６Ｈ」であった場合に実行される。
【０３０５】
（ステップＳ６７０−１）
メインＣＰＵ３００ａは、上記ステップＳ６６０−９でセーブした特別遊技タイマのタイマ値が「０」でないかを判定する。その結果、特別遊技タイマのタイマ値が「０」ではないと判定した場合には当該大入賞口終了ウェイト処理を終了し、特別遊技タイマのタイマ値が「０」であると判定した場合にはステップＳ６７０−３に処理を移す。
【０３０６】
（ステップＳ６７０−３）
メインＣＰＵ３００ａは、大役遊技終了後の遊技状態を設定するための状態設定処理を実行する。ここでは、上記ステップＳ６１０−１７でセーブした特別図柄確率状態予備フラグおよび高確回数切り予備カウンタをロードして、状態データをセーブする。また、ここでは、特別図柄（大当たり図柄）の種別に応じて、普通図柄時短状態フラグおよび時短回数切りカウンタに所定の状態データをセーブする。さらに、ここでは、大役遊技の実行契機となった大当たり図柄と、大役遊技の実行前の遊技状態（大当たり当選時の遊技状態）とに基づいて、大役遊技の終了後の変動状態を設定する。また、変動状態が特殊変動状態に設定された場合には、以後、特殊変動状態がどのように切り替わるのかにかかる情報が同時に記憶され、以後、ここで記憶された情報に基づいて、変動状態の切り替え処理がなされることとなる。
【０３０７】
（ステップＳ６７０−５）
メインＣＰＵ３００ａは、大役遊技の終了後に設定される遊技状態を伝達するための遊技状態変化指定コマンドを送信バッファにセットする。
【０３０８】
（ステップＳ６７０−７）
メインＣＰＵ３００ａは、上記ステップＳ６７０−３でセーブした高確回数および時短回数に対応する回数コマンドを送信バッファにセットする。
【０３０９】
（ステップＳ６７０−９）
メインＣＰＵ３００ａは、特別遊技管理フェーズを「００Ｈ」に更新し、当該大入賞口終了ウェイト処理を終了する。これにより、特１保留または特２保留が記憶されている場合には、特別図柄の変動表示が再開されることとなる。
【０３１０】
図３４は、普通遊技管理フェーズを説明する図である。既に説明したとおり、本実施形態では、ゲート１２４への遊技球の通過を契機とする普通遊技に係る処理が、段階的に、かつ、繰り返し実行されるが、主制御基板３００では、こうした普通遊技に係る各処理を普通遊技管理フェーズによって管理している。
【０３１１】
図３４に示すように、メインＲＯＭ３００ｂには、普通遊技を実行制御するための複数の普通遊技制御モジュールが格納されており、これら普通遊技制御モジュールごとに、普通遊技管理フェーズが対応付けられている。具体的には、普通遊技管理フェーズが「００Ｈ」である場合には、「普通図柄変動待ち処理」を実行するためのモジュールがコールされ、普通遊技管理フェーズが「０１Ｈ」である場合には、「普通図柄変動中処理」を実行するためのモジュールがコールされ、普通遊技管理フェーズが「０２Ｈ」である場合には、「普通図柄停止図柄表示処理」を実行するためのモジュールがコールされ、普通遊技管理フェーズが「０３Ｈ」である場合には、「普通電動役物入賞口開放前処理」を実行するためのモジュールがコールされ、普通遊技管理フェーズが「０４Ｈ」である場合には、「普通電動役物入賞口開放制御処理」を実行するためのモジュールがコールされ、普通遊技管理フェーズが「０５Ｈ」である場合には、「普通電動役物入賞口閉鎖有効処理」を実行するためのモジュールがコールされ、普通遊技管理フェーズが「０６Ｈ」である場合には、「普通電動役物入賞口終了ウェイト処理」を実行するためのモジュールがコールされる。
【０３１２】
図３５は、主制御基板３００における普通遊技管理処理（ステップＳ７００）を説明するフローチャートである。
【０３１３】
（ステップＳ７００−１）
メインＣＰＵ３００ａは、普通遊技管理フェーズをロードする。
【０３１４】
（ステップＳ７００−３）
メインＣＰＵ３００ａは、上記ステップＳ７００−１でロードした普通遊技管理フェーズに対応する普通遊技制御モジュールを選択する。
【０３１５】
（ステップＳ７００−５）
メインＣＰＵ３００ａは、上記ステップＳ７００−３で選択した普通遊技制御モジュールをコールして処理を開始する。
【０３１６】
（ステップＳ７００−７）
メインＣＰＵ３００ａは、普通遊技の制御時間を管理する普通遊技タイマをロードする。
【０３１７】
図３６は、主制御基板３００における普通図柄変動待ち処理を説明するフローチャートである。この普通図柄変動待ち処理は、普通遊技管理フェーズが「００Ｈ」であった場合に実行される。
【０３１８】
（ステップＳ７１０−１）
メインＣＰＵ３００ａは、普通図柄保留球数カウンタのカウンタ値をロードし、カウンタ値が「０」であるか、すなわち、普図保留が「０」であるかを判定する。その結果、カウンタ値が「０」であると判定した場合には当該普通図柄変動待ち処理を終了し、カウンタ値は「０」ではないと判定した場合にはステップＳ７１０−３に処理を移す。
【０３１９】
（ステップＳ７１０−３）
メインＣＰＵ３００ａは、普図保留記憶領域の第１記憶部〜第４記憶部に記憶されている普図保留（当たり決定乱数）を、１つ序数の小さい記憶部にブロック転送する。具体的には、第２記憶部〜第４記憶部に記憶されている普図保留を、第１記憶部〜第３記憶部に転送する。また、メインＲＡＭ３００ｃには、処理対象となる第０記憶部が設けられており、第１記憶部に記憶されている普図保留を、第０記憶部に転送する。なお、この普通図柄記憶エリアシフト処理においては、普通図柄保留球数カウンタのカウンタ値を「１」減算するとともに、普図保留が「１」減算したことを示す、普図保留減指定コマンドを送信バッファにセットする。
【０３２０】
（ステップＳ７１０−５）
メインＣＰＵ３００ａは、第０記憶部に転送された当たり決定乱数をロードし、現在の遊技状態に対応する当たり決定乱数判定テーブルを選択して普図抽選を行い、その抽選結果を記憶する普通図柄当たり判定処理を実行する。
【０３２１】
（ステップＳ７１０−７）
メインＣＰＵ３００ａは、上記ステップＳ７１０−５の普図抽選の結果に対応する普通図柄停止図柄番号をセーブする。なお、本実施形態では、普通図柄表示器１６８は１つのＬＥＤランプで構成されており、当たりの場合には普通図柄表示器１６８を点灯させ、ハズレの場合には普通図柄表示器１６８を消灯させる。ここで決定する普通図柄停止図柄番号は、最終的に普通図柄表示器１６８を点灯するか否かを示すものであり、例えば、当たりに当選した場合には、普通図柄停止図柄番号として「０」が決定され、ハズレの場合には、普通図柄停止図柄番号として「１」が決定される。
【０３２２】
（ステップＳ７１０−９）
メインＣＰＵ３００ａは、現在の遊技状態を確認し、対応する普通図柄変動時間データテーブルを選択してセットする。
【０３２３】
（ステップＳ７１０−１１）
メインＣＰＵ３００ａは、上記ステップＳ７１０−３で第０記憶部に転送した当たり決定乱数と、上記ステップＳ７１０−９でセットした普通図柄変動時間データテーブルとに基づいて、普通図柄変動時間を決定する。
【０３２４】
（ステップＳ７１０−１３）
メインＣＰＵ３００ａは、上記ステップＳ７１０−１１で決定した普通図柄変動時間を普通遊技タイマにセーブする。
【０３２５】
（ステップＳ７１０−１５）
メインＣＰＵ３００ａは、普通図柄表示器１６８において、普通図柄の変動表示を開始するために、普通図柄表示図柄カウンタを設定する処理を実行する。この普通図柄表示図柄カウンタに、カウンタ値として例えば「０」が設定されている場合には普通図柄表示器１６８が点灯制御され、カウンタ値として「１」が設定されている場合には普通図柄表示器１６８が消灯制御される。ここでは、普通図柄の変動表示の開始時に所定のカウンタ値が普通図柄表示図柄カウンタに設定されることとなる。
【０３２６】
（ステップＳ７１０−１７）
メインＣＰＵ３００ａは、普図保留記憶領域に記憶されている普図保留数を示す普図保留指定コマンドを送信バッファにセットする。
【０３２７】
（ステップＳ７１０−１９）
メインＣＰＵ３００ａは、上記ステップＳ７１０−７で決定された普通図柄停止図柄番号、すなわち、普通図柄当たり判定処理によって決定された図柄種別（当たり図柄またはハズレ図柄）に基づいて、普通図柄指定コマンドを送信バッファにセットする。
【０３２８】
（ステップＳ７１０−２１）
メインＣＰＵ３００ａは、普通遊技管理フェーズを「０１Ｈ」に更新し、当該普通図柄変動待ち処理を終了する。
【０３２９】
図３７は、主制御基板３００における普通図柄変動中処理を説明するフローチャートである。この普通図柄変動中処理は、普通遊技管理フェーズが「０１Ｈ」であった場合に実行される。
【０３３０】
（ステップＳ７２０−１）
メインＣＰＵ３００ａは、上記ステップＳ７１０−１３でセーブした普通遊技タイマのタイマ値が「０」であるかを判定する。その結果、タイマ値が「０」であった場合にはステップＳ７２０−９に処理を移し、タイマ値が「０」ではなかった場合にはステップＳ７２０−３に処理を移す。
【０３３１】
（ステップＳ７２０−３）
メインＣＰＵ３００ａは、普通図柄表示器１６８の点灯時間および消灯時間を計時する普通図柄表示タイマを更新する。具体的には、普通図柄表示タイマのタイマ値が「０」であった場合には、所定のタイマ値がセットされ、タイマ値が「１」以上であった場合には、現在のタイマ値から「１」減算した値にタイマ値を更新する。
【０３３２】
（ステップＳ７２０−５）
メインＣＰＵ３００ａは、普通図柄表示タイマのタイマ値が「０」であるかを判定する。その結果、普通図柄表示タイマのタイマ値が「０」であると判定した場合にはステップＳ７２０−７に処理を移し、普通図柄表示タイマのタイマ値が「０」でないと判定した場合には当該普通図柄変動中処理を終了する。
【０３３３】
（ステップＳ７２０−７）
メインＣＰＵ３００ａは、普通図柄表示図柄カウンタのカウンタ値を更新する。ここでは、普通図柄表示図柄カウンタのカウンタ値が、普通図柄表示器１６８の消灯を示すカウンタ値であった場合には点灯を示すカウンタ値に更新し、普通図柄表示器１６８の点灯を示すカウンタ値であった場合には消灯を示すカウンタ値に更新し、当該普通図柄変動中処理を終了する。これにより、普通図柄表示器１６８は、普通図柄変動時間にわたって、所定時間おきに点灯、消灯を繰り返す（点滅する）こととなる。
【０３３４】
（ステップＳ７２０−９）
メインＣＰＵ３００ａは、普通図柄表示図柄カウンタに、上記ステップＳ７１０−７で決定した普通図柄停止図柄番号（カウンタ値）をセーブする。これにより、普通図柄表示器１６８が最終的に点灯もしくは消灯制御され、普図抽選の結果が報知されることとなる。
【０３３５】
（ステップＳ７２０−１１）
メインＣＰＵ３００ａは、普通図柄を停止表示する時間である普通図柄変動停止時間を普通遊技タイマにセットする。
【０３３６】
（ステップＳ７２０−１３）
メインＣＰＵ３００ａは、普通図柄の停止表示が開始されたことを示す普図停止指定コマンドを送信バッファにセットする。
【０３３７】
（ステップＳ７２０−１５）
メインＣＰＵ３００ａは、普通遊技管理フェーズを「０２Ｈ」に更新し、当該普通図柄変動中処理を終了する。
【０３３８】
図３８は、主制御基板３００における普通図柄停止図柄表示処理を説明するフローチャートである。この普通図柄停止図柄表示処理は、普通遊技管理フェーズが「０２Ｈ」であった場合に実行される。
【０３３９】
（ステップＳ７３０−１）
メインＣＰＵ３００ａは、上記ステップＳ７２０−１１でセットした普通遊技タイマのタイマ値が「０」でないかを判定する。その結果、普通遊技タイマのタイマ値が「０」ではないと判定した場合には当該普通図柄停止図柄表示処理を終了し、普通遊技タイマのタイマ値が「０」であると判定した場合にはステップＳ７３０−３に処理を移す。
【０３４０】
（ステップＳ７３０−３）
メインＣＰＵ３００ａは、普図抽選の結果を確認する。
【０３４１】
（ステップＳ７３０−５）
メインＣＰＵ３００ａは、普図抽選の結果が当たりであるかを判定する。その結果、当たりであると判定した場合にはステップＳ７３０−９に処理を移し、当たりではない（ハズレである）と判定した場合にはステップＳ７３０−７に処理を移す。
【０３４２】
（ステップＳ７３０−７）
メインＣＰＵ３００ａは、普通遊技管理フェーズを「００Ｈ」に更新し、当該普通図柄停止図柄表示処理を終了する。これにより、１の普図保留に基づく普通遊技管理処理が終了し、普図保留が記憶されている場合には、次の保留に基づく普通図柄の変動表示を開始するための処理が行われることとなる。
【０３４３】
（ステップＳ７３０−９）
メインＣＰＵ３００ａは、開閉制御パターンテーブルのデータを参照し、普通遊技タイマに、タイマ値として普電開放前時間をセーブする。
【０３４４】
（ステップＳ７３０−１１）
メインＣＰＵ３００ａは、普通遊技管理フェーズを「０３Ｈ」に更新し、当該普通図柄停止図柄表示処理を終了する。これにより、第２始動口１２２の開閉制御が開始されることとなる。
【０３４５】
図３９は、主制御基板３００における普通電動役物入賞口開放前処理を説明するフローチャートである。この普通電動役物入賞口開放前処理は、普通遊技管理フェーズが「０３Ｈ」であった場合に実行される。
【０３４６】
（ステップＳ７４０−１）
メインＣＰＵ３００ａは、上記ステップＳ７３０−９でセットした普通遊技タイマのタイマ値が「０」でないかを判定する。その結果、普通遊技タイマのタイマ値が「０」ではないと判定した場合には当該普通電動役物入賞口開放前処理を終了し、普通遊技タイマのタイマ値が「０」であると判定した場合にはステップＳ７４１に処理を移す。
【０３４７】
（ステップＳ７４１）
メインＣＰＵ３００ａは、普通電動役物入賞口開閉切替処理を実行する。この普通電動役物入賞口開閉切替処理については後述する。
【０３４８】
（ステップＳ７４０−３）
メインＣＰＵ３００ａは、普通遊技管理フェーズを「０４Ｈ」に更新し、当該普通電動役物入賞口開放前処理を終了する。
【０３４９】
図４０は、主制御基板３００における普通電動役物入賞口開閉切替処理を説明するフローチャートである。
【０３５０】
（ステップＳ７４１−１）
メインＣＰＵ３００ａは、普通電動役物開閉切替回数カウンタのカウンタ値が、普通電動役物開閉切替回数（１回の開閉制御中における第２始動口１２２の可動片１２２ｂの開閉回数）の上限値であるかを判定する。その結果、カウンタ値が上限値であると判定した場合には当該普通電動役物入賞口開閉切替処理を終了し、カウンタ値は上限値ではないと判定した場合にはステップＳ７４１−３に処理を移す。
【０３５１】
（ステップＳ７４１−３）
メインＣＰＵ３００ａは、開閉制御パターンテーブルのデータを参照し、普通電動役物開閉切替回数カウンタのカウンタ値に基づいて、普通電動役物ソレノイド１２２ｃを通電制御するためのソレノイド制御データ（通電制御データまたは通電停止制御データ）、および、普通電動役物ソレノイド１２２ｃの通電時間（ソレノイド通電時間）もしくは通電停止時間（普電閉鎖有効時間＝休止時間）であるタイマデータを抽出する。
【０３５２】
（ステップＳ７４１−５）
メインＣＰＵ３００ａは、上記ステップＳ７４１−３で抽出したソレノイド制御データに基づいて、普通電動役物ソレノイド１２２ｃの通電を開始するか、もしくは、普通電動役物ソレノイド１２２ｃの通電を停止するための普通電動役物ソレノイド通電制御処理を実行する。この普通電動役物ソレノイド通電制御処理の実行により、上記ステップＳ４００−２５およびステップＳ４００−２７において、普通電動役物ソレノイド１２２ｃの通電開始もしくは通電停止の制御がなされることとなる。
【０３５３】
（ステップＳ７４１−７）
メインＣＰＵ３００ａは、上記ステップＳ７４１−３で抽出したタイマデータに基づくタイマ値を、普通遊技タイマにセーブする。なお、ここで普通遊技タイマにセーブされるタイマ値は、第２始動口１２２の１回の最大開放時間となる。
【０３５４】
（ステップＳ７４１−９）
メインＣＰＵ３００ａは、普通電動役物ソレノイド１２２ｃの通電開始状態か、すなわち、上記ステップＳ７４１−５において、普通電動役物ソレノイド１２２ｃの通電を開始する制御処理がなされたかを判定する。その結果、通電開始状態であると判定した場合にはステップＳ７４１−１１に処理を移し、通電開始状態ではないと判定した場合には当該普通電動役物入賞口開閉切替処理を終了する。
【０３５５】
（ステップＳ７４１−１１）
メインＣＰＵ３００ａは、普通電動役物開閉切替回数カウンタのカウンタ値を、現在のカウンタ値に「１」加算した値に更新し、当該普通電動役物入賞口開閉切替処理を終了する。
【０３５６】
図４１は、主制御基板３００における普通電動役物入賞口開放制御処理を説明するフローチャートである。この普通電動役物入賞口開放制御処理は、普通遊技管理フェーズが「０４Ｈ」であった場合に実行される。
【０３５７】
（ステップＳ７５０−１）
メインＣＰＵ３００ａは、上記ステップＳ７４１−７でセーブした普通遊技タイマのタイマ値が「０」でないかを判定する。その結果、普通遊技タイマのタイマ値が「０」ではないと判定した場合にはステップＳ７５０−５に処理を移し、普通遊技タイマのタイマ値が「０」であると判定した場合にはステップＳ７５０−３に処理を移す。
【０３５８】
（ステップＳ７５０−３）
メインＣＰＵ３００ａは、普通電動役物開閉切替回数カウンタのカウンタ値が、普通電動役物開閉切替回数の上限値であるかを判定する。その結果、カウンタ値が上限値であると判定した場合にはステップＳ７５０−７に処理を移し、カウンタ値は上限値ではないと判定した場合にはステップＳ７４１に処理を移す。
【０３５９】
（ステップＳ７４１）
上記ステップＳ７５０−３において、普通電動役物開閉切替回数カウンタのカウンタ値が、普通電動役物開閉切替回数の上限値ではないと判定した場合には、メインＣＰＵ３００ａは、上記ステップＳ７４１の処理を実行する。
【０３６０】
（ステップＳ７５０−５）
メインＣＰＵ３００ａは、上記ステップＳ５３０−９で更新された普通電動役物入賞球数カウンタのカウンタ値が規定数に到達していないか、すなわち、第２始動口１２２に、１回の開閉制御中の最大入賞可能数と同数の遊技球が入球していないかを判定する。その結果、規定数に到達していないと判定した場合には当該普通電動役物入賞口開放制御処理を終了し、規定数に到達したと判定した場合にはステップＳ７５０−７に処理を移す。
【０３６１】
（ステップＳ７５０−７）
メインＣＰＵ３００ａは、普通電動役物ソレノイド１２２ｃの通電を停止して第２始動口１２２を閉鎖するために必要な普通電動役物閉鎖処理を実行する。これにより、第２始動口１２２が閉鎖状態となる。
【０３６２】
（ステップＳ７５０−９）
メインＣＰＵ３００ａは、普電有効状態時間を普通遊技タイマにセーブする。
【０３６３】
（ステップＳ７５０−１１）
メインＣＰＵ３００ａは、普通遊技管理フェーズを「０５Ｈ」に更新し、当該普通電動役物入賞口開放制御処理を終了する。
【０３６４】
図４２は、主制御基板３００における普通電動役物入賞口閉鎖有効処理を説明するフローチャートである。この普通電動役物入賞口閉鎖有効処理は、普通遊技管理フェーズが「０５Ｈ」であった場合に実行される。
【０３６５】
（ステップＳ７６０−１）
メインＣＰＵ３００ａは、上記ステップＳ７５０−９でセーブした普通遊技タイマのタイマ値が「０」でないかを判定する。その結果、普通遊技タイマのタイマ値が「０」ではないと判定した場合には当該普通電動役物入賞口閉鎖有効処理を終了し、普通遊技タイマのタイマ値が「０」であると判定した場合にはステップＳ７６０−３に処理を移す。
【０３６６】
（ステップＳ７６０−３）
メインＣＰＵ３００ａは、普電終了ウェイト時間を普通遊技タイマにセーブする。
【０３６７】
（ステップＳ７６０−５）
メインＣＰＵ３００ａは、普通遊技管理フェーズを「０６Ｈ」に更新し、当該普通電動役物入賞口閉鎖有効処理を終了する。
【０３６８】
図４３は、主制御基板３００における普通電動役物入賞口終了ウェイト処理を説明するフローチャートである。この普通電動役物入賞口終了ウェイト処理は、普通遊技管理フェーズが「０６Ｈ」であった場合に実行される。
【０３６９】
（ステップＳ７７０−１）
メインＣＰＵ３００ａは、上記ステップＳ７６０−３でセーブした普通遊技タイマのタイマ値が「０」でないかを判定する。その結果、普通遊技タイマのタイマ値が「０」ではないと判定した場合には当該普通電動役物入賞口終了ウェイト処理を終了し、普通遊技タイマのタイマ値が「０」であると判定した場合にはステップＳ７７０−３に処理を移す。
【０３７０】
（ステップＳ７７０−３）
メインＣＰＵ３００ａは、普通遊技管理フェーズを「００Ｈ」に更新し、当該普通電動役物入賞口終了ウェイト処理を終了する。これにより、普図保留が記憶されている場合には、普通図柄の変動表示が再開されることとなる。
【０３７１】
以上のように、主制御基板３００において各種の処理が実行されることにより、特別遊技および普通遊技が進行することとなるが、こうした遊技の進行中には、主制御基板３００から送信されるコマンドに基づいて、副制御基板３３０において、さまざまな演出を実行するための制御が行われる。以下では、大役抽選の抽選結果を報知する変動演出について説明する。
【０３７２】
なお、詳しい説明は省略するが、本実施形態では、変動演出の態様を分類するための演出モードが複数設けられている。副制御基板３３０においては、これら複数の演出モードの中から、主制御基板３００で設定されている遊技状態等に応じて、いずれかの演出モードが設定され、当該設定されている演出モードに対応する変動演出の態様が決定される。具体的には、演出表示部２００ａに表示される背景画像や、演出図柄２１０ａ、２１０ｂ、２１０ｃの表示パターン等が、演出モードごとに多数設けられている。そして、変動演出の態様を決定する際には、設定されている演出モードを参照するとともに、当該設定中の演出モードに対応する背景画像や演出図柄２１０ａ、２１０ｂ、２１０ｃの表示パターンの中から、いずれかの表示パターンが決定される。したがって、演出表示部２００ａには、主制御基板３００において設定されている遊技状態に応じて異なる画像が表示されることとなり、遊技者は、演出表示部２００ａに表示される画像によって、現在の遊技状態、例えば、高確率遊技状態であるか低確率遊技状態であるかを把握することが可能となる。ここでは、所定の遊技状態、演出モードに設定されている場合の演出について説明する。
【０３７３】
（演出の一例）
図４４は、リーチなし変動パターンの変動演出の一例を説明する図である。上記のように、主制御基板３００において大役抽選が行われると、特別図柄の変動表示中、すなわち、特別図柄の変動時間に亘って、大役抽選の結果を報知する変動演出が実行される。この変動演出においては、演出表示部２００ａにおいて種々の背景画像が表示されるとともに、この背景画像に重畳して、演出図柄２１０ａ、２１０ｂ、２１０ｃが変動表示（スクロール表示）される。そして、最終的に演出表示部２００ａに停止表示された演出図柄２１０ａ、２１０ｂ、２１０ｃの組み合わせ表示態様によって、大役抽選の結果が遊技者に報知されることとなる。なお、変動演出中は、演出表示部２００ａに表示される画像に伴って、音声出力装置２０６から音声が出力されるとともに、演出照明装置２０４が点灯制御され、また、演出役物装置２０２が可動制御される。
【０３７４】
本実施形態の変動演出は、リーチなし変動パターン、リーチ変動パターンに大別される。また、リーチ変動パターンは、ノーマルリーチ変動パターンと擬似連続リーチ変動パターンとに大別される。リーチなし変動パターンの変動演出では、演出表示部２００ａに背景画像（図示を省略）が表示されるとともに、この背景画像に演出図柄２１０ａ、２１０ｂ、２１０ｃが重畳して変動表示される。例えば、図４４（ａ）に示すように、大役抽選結果がハズレであったことを示す組み合わせで演出図柄２１０ａ、２１０ｂ、２１０ｃが停止表示されているとする。この状態で、新たに特別図柄の変動表示が行われると、当該特別図柄の変動表示の開始に伴って、図４４（ｂ）に示すように、３つの演出図柄２１０ａ、２１０ｂ、２１０ｃが変動表示（スクロール表示）を開始する。なお、図中下向きの矢印は、演出図柄２１０ａ、２１０ｂ、２１０ｃが縦方向にスクロール表示されていることを示している。
【０３７５】
そして、図４４（ｃ）に示すように、まず、演出図柄２１０ａが停止表示され、その後、図４４（ｄ）に示すように、演出図柄２１０ａと異なる図柄（態様）で演出図柄２１０ｃが停止表示される。そして、特別図柄の変動表示が終了して、第１特別図柄表示器１６０または第２特別図柄表示器１６２に特別図柄が停止表示するのとほぼ同じタイミングで、図４４（ｅ）に示すように、演出図柄２１０ｂが停止表示され、このとき停止表示されている３つの演出図柄２１０ａ、２１０ｂ、２１０ｃの組み合わせによって、大役抽選結果が遊技者に報知される。
【０３７６】
なお、本実施形態では、大当たり当選時には、３つの演出図柄２１０ａ、２１０ｂ、２１０ｃが全て同一の図柄（態様）で停止表示され、その後に大役遊技が実行される。一方、大役抽選結果がハズレであった場合には、３つの演出図柄２１０ａ、２１０ｂ、２１０ｃが全て同一の図柄（態様）で停止表示されることはない。
【０３７７】
図４５は、ノーマルリーチ変動パターンの変動演出の一例を説明する図である。ノーマルリーチ変動パターンの変動演出は、リーチなし変動パターンの変動演出と同様に、特別図柄の変動表示の開始に伴って、演出図柄２１０ａ、２１０ｂ、２１０ｃの変動表示が開始され、図４５（ａ）に示すように、演出図柄２１０ａがまず停止表示される。その後、図４５（ｂ）に示すように、演出図柄２１０ａと同一の図柄（態様）で演出図柄２１０ｃが停止表示される。
【０３７８】
このように、演出表示部２００ａにおいて、演出図柄２１０ａ、２１０ｃが同一の図柄（態様）となる「リーチ態様」で表示されると、図４５（ｃ）に示すように、演出表示部２００ａにおいて、演出図柄２１０ａ、２１０ｃに重畳して「リーチ」と表示される。その後、図４５（ｄ）に示すように、演出図柄２１０ｂが変動表示を継続したまま、演出表示部２００ａに泡が表示される等のリーチ後予告演出が実行される。そして、その後、演出表示部２００ａには、図４５（ｅ）に示すように、所定の動画（リーチ発展演出）が再生表示されるとともに、最終的に、演出図柄２１０ａ、２１０ｂ、２１０ｃが停止表示されて大役抽選結果が遊技者に報知されることとなる。
【０３７９】
なお、リーチ後予告演出とは、演出表示部２００ａにおいて演出図柄２１０ａ、２１０ｃがリーチ態様となってから、リーチ発展演出が実行されるまでの間に行われる演出であり、複数の実行パターンが設けられている。ただし、こうしたリーチ後予告演出は必ず実行されるとは限らず、リーチ後予告演出が実行されずに、リーチ発展演出が実行されることもある。
【０３８０】
次に、擬似連続リーチ変動パターンの変動演出について説明する。擬似連続リーチ変動パターンは、主変動演出画像（演出図柄２１０ａ、２１０ｂ、２１０ｃの変動表示画像）が複数回繰り返して演出表示部２００ａに表示されるものであり、主変動演出画像の繰り返し表示回数によって、当該変動演出で最終的に大当たりの当選が報知される期待度（以下、「信頼度」という）の示唆がなされる。
【０３８１】
図４６は、擬似連続リーチ変動パターンを説明する図である。この擬似連続リーチ変動パターンは、上記のノーマルリーチ変動パターンの変動演出と同様に、特別図柄の変動表示の開始に伴って、演出図柄２１０ａ、２１０ｂ、２１０ｃの変動表示が開始される。そして、図４６（ａ）に示すように、演出図柄２１０ａ、２１０ｃがリーチ態様で表示されるとともに、演出図柄２１０ａ、２１０ｃに重畳して「リーチ」と表示される。その後、図４６（ｂ）に示すように、リーチ後予告演出が実行されるとともに、図４６（ｃ）に示すように、演出図柄２１０ｂに代えて特殊図柄２１０ｄが演出表示部２００ａに仮停止表示される。この特殊図柄２１０ｄは、通常スクロール表示される演出図柄２１０ａ、２１０ｂ、２１０ｃのいずれにも含まれていない図柄であり、再変動表示を示唆する「継続」という文字が記されている。
【０３８２】
このようにして特殊図柄２１０ｄが仮停止表示されると、図４６（ｄ）に示すように、演出図柄２１０ａ、２１０ｂ、２１０ｃが再度変動表示される。その後、図４６（ｅ）に示すように、再度、演出図柄２１０ａ、２１０ｃがリーチ態様で表示されるとともに、演出図柄２１０ａ、２１０ｃに重畳して「リーチ」と表示される。そして、図４６（ｆ）に示すように、演出表示部２００ａに所定のキャラクタ画像が表示されるリーチ後予告演出が実行され、図４６（ｇ）に示すように、再び特殊図柄２１０ｄが演出表示部２００ａに仮停止表示される。
【０３８３】
その後、図４６（ｈ）に示すように、演出図柄２１０ａ、２１０ｂ、２１０ｃが再度変動表示され、図４６（ｉ）に示すように、演出図柄２１０ａ、２１０ｃがリーチ態様で表示されるとともに、演出図柄２１０ａ、２１０ｃに重畳して「リーチ」と表示される。そして、図４６（ｊ）に示すように、演出表示部２００ａに所定のキャラクタ画像が表示されるリーチ後予告演出が実行された後、上記のノーマルリーチ変動パターンと同様に、演出表示部２００ａに動画が表示されてリーチ発展演出が行われる（図４５（ｅ）参照）。
【０３８４】
ここでは、演出図柄２１０ａ、２１０ｂ、２１０ｃの変動表示が３回行われる場合について説明したが、演出図柄２１０ａ、２１０ｂ、２１０ｃの変動表示の回数は２〜４回のいずれかに設定されている。以下では、変動表示の回数が２回の擬似連続リーチ変動パターンを「擬似２」、変動表示の回数が３回の擬似連続リーチ変動パターンを「擬似３」、変動表示の回数が４回の擬似連続リーチ変動パターンを「擬似４」と呼ぶ場合がある。なお、擬似２、擬似４の擬似連続リーチ変動パターンの変動演出は、演出図柄２１０ａ、２１０ｂ、２１０ｃの変動表示の回数のみが上記の擬似３の場合と異なり、その他の演出の流れに差異はない。
【０３８５】
次に、上記の擬似連続リーチ変動パターンを含む変動演出の実行態様の決定方法について説明する。
【０３８６】
図４７は、変動演出決定テーブルを説明する図であり、図４７（ａ）には前半変動演出決定テーブルを示し、図４７（ｂ）には後半変動演出決定テーブルを示す。上記したように、主制御基板３００において大役抽選が行われると、大役抽選の結果に基づいて、変動モードコマンドおよび変動パターンコマンドが決定され、決定された各コマンドが副制御基板３３０に送信される。副制御基板３３０においては、変動モードコマンドを受信すると、０〜２４９の範囲から１の演出乱数を取得するとともに、前半変動演出決定テーブルを参照して、取得した演出乱数と、受信した変動モードコマンドとに基づいて、前半の変動演出の実行態様を決定する。また、変動パターンコマンドを受信すると、０〜２４９の範囲から１の演出乱数を取得するとともに、後半変動演出決定テーブルを参照して、取得した演出乱数と、受信した変動パターンコマンドとに基づいて、後半の変動演出の実行態様を決定する。なお、図４７においては、前半変動演出決定テーブルおよび後半変動演出決定テーブルの一部のみを抽出して示している。
【０３８７】
図４７に示すように、前半変動演出決定テーブルによれば、変動モード番号（変動モードコマンド）ごとに、前半の変動演出の実行態様についての選択比率がそれぞれ設定され、後半変動演出決定テーブルによれば、変動パターン番号（変動パターンコマンド）ごとに、後半の変動演出の実行態様についての選択比率がそれぞれ設定されている。そして、決定された前半および後半の変動演出の実行態様を組み合わせて実行することで、１回の変動演出が実行されることとなる。
【０３８８】
リーチなし変動パターンの変動演出は、前半の実行態様として、前半の変動演出を実行しないことを示す「なし」が決定され、後半の実行態様として、リーチなし変動パターンに対応する「ノーマルハズレ１」、「ノーマルハズレ２」、「特殊ハズレ１」、「特殊ハズレ２」が決定された場合に実行される。例えば、前半の変動演出が実行されないことを示す「０１Ｈ」の変動モード番号に対応する変動モードコマンドを受信すると、副制御基板３３０では、必ず、前半の実行態様として「なし」が決定される。また、このとき、同時に受信し得る変動パターンコマンドには、「ノーマルハズレ１」、「ノーマルハズレ２」、「特殊ハズレ１」、「特殊ハズレ２」のいずれかのみが決定されるように、後半変動演出決定テーブルにおいて選択比率の設定がなされている。したがって、前半の実行態様として「なし」が決定され、後半の実行態様として「ノーマルハズレ１」、「ノーマルハズレ２」、「特殊ハズレ１」、「特殊ハズレ２」が決定されることで、変動演出の実行態様は、上記のリーチなし変動パターンに決定されることとなる。
【０３８９】
一方、リーチ変動パターンの変動演出は、前半の実行態様として「なし」以外が決定され、後半の実行態様として、いずれかのリーチ発展演出（図中、発展１〜５で示す）が決定された場合に実行される。換言すれば、演出表示部２００ａにおいて、リーチ変動パターンの変動演出が実行される場合には、必ず、変動モード番号＝０１Ｈ以外の変動モード番号に対応する変動モードコマンドを受信しており、発展１〜５のいずれかが決定される変動パターン番号に対応する変動パターンコマンドを受信していることとなる。
【０３９０】
ここで、図４７（ａ）において、前半の実行態様における「ノーマルリーチ１」や「ノーマルリーチ２」等は、それぞれ、ノーマルリーチ変動パターンの変動演出のうち、演出図柄２１０ａ、２１０ｂ、２１０ｃがリーチ態様になるまで、より詳細には、リーチ発展演出が開始されるまでの、演出表示部２００ａに表示される背景画像や演出図柄２１０ａ、２１０ｂ、２１０ｃの変動表示パターンを示している。これらの画像パターンは、変動モード番号に対応付けられた特別図柄の変動表示の時間と一致するように予め設計されており、例えば、「ノーマルリーチ１」が決定されると、図４５（ａ）〜（ｄ）に示す画像（リーチ後予告演出を除く）が演出表示部２００ａに表示されることとなる。
【０３９１】
また、図４７（ａ）において、前半の実行態様における「擬似２ａ」等は、擬似連続リーチ変動パターンの変動演出のうち、リーチ発展演出が開始されるまでの、演出表示部２００ａに表示される主変動演出画像の表示パターンを示している。例えば、「擬似２ａ」は、演出図柄２１０ａ、２１０ｂ、２１０ｃの変動表示回数が２回である「擬似２」の擬似連続リーチ変動パターンであって、主変動演出画像が表示パターンａであることを示している。また、「擬似３ｂ」は、演出図柄２１０ａ、２１０ｂ、２１０ｃの変動表示回数が３回である「擬似３」の擬似連続リーチ変動パターンであって、主変動演出画像が表示パターンｂであることを示している。
【０３９２】
なお、図４７に示す前半変動演出決定テーブルおよび後半変動演出決定テーブルにおいては、リーチなし変動パターンの変動演出は、大役抽選の結果がハズレであった場合にのみ実行されるように、選択比率の設定がなされている。また、ノーマルリーチ変動パターンおよび擬似連続リーチ変動パターンは、ハズレ時および大当たり時の双方で決定されるが、ノーマルリーチ変動パターンは、擬似連続リーチ変動パターンよりも、ハズレ時の選択比率が高く、大当たり時の選択比率が低く設定されている。このように、ハズレ時と大当たり時とで選択比率を設定することにより、擬似連続リーチ変動パターンは、ノーマルリーチ変動パターンよりも、信頼度が高く設定されることとなる。
【０３９３】
さらに、擬似連続リーチ変動パターンの中でも、擬似回数が多くなるほど、大当たり時の選択比率が高く、ハズレ時の選択比率が低く設定されており、擬似回数が多くなるほど、信頼度が高くなるように設定がなされている。
【０３９４】
以上のように、副制御基板３３０においては、変動モードコマンドおよび変動パターンコマンドを受信すると、変動演出決定テーブルを参照して変動演出の実行態様が決定される。また、変動演出中には、さまざまなタイミングで予告演出が実行されるが、各タイミングで実行される予告演出ごとに、その実行可否や実行パターンが決定される。例えば、変動演出の実行態様として、ノーマルリーチ変動パターンまたは擬似連続リーチ変動パターンが決定された場合には、演出図柄２１０ａ、２１０ｃがリーチ態様となった後に、リーチ後予告演出を実行するか否か、リーチ後予告演出を実行する場合には、その実行パターンが決定される。
【０３９５】
なお、擬似連続リーチ変動パターンの変動演出は、主変動演出画像の表示回数分だけ、予告演出の出現機会が増える。例えば、擬似３の擬似連続リーチ変動パターンの変動演出では、リーチ後予告演出の出現機会が３回設けられる。リーチ後予告演出は、信頼度の示唆を目的とするものであるが、リーチ後予告演出を複数回実行する場合において、例えば高信頼度の予告演出が実行された後に、低信頼度の予告演出が実行される、所謂「格下げ」が生じると、遊技者の期待感を一気に損なうことになり望ましくない。そのため、１回の変動演出中に、リーチ後予告演出を複数回実行する場合に、リーチ後予告演出の実行パターンを決定するにあたり、格下げが生じないように配慮しなければならない。
【０３９６】
図４８は、リーチ後予告演出決定テーブルを説明する図である。リーチ後予告演出決定テーブルは、ノーマルリーチ用、擬似２用、擬似３用、擬似４用に大別されており、特に擬似２〜４用のリーチ後予告演出決定テーブルは、演出図柄２１０ａ、２１０ｂ、２１０ｃの変動表示の回数分だけ設けられている。ここでは、擬似３用のリーチ後予告演出決定テーブルの一部を抽出して説明する。
【０３９７】
擬似３用のリーチ後予告演出決定テーブルは、図４８（ａ）に示すリーチ後予告演出決定テーブルａ（擬似３最終用）、図４８（ｂ）に示すリーチ後予告演出決定テーブルｂ（擬似３最終１回前用）、図４８（ｃ）に示すリーチ後予告演出決定テーブルｃ（擬似３最終２回前用）の３種類が設けられている。図４８（ａ）に示すリーチ後予告演出決定テーブルａ（擬似３最終用）は、演出図柄２１０ａ、２１０ｃが３回リーチ態様となるうちの、最後にリーチ態様になった場合におけるリーチ後予告演出の実行パターンを決定するためのテーブルである。擬似３の擬似連続リーチ変動パターンの実行が決定されると、最初に、図４８（ａ）のリーチ後予告演出決定テーブルａ（擬似３最終用）を参照して、リーチ後予告演出の実行パターンが決定される。
【０３９８】
このリーチ後予告演出決定テーブルａ（擬似３最終用）によれば、変動パターン番号（変動パターンコマンド）ごとに、リーチ後予告演出の実行パターンの選択比率（図中、数値で示す）が設定されている。なお、図中横軸には、リーチ後予告演出の実行パターンを示しており、このうち「なし」は、リーチ後予告演出の不実行を示しており、図中右側の実行パターンほど信頼度が高くなるように、変動パターン番号（変動パターンコマンド）ごとに選択比率の設定がなされている。
【０３９９】
そして、図４８（ａ）のリーチ後予告演出決定テーブルａ（擬似３最終用）を参照して、３回目のリーチ態様後におけるリーチ後予告演出、すなわち、最終のリーチ後予告演出の実行パターンが決定されると、次に、図４８（ｂ）に示すリーチ後予告演出決定テーブルｂ（擬似３最終１回前用）を参照して、２回目（最終１回前）のリーチ態様後におけるリーチ後予告演出の実行パターンが決定される。このリーチ後予告演出決定テーブルｂ（擬似３最終１回前用）によれば、先に決定された最終のリーチ後予告演出の実行パターンごとに、２回目（最終１回前）のリーチ態様後におけるリーチ後予告演出の実行パターンの選択比率が設定されている。
【０４００】
例えば、３回目（最終）のリーチ後予告演出の実行パターンが「キャラＣ」であった場合には、２回目（最終１回前）のリーチ後予告演出の実行パターンとして、「キャラＡ会話２」および「キャラＢ会話２」がそれぞれ１００／２５０の確率で決定され、「キャラＣ」が５０／２５０の確率で決定される。このとき、図４８（ｂ）からも明らかなように、リーチ後予告演出決定テーブルｂ（擬似３最終１回前用）においては、３回目（最終）のリーチ後予告演出として既に決定されている実行パターンの信頼度以下の信頼度が設定された実行パターンのみが決定されるように、選択比率の設定がなされている。
【０４０１】
そして、図４８（ｂ）のリーチ後予告演出決定テーブルｂ（擬似３最終１回前用）を参照して、２回目（最終１回前）のリーチ態様後におけるリーチ後予告演出の実行パターンが決定されると、次に、図４８（ｃ）に示すリーチ後予告演出決定テーブルｃ（擬似３最終２回前用）を参照して、１回目（最終２回前）のリーチ態様後におけるリーチ後予告演出の実行パターンが決定される。このリーチ後予告演出決定テーブルｃ（擬似３最終２回前用）によれば、先に決定された２回目（最終１回前）のリーチ後予告演出の実行パターンごとに、１回目（最終２回前）のリーチ態様後におけるリーチ後予告演出の実行パターンの選択比率が設定されている。
【０４０２】
このリーチ後予告演出決定テーブルｃ（擬似３最終２回前用）によれば、リーチ後予告演出決定テーブルｂ（擬似３最終１回前用）と同様に、２回目（最終１回前）のリーチ後予告演出として既に決定されている実行パターンの信頼度以下の信頼度が設定された実行パターンのみが決定されるように、選択比率の設定がなされている。
【０４０３】
なお、擬似２用のリーチ後予告演出決定テーブルは、擬似２最終用と、擬似２最終１回前用の２種類のテーブルが設けられており、擬似４用のリーチ後予告演出決定テーブルは、擬似４最終用と、擬似４最終１回前用、擬似４最終２回前用、擬似４最終３回前用の４種類のテーブルが設けられている。これら擬似２用、擬似４用についても、上記の擬似３用と同様に、格下げが生じないように、変動パターン番号もしくは先に決定された実行パターンごとに、リーチ後予告演出の実行パターンの選択比率が設定されている。
【０４０４】
また、ノーマルリーチ用のリーチ後予告演出決定テーブルは最終用のテーブルが１つのみ設けられており、このテーブルによれば、変動パターン番号（変動パターンコマンド）ごとに、リーチ後予告演出の実行パターンの選択比率が設定されている。
【０４０５】
なお、ここでは、リーチ後予告演出について説明したが、変動演出中には、さまざまなタイミングで予告演出が実行される。副制御基板３３０のサブＲＯＭ３３０ｂには、予告演出ごとに、上記と同様に構成された予告演出決定テーブルが設けられており、各予告演出の実行可否、実行パターンが決定されることとなる。
【０４０６】
また、本実施形態では、上記の変動演出に加えて、先読み演出が実行される。先読み演出というのは、主制御基板３００の特図保留記憶領域に記憶されたいずれかの保留を対象保留として実行される演出であり、ここでは、先読み演出として、保留表示演出が設けられている。
【０４０７】
図４９は、先読み演出の一例を説明する図である。図４９（ａ）に示すように、演出表示部２００ａの下部には、保留表示領域２１２が設けられている。この保留表示領域２１２は、第１保留表示領域２１２ａ、第２保留表示領域２１２ｂ、第３保留表示領域２１２ｃ、第４保留表示領域２１２ｄを有している。第１保留表示領域２１２ａ〜第４保留表示領域２１２ｄは、それぞれ、主制御基板３００における第１特図保留記憶領域の第１記憶部〜第４記憶部に対応している。また、演出表示部２００ａの下部中央には、当該表示領域２１４が設けられている。この当該表示領域２１４は、特図保留記憶領域から保留がブロック転送される、メインＲＡＭ３００ｃに設けられた第０記憶部に対応している。
【０４０８】
そして、変動演出の実行中には、当該表示領域２１４に、保留表示画像（白色の円で示す）が表示されるとともに、このとき、例えば、第１特図保留記憶領域の第１記憶部〜第３記憶部に保留が記憶された状態では、図４９（ａ）に示すように、第１保留表示領域２１２ａ〜第３保留表示領域２１２ｃに保留表示画像が表示される。また、この状態で、第１特図保留記憶領域の第４記憶部に新たに特１保留が記憶されると、図４９（ｂ）に示すように、第４保留表示領域２１２ｄに保留表示画像（黒色の円で示す）が表示される。
【０４０９】
また、この状態で変動演出が終了し、次の変動演出が開始されると、図４９（ｃ）に示すように、第１保留表示領域２１２ａに表示されていた保留表示画像が当該表示領域２１４にシフト表示されるとともに、第２保留表示領域２１２ｂ〜第４保留表示領域２１２ｄに表示されていた保留表示画像が、第１保留表示領域２１２ａ〜第３保留表示領域２１２ｃにシフト表示される。このように、第１保留表示領域２１２ａ〜第４保留表示領域２１２ｄに保留表示画像が表示されることにより、現在記憶されている保留数が遊技者に報知されることとなる。
【０４１０】
ここで、保留表示画像は、互いに識別可能な複数種類の表示態様が設けられており、例えば、通常、図中白色の円で示すデフォルトの表示態様で表示されるが、記憶されている保留の信頼度に応じて、図中黒色の円で示す表示態様のように、デフォルトと異なる表示態様で表示される場合もある。また、保留表示画像は、最初に演出表示部２００ａに表示されてから、最終的に演出表示部２００ａから消去されるまで、同一の表示態様で表示され続ける場合もあれば、例えば、変動演出の開始に伴うシフト表示時や、変動演出中の所定のタイミング等、所定のタイミングで表示態様を変化させる場合もある。
【０４１１】
副制御基板３３０においては、いずれの表示態様で保留表示画像を表示するか、保留表示画像の表示態様を途中で変化させるか否か、表示態様を変化させる場合にはその変化タイミングを、保留が記憶された時点で決定する。
【０４１２】
図５０は、保留表示シナリオ決定テーブルを説明する図である。保留表示シナリオ決定テーブルは、保留の個数ごとに設けられており、新たに保留が記憶されたときに、当該保留を含めて記憶されている保留の合計数に対応する保留表示シナリオ決定テーブルが選択される。また、保留表示シナリオ決定テーブルは、ハズレ時用のテーブルと大当たり時用のテーブルとに大別される。
【０４１３】
主制御基板３００においては、保留が記憶されたときに、取得時演出判定処理（図２２参照）が行われる。この取得時演出判定処理では、新たに保留が記憶されたときに、当該保留が大当たりに当選するものであるか否かが判定される。そして、当該保留がハズレの保留であると判定した場合には、当該保留が読み出されたときに決定されるグループ種別を示す先読み指定グループ種別コマンドが副制御基板３３０に送信される。一方、当該保留が大当たりの保留であると判定した場合には、当該保留が読み出されたときに決定される変動モード番号を示す先読み指定変動モードコマンドと、変動パターン番号を示す先読み指定変動パターンコマンドとが副制御基板３３０に送信される。
【０４１４】
ハズレ時用の保留表示シナリオ決定テーブルにおいては、保留表示画像の表示開始から終了までの表示態様を規定したシナリオ（表示パターン）の選択比率が、先読み指定グループ種別コマンド（グループ種別）ごとに設定されている。一方、大当たり時用の保留表示シナリオ決定テーブルにおいては、先読み指定変動パターンコマンド（変動パターン番号）ごとに、各シナリオの選択比率が設定されている。なお、グループ種別によって、リーチなし変動パターン、ノーマルリーチ変動パターン、擬似連続リーチ変動パターンのいずれが実行されるかを識別することができ、また、擬似連続リーチ変動パターンにおいては、擬似回数が何回であるかも識別可能となっている。
【０４１５】
図５０（ａ）には、保留数が１個である場合に選択されるハズレ時用の保留表示シナリオ決定テーブルの一例を示し、図５０（ｂ）には、保留数が２個である場合に選択されるハズレ時用の保留表示シナリオ決定テーブルの一例を示す。なお、図５０においては、保留表示シナリオ決定テーブルの一部のみを抽出して示している。図５０に示すように、ハズレ時用の保留表示シナリオ決定テーブルによれば、グループ種別ごとに、各シナリオの選択比率が設定されている。この図において、例えば、「デフォルト」は、対応する保留表示画像を、終始、「デフォルト」の表示態様で表示することを示している。また、例えば、図５０（ａ）において、「デフォルト→青」は、第１保留表示領域２１２ａにはデフォルトの表示態様で保留表示画像を表示し、当該表示領域２１４には青色の表示態様で保留表示画像を表示することを示している。また、例えば、「青→黄」は、第１保留表示領域２１２ａには青色の表示態様で保留表示画像を表示し、当該表示領域２１４には黄色の表示態様で保留表示画像を表示することを示している。
【０４１６】
また、例えば、図５０（ｂ）において、「デフォルト→デフォルト→青」は、第２保留表示領域２１２ｂおよび第１保留表示領域２１２ａには、いずれもデフォルトの表示態様で保留表示画像を表示し、当該表示領域２１４には青色の表示態様で保留表示画像を表示することを示している。ここで、保留数が２個である場合に選択される保留表示シナリオ決定テーブルによれば、第１特図保留記憶領域に記憶されたいずれかの保留を対象保留とし、この対象保留が読み出される前に、所定の特殊表示画像の表示を開始することが規定された特定シナリオ（特定表示パターン）が含まれている。この特定シナリオ（図５０（ｂ）中、「特定」と示す）が決定されると、次のようにして保留表示演出が実行される。
【０４１７】
図５１は、特定シナリオが決定された場合の保留表示演出の一例を説明する図である。例えば、図５１（ａ）に示すように、変動演出が実行されており、３つの特１保留が記憶されているとする。この状態で、主制御基板３００の第１特図保留記憶領域における第４記憶部に特１保留が記憶されると、この第４記憶部に記憶された特１保留に対応する保留表示画像のシナリオが決定される。このとき、第４記憶部に記憶された特１保留を対象保留として、特定シナリオが決定されると、図５１（ｂ）に示すように、第４保留表示領域２１２ｄに、デフォルトの表示態様で保留表示画像が表示される。
【０４１８】
そして、図５１（ｃ）に示すように、実行中の変動演出が終了してハズレが報知されると、第１記憶部に記憶されていた保留が読み出されて大役抽選が実行され、この大役抽選の結果を報知する変動演出が開始される。この変動演出の開始に伴って、第１保留表示領域２１２ａから当該表示領域２１４に保留表示画像がシフト表示されるとともに、第４保留表示領域２１２ｄ〜第２保留表示領域２１２ｂから、第３保留表示領域２１２ｃ〜第１保留表示領域２１２ａに保留表示画像がシフト表示される。このとき、図５１（ｄ）に示すように、第１保留表示領域２１２ａから当該表示領域２１４にシフト表示される保留表示画像が、特殊表示画像に変換される。
【０４１９】
特殊表示画像は、保留表示画像の一表示態様として設けられており、例えば、図示のように、所定のキャラクタを模した画像で構成される。また、特殊表示画像の表示開始とともに、このキャラクタの近傍に所定のメッセージが表示される先読み予告演出が実行される。この先読み予告演出で表示されるメッセージは、図５１（ｅ）に示すように、例えば２秒程度が経過すると消去される。一方、特殊表示画像は、図５１（ｆ）〜（ｉ）に示すように、ひとたび当該表示領域２１４に表示されると、以後、対象保留の変動演出中まで継続して表示される。つまり、特殊表示画像は、対象保留の変動演出までの複数回の変動演出に跨って、継続して当該表示領域２１４に表示されることとなる。
【０４２０】
また、特殊表示画像の表示中も、変動演出が開始されるたびに、保留表示領域２１２において保留表示画像がシフト表示される。したがって、第１保留表示領域２１２ａから当該表示領域２１４にシフト表示される保留表示画像が、全て特殊表示画像に変換されているとも言える。
【０４２１】
なお、上記の先読み予告演出は、特殊表示画像の表示中に、変動演出が開始されるタイミングで実行される。ここでは、図５１（ｄ）〜（ｈ）に示すように、対象保留が読み出されて実行される変動演出まで、全ての変動演出の開始時に先読み予告演出が実行されているが、先読み予告演出が実行されない場合もある。また、先読み予告演出で表示されるメッセージは、複数パターン設けられており、メッセージの表示有無、および、メッセージを表示する場合には、いずれのパターンで表示するかについても、対象保留の記憶時、すなわち、特定シナリオが決定された時点で決定される。このメッセージについても、先読み指定コマンドの種別に応じて選択比率が設定されており、表示されたメッセージによって、大当たりの信頼度が示唆されることとなる。
【０４２２】
そして、図５１（ｉ）に示すように、対象保留が読み出されて実行される変動演出において、演出図柄２１０ａ、２１０ｃがリーチ態様で表示されるまで、当該表示領域２１４に特殊表示画像が表示され、その後、図５１（ｊ）に示すように、リーチ発展演出の開始に伴って、特殊表示画像が消去されることとなる。
【０４２３】
以上のように、本実施形態によれば、先読み演出として、複数回の変動演出に跨って、当該表示領域２１４に特殊表示画像が表示される。保留表示領域２１２においては、保留表示画像がシフト表示されるため、上記実施形態のように、保留表示画像の表示態様を異ならせる程度の内容でしか演出を実行することができない。なぜなら、特殊表示画像の内容によっては、その表示位置によって他の画像と干渉してしまったり、あるいは、シフト表示時における動的な表示態様が、遊技者に見にくくなってしまったりするおそれがあるためである。
【０４２４】
また、保留表示領域２１２に表示される保留表示画像は、現在記憶されている保留数を報知する役割を備えていることから、少なくとも、記憶されている保留の数を明確に識別できるように構成しなければならない。これは、通常、保留数が上限に達している場合、遊技者は、遊技球の発射を一時的に停止させて遊技球の費消を防ぐところ、保留表示領域２１２における保留数の報知が不明確であると、遊技球を無駄に発射し続けさせて、遊技者に不利益を与えてしまうおそれがあるためである。
【０４２５】
これに対して、当該表示領域２１４は、既に読み出された保留に対応する領域であることから、現在の保留数を報知するといった役割を担っておらず、読み出された保留の信頼度を示唆するに過ぎない領域である。そのため、当該表示領域２１４は、保留表示領域２１２に比べて、演出の自由度が高く、幅広い演出を実行することができる。また、当該表示領域２１４は、保留表示画像を表示するための領域として予め確保されていることから、変動演出用の画像が表示される領域に比べて、他の演出との干渉が生じにくい。したがって、変動演出との関係を考慮して、先読み演出の実行を制限する処理を施す必要性が低く、設計作業の煩雑化を抑制するとともに、先読み演出の実行機会を十分に確保することができる。
【０４２６】
次に、上記の変動演出および先読み演出の決定から実行までの具体的な処理について説明する。
【０４２７】
図５２は、副制御基板３３０に設けられたオペレーションバッファ２１８および演出用バッファ２２０を説明する図である。副制御基板３３０には、図５２（ａ）に示すオペレーションバッファ２１８、図５２（ｂ）に示す演出用バッファ２２０が設けられている。主制御基板３００において特別図柄の変動表示が開始される際には、主制御基板３００から副制御基板３３０に変動モードコマンドおよび変動パターンコマンドが送信される。副制御基板３３０では、これら変動モードコマンドおよび変動パターンコマンドを受信すると、上記のように、受信したコマンドに基づいて、予告演出に代表される変動演出を構成する複数種類の演出（以下、変動演出を構成する演出を「要素演出」とよぶ）それぞれの実行可否ならびに実行パターンが決定される。
【０４２８】
そして、サブＣＰＵ３３０ａは、実行を決定した要素演出について、その実行パターンを示す要素演出情報を演出用バッファ２２０に記憶する。このようにして演出用バッファ２２０に記憶された要素演出情報は、所定のタイミングでオペレーションバッファ２１８に転記される。サブＣＰＵ３３０ａは、オペレーションバッファ２１８に転記された要素演出情報を、変動演出を開始してからの経過時間に応じて順次取得し、取得した要素演出情報を、演出表示部２００ａ、演出役物装置２０２、演出照明装置２０４、音声出力装置２０６の各演出用デバイスに出力する。こうして、変動演出の開始時に決定された実行パターンで、各要素演出が実行されることとなる。
【０４２９】
ここで、演出用バッファ２２０は、オペレーションバッファ２１８への転記順序がそれぞれ定められた複数の分割バッファを有している。具体的には、演出用バッファ２２０は、第１位の転記順序が定められた擬似１バッファ２２０ａ、第２位の転記順序が定められた擬似２バッファ２２０ｂ、第３位の転記順序が定められた擬似３バッファ２２０ｃ、第４位の転記順序が定められた擬似４バッファ２２０ｄの４つの分割バッファを備えている。
【０４３０】
本実施形態の変動演出には、少なくとも１の演出開始点を含む演出区切り点が１つ以上設定されている。例えば、リーチなし変動パターン、ノーマルリーチ変動パターンの変動演出には、演出区切り点として演出開始点が１つのみ設定されている。一方、擬似２の擬似連続リーチ変動パターンの変動演出には、演出開始点と、主変動演出画像の２回目の変動開始時との２つの演出区切り点が設定されている。同様に、擬似３の擬似連続リーチ変動パターンの変動演出には、演出開始点と、主変動演出画像の２回目および３回目の変動開始時との３つの演出区切り点が設定され、擬似４の擬似連続リーチ変動パターンの変動演出には、演出開始点と、主変動演出画像の２回目、３回目、４回目の変動開始時との４つの演出区切り点が設定されている。つまり、本実施形態では、主変動演出画像の表示開始点、換言すれば、演出図柄２１０ａ、２１０ｂ、２１０ｃの変動表示の開始時点が、演出の区切り点として設定されていることになる。
【０４３１】
演出用バッファ２２０においては、分割バッファが、１の変動演出に設定される最多の演出区切り点と同数（ここでは、擬似４のリーチ変動パターンの４回）設けられており、各分割バッファには、変動演出における演出区切り点のいずれかが対応付けられている。
【０４３２】
そして、サブＣＰＵ３３０ａは、実行を決定した要素演出の実行時期に応じて、当該要素演出の実行パターンを示す要素演出情報を、複数の分割バッファのいずれかに記憶する。例えば、演出区切り点として演出開始点のみが設定されたリーチ変動パターンおよびノーマルリーチ変動パターンの変動演出においては、要素演出情報を、演出開始点が対応付けられた分割バッファ（擬似１バッファ２２０ａ）に記憶する。一方、複数の演出区切り点が設定された変動演出においては、要素演出情報を、各要素演出の実行直前の演出区切り点が対応付けられた分割バッファに記憶する。
【０４３３】
具体的には、リーチなし変動パターンおよびノーマルリーチ変動パターンの変動演出については、いずれの要素演出情報についても擬似１バッファ２２０ａに記憶する。また、擬似２の擬似連続リーチ変動パターンの変動演出については、主変動演出画像の１回目の変動表示中（２回目の主変動演出画像の表示前まで）に実行される要素演出にかかる要素演出情報を擬似１バッファ２２０ａに記憶し、主変動演出画像の２回目の変動表示の開始以後に実行される要素演出にかかる要素演出情報を擬似２バッファ２２０ｂに記憶する。したがって、擬似２の擬似連続リーチ変動パターンの変動演出のうち、リーチ発展演出の開始以後の要素演出にかかる要素演出情報は、全て擬似２バッファ２２０ｂに記憶されることとなる。
【０４３４】
同様に、擬似３の擬似連続リーチ変動パターンの変動演出については、主変動演出画像の１回目の変動表示中（２回目の主変動演出画像の表示前まで）に実行される要素演出にかかる要素演出情報を擬似１バッファ２２０ａに記憶し、主変動演出画像の２回目の変動表示中（２回目の主変動演出画像の表示開始から３回目の主変動演出画像の表示前まで）に実行される要素演出にかかる要素演出情報を擬似２バッファ２２０ｂに記憶する。また、主変動演出画像の３回目の変動表示の開始以後に実行される要素演出にかかる要素演出情報を擬似３バッファ２２０ｃに記憶する。したがって、擬似３の擬似連続リーチ変動パターンの変動演出のうち、リーチ発展演出の開始以後の要素演出にかかる要素演出情報は、全て擬似３バッファ２２０ｃに記憶されることとなる。
【０４３５】
同様に、擬似４の擬似連続リーチ変動パターンの変動演出については、主変動演出画像の１回目の変動表示中（２回目の主変動演出画像の表示前まで）に実行される要素演出にかかる要素演出情報を擬似１バッファ２２０ａに記憶し、主変動演出画像の２回目の変動表示中（２回目の主変動演出画像の表示開始から３回目の主変動演出画像の表示前まで）に実行される要素演出にかかる要素演出情報を擬似２バッファ２２０ｂに記憶する。また、主変動演出画像の３回目の変動表示中（３回目の主変動演出画像の表示開始から４回目の主変動演出画像の表示前まで）に実行される要素演出にかかる要素演出情報を擬似３バッファ２２０ｃに記憶する。そして、主変動演出画像の４回目の変動表示の開始以後に実行される要素演出にかかる要素演出情報を擬似４バッファ２２０ｄに記憶する。したがって、擬似４の擬似連続リーチ変動パターンの変動演出のうち、リーチ発展演出の開始以後の要素演出にかかる要素演出情報は、全て擬似４バッファ２２０ｄに記憶されることとなる。
【０４３６】
上記のようにして、要素演出情報が演出用バッファ２２０の各分割バッファに記憶されると、サブＣＰＵ３３０ａは、１回の変動演出において、転記順序にしたがって、１または複数の分割バッファをそれぞれ所定のタイミングで選択し、選択した分割バッファに記憶されている要素演出情報を、分割バッファ単位でオペレーションバッファ２１８に転記する。具体的には、サブＣＰＵ３３０ａは、変動演出中に演出区切り点を監視するとともに、演出区切り点が到来すると、当該演出区切り点が対応付けられた分割バッファに記憶されている要素演出情報を、オペレーションバッファ２１８に転記する。したがって、演出区切り点の到来順が、各分割バッファの転記順序として設定されていることとなる。
【０４３７】
図５３は、演出用バッファ２２０からオペレーションバッファ２１８への演出要素情報の転記の流れを説明する図である。変動演出の開始時に、各要素演出の実行可否ならびに実行パターンが決定されると、実行が決定された要素演出の実行パターンを示す要素演出情報が、その実行時期に応じていずれかの分割バッファに記憶される。例えば、擬似３の擬似連続リーチ変動パターンの変動演出が実行される場合には、主変動演出画像の表示回ごとに要素演出の実行可否ならびに実行パターンが決定される。そして、図５３（ａ）に示すように、１回目の主変動演出画像の表示中に実行する要素演出として予告演出１が決定され、２回目の主変動演出画像の表示中に実行する要素演出として予告演出２が決定され、３回目の主変動演出画像の表示中に実行する要素演出として予告演出３が決定され、また、リーチ発展演出中に要素演出としてカットイン演出が決定されたとする。
【０４３８】
この場合には、演出用バッファ２２０の擬似１バッファ２２０ａに、決定された予告演出１の実行パターンを示す要素演出情報が記憶され、演出用バッファ２２０の擬似２バッファ２２０ｂに、決定された予告演出２の実行パターンを示す要素演出情報が記憶され、演出用バッファ２２０の擬似３バッファ２２０ｃに、決定された予告演出３の実行パターンを示す要素演出情報、および、決定されたカットイン演出の実行パターンを示す要素演出情報が記憶される。
【０４３９】
そして、演出用バッファ２２０に要素演出情報が記憶されると、図５３（ｂ）に示すように、変動演出の開始に伴って、まず、擬似１バッファ２２０ａに記憶されている要素演出情報を、オペレーションバッファ２１８に転記する。こうしてオペレーションバッファ２１８に転記された要素演出情報は、変動演出の開始からの経過時間に応じて順次取得され、取得された要素演出情報が各演出用デバイスに出力されて、決定された実行パターンで要素演出が実行されることとなる。なお、各演出用デバイスに出力された要素演出情報は、オペレーションバッファ２１８から消去される。
【０４４０】
また、サブＣＰＵ３３０ａは、演出区切り点を監視しており、２回目の主変動演出画像の変動表示開始タイミングになると、図５３（ｃ）に示すように、擬似２バッファ２２０ｂに記憶されている要素演出情報を、オペレーションバッファ２１８に転記する。この場合にも、変動演出の開始からの経過時間に応じて、オペレーションバッファ２１８から要素演出情報が順次取得され、取得された要素演出情報が各演出用デバイスに出力される。
【０４４１】
そして、３回目の主変動演出画像の変動表示開始タイミングになると、図５３（ｄ）に示すように、擬似３バッファ２２０ｃに記憶されている要素演出情報を、オペレーションバッファ２１８に転記する。この場合にも、変動演出の開始からの経過時間に応じて、オペレーションバッファ２１８から要素演出情報が順次取得され、取得された要素演出情報が各演出用デバイスに出力される。
【０４４２】
以上のように、演出用バッファ２２０においては、変動演出の開始時に、当該変動演出中に実行する要素演出にかかる要素演出情報が、その実行時期に対応する分割バッファにそれぞれ記憶される。そして、演出区切り点が到来するたびに、分割バッファ単位でオペレーションバッファ２１８に転記され、オペレーションバッファ２１８に転記された要素演出情報が、順次、各演出用デバイスに出力されることとなる。
【０４４３】
また、本実施形態では、上記の変動演出と並行して先読み演出が実行される。この先読み演出の実行にあたり、副制御基板３３０には、上記のオペレーションバッファ２１８および演出用バッファ２２０に加えて、さらに、先読み演出用バッファが設けられている。
【０４４４】
図５４は、先読み演出用バッファを説明する図である。副制御基板３３０には、先１バッファ２２２、先２バッファ２２４、先３バッファ２２６、先４バッファ２２８の４つの先読み演出用バッファが設けられている。これら先読み演出用バッファは、いずれも、演出用バッファ２２０と同一の構成であり、４つの分割バッファを備えている。具体的には、先１バッファ２２２は、擬似１バッファ２２２ａ、擬似２バッファ２２２ｂ、擬似３バッファ２２２ｃ、擬似４バッファ２２２ｄを備えている。先２バッファ２２４、先３バッファ２２６、先４バッファ２２８も、先１バッファ２２２と同様に、それぞれ、擬似１バッファ２２４ａ、２２６ａ、２２８ａと、擬似２バッファ２２４ｂ、２２６ｂ、２２８ｂと、擬似３バッファ２２４ｃ、２２６ｃ、２２８ｃと、擬似４バッファ２２４ｄ、２２６ｄ、２２８ｄと、を備えている。
【０４４５】
これら先１バッファ２２２、先２バッファ２２４、先３バッファ２２６、先４バッファ２２８は、主制御基板３００における第１特図保留記憶領域の第１記憶部〜第４記憶部にそれぞれ対応して設けられている。そして、保留表示領域２１２および当該表示領域２１４に上記の保留表示画像を表示する場合には、各保留表示画像の表示態様を示す保留表示情報が、先読み演出用バッファに記憶される。
【０４４６】
図５５は、先読み演出用バッファに記憶される保留表示情報を説明する図である。例えば、変動演出の実行中に、主制御基板３００における第１特図保留記憶領域の第１記憶部および第２記憶部に保留が記憶されているとする。このとき、図５５（ａ）に示すように、先１バッファ２２２の擬似１バッファ２２２ａには、当該表示領域２１４および第１保留表示領域２１２ａに表示する保留表示画像に対応する保留表示情報がそれぞれ記憶されており、先２バッファ２２４の擬似１バッファ２２４ａには、当該表示領域２１４に表示する保留表示画像に対応する保留表示情報が記憶されている。
【０４４７】
この状態で、新たに第１特図保留記憶領域の第３記憶部に特１保留が記憶されると、先読み指定コマンド（先読み指定グループ種別コマンド、先読み指定変動モードコマンド、先読み指定変動パターンコマンド）が副制御基板３３０に送信される。副制御基板３３０では、先読み指定コマンドを受信すると、上記の保留表示シナリオ決定テーブル（図５０）を参照して、保留表示画像の表示態様が規定された保留表示シナリオが決定される。このとき、新たに記憶された保留について、保留表示画像を終始デフォルトで表示する保留表示シナリオが決定されたとする。
【０４４８】
この場合には、図５５（ｂ）に示すように、オペレーションバッファ２１８に、第３保留表示領域２１２ｃに表示する保留表示画像（白）に対応する保留表示情報がセットされる。また、先１バッファ２２２の擬似１バッファ２２２ａには、第２保留表示領域２１２ｂに表示する保留表示画像（白）に対応する保留表示情報がセットされ、先２バッファ２２４の擬似１バッファ２２４ａには、第１保留表示領域２１２ａに表示する保留表示画像（白）に対応する保留表示情報がセットされ、先３バッファ２２６の擬似１バッファ２２６ａには、当該表示領域２１４に表示する保留表示画像（白）に対応する保留表示情報がセットされる。
【０４４９】
オペレーションバッファ２１８にセットされた保留表示情報は、即座に演出表示装置２００に送信され、これにより、第３保留表示領域２１２ｃに、デフォルト（白色）の保留表示画像が表示される。なお、オペレーションバッファ２１８から演出用デバイスに送信された情報は、即座にオペレーションバッファ２１８から消去される。
【０４５０】
そして、実行中の変動演出が終了すると、変動コマンド（変動モードコマンドおよび変動パターンコマンド）が副制御基板３３０に送信される。この変動コマンドを受信すると、副制御基板３３０において、まず、保留表示情報のシフト処理が行われる。このシフト処理では、図５５（ｃ）に示すように、先１バッファ２２２に記憶されている情報が演出用バッファ２２０にシフトされ、先２バッファ２２４〜先４バッファ２２８に記憶されている情報が、それぞれ先１バッファ２２２〜先３バッファ２２６にシフトされる。その後、上記のように、受信した変動コマンドに基づいて、要素演出情報が演出用バッファ２２０の所定の分割バッファにセットされると、図５５（ｄ）に示すように、擬似１バッファ２２０ａにセットされた情報（保留表示情報、要素演出情報）がオペレーションバッファ２１８に転記される。
【０４５１】
こうして、当該表示領域２１４、第１保留表示領域２１２ａ、第２保留表示領域２１２ｂそれぞれに表示する保留表示画像用の保留表示情報がオペレーションバッファ２１８に転記されると、当該保留表示情報がオペレーションバッファ２１８から演出表示装置２００に送信され、保留表示情報に対応する保留表示画像が演出表示部２００ａに表示されることとなる。ここでは、当該表示領域２１４、第１保留表示領域２１２ａ、第２保留表示領域２１２ｂのいずれにおいても、保留表示画像がデフォルト（白色）の表示態様で表示されることとなる。この結果、第１保留表示領域２１２ａに表示されていた保留表示画像が当該表示領域２１４に移動し、第２保留表示領域２１２ｂおよび第３保留表示領域２１２ｃに表示されていた保留表示画像が、それぞれ第１保留表示領域２１２ａおよび第２保留表示領域２１２ｂに移動したかのような印象が遊技者に与えられる。
【０４５２】
一方、先読み指定コマンドを受信した際に、保留表示シナリオとして特定シナリオが決定された場合には、先読み演出用バッファに次のように保留表示情報がセットされる。
【０４５３】
図５６は、特定シナリオ決定時における先読み演出用バッファの保留表示情報のシフトを説明する第１の図であり、図５７は、特定シナリオ決定時における先読み演出用バッファの保留表示情報のシフトを説明する第２の図である。上記と同様、図５６（ａ）に示すように、先１バッファ２２２の擬似１バッファ２２２ａに、当該表示領域２１４および第１保留表示領域２１２ａに表示する保留表示画像に対応する保留表示情報がそれぞれ記憶されており、先２バッファ２２４の擬似１バッファ２２４ａには、当該表示領域２１４に表示する保留表示画像に対応する保留表示情報が記憶されている。
【０４５４】
この状態で、新たに第１特図保留記憶領域の第３記憶部に特１保留が記憶されると、先読み指定コマンドが副制御基板３３０に送信される。副制御基板３３０では、先読み指定コマンドを受信すると、上記の保留表示シナリオ決定テーブル（図５０）を参照して、保留表示画像の表示態様が規定された保留表示シナリオが決定される。このとき、新たに記憶された保留を対象保留とする特定シナリオが決定されたとする。
【０４５５】
この場合には、図５６（ｂ）に示すように、オペレーションバッファ２１８に、第３保留表示領域２１２ｃに表示する保留表示画像（白）に対応する保留表示情報がセットされる。また、先１バッファ２２２の擬似１バッファ２２２ａには、第２保留表示領域２１２ｂに表示する保留表示画像（白）に対応する保留表示情報がセットされ、先２バッファ２２４の擬似１バッファ２２４ａには、第１保留表示領域２１２ａに表示する保留表示画像（白）に対応する保留表示情報がセットされ、先３バッファ２２６の擬似１バッファ２２６ａには、当該表示領域２１４に表示する保留表示画像（特殊表示画像）に対応する保留表示情報がセットされる。
【０４５６】
また、図５６（ａ）、（ｂ）に示すように、先１バッファ２２２の擬似１バッファ２２２ａ、および、先２バッファ２２４の擬似１バッファ２２４ａには、それぞれ当該表示領域２１４に表示する保留表示画像に対応する保留表示情報として、デフォルト（白）の保留表示情報が記憶されていたが、デフォルト（白）を示す保留表示情報が、特殊表示画像を示す保留表示情報に書き換えられる。
【０４５７】
さらに、詳しくは後述するが、特定シナリオが決定されると、当該表示領域２１４に表示されたキャラクタが各変動演出の開始時に発するメッセージ、すなわち、先読み予告演出の実行パターンが決定される。こうして決定された先読み予告演出の実行パターンに応じて、先１バッファ２２２〜先３バッファ２２６には、決定された先読み予告演出に対応する先読み予告演出情報（図中「先読み予告」または「先予」で示す）がセットされる。
【０４５８】
そして、実行中の変動演出が終了すると、変動コマンド（変動モードコマンドおよび変動パターンコマンド）が副制御基板３３０に送信される。この変動コマンドを受信すると、副制御基板３３０において、保留表示情報および先読み予告演出情報のシフト処理が行われる。このシフト処理では、図５６（ｃ）に示すように、先１バッファ２２２に記憶されている情報が演出用バッファ２２０にシフトされ、先２バッファ２２４〜先４バッファ２２８に記憶されている情報が、それぞれ先１バッファ２２２〜先３バッファ２２６にシフトされる。その後、上記のように、受信した変動コマンドに基づいて、要素演出情報が演出用バッファ２２０の所定の分割バッファにセットされると、図５６（ｄ）に示すように、擬似１バッファ２２０ａにセットされた情報（保留表示情報、先読み予告演出情報、要素演出情報）がオペレーションバッファ２１８に転記される。
【０４５９】
こうして、当該表示領域２１４、第１保留表示領域２１２ａ、第２保留表示領域２１２ｂそれぞれに表示する保留表示画像用の保留表示情報がオペレーションバッファ２１８に転記されると、当該保留表示情報がオペレーションバッファ２１８から演出表示装置２００に送信され、保留表示情報に対応する保留表示画像が演出表示部２００ａに表示されることとなる。このとき、当該表示領域２１４に特殊表示画像を表示することを示す保留表示情報が演出表示装置２００に送信されることから、変動演出の開始に伴って、当該表示領域２１４に特殊表示画像（キャラクタ）が表示されることとなる。また、先読み予告演出情報も演出表示装置２００に送信されることから、特殊表示画像とともに、メッセージが表示されることとなる。
【０４６０】
その後、図５７に示すように、対象保留の変動演出が終了するまで、変動演出が開始するたびに、当該表示領域２１４に特殊表示画像を表示することを示す保留表示情報と、所定のメッセージを表示することを示す先読み予告演出情報とが演出表示装置２００に送信される。このようにして、保留表示情報および先読み予告演出情報が演出表示装置２００に送信されることにより、図５１に示す先読み演出が実行されることとなる。以下に、上記の変動演出および先読み演出の決定、実行処理について簡単に説明する。
【０４６１】
（副制御基板３３０のサブＣＰＵ初期化処理）
図５８は、副制御基板３３０のサブＣＰＵ初期化処理（Ｓ１０００）を説明するフローチャートである。
【０４６２】
（ステップＳ１０００−１）
サブＣＰＵ３３０ａは、電源投入に応じて、サブＲＯＭ３３０ｂからＣＰＵ初期化処理プログラムを読み込むとともに、サブＲＡＭ３３０ｃに記憶されるフラグ等の初期化、設定処理を行う。
【０４６３】
（ステップＳ１０００−３）
次に、サブＣＰＵ３３０ａは、各演出乱数を更新する処理を行うとともに、以後は、割込み処理が行われるまで当該ステップＳ１０００−３の処理を繰り返し行う。なお、演出乱数は複数種類設けられており、ここでは、それぞれの演出乱数が非同期的に更新されている。
【０４６４】
（副制御基板３３０のサブタイマ割込み処理）
図５９は、副制御基板３３０のサブタイマ割込み処理（Ｓ１１００）を説明するフローチャートである。副制御基板３３０には、所定の周期でクロックパルスを発生するリセット用クロックパルス発生回路（不図示）が設けられている。そして、このリセット用クロックパルス発生回路によるクロックパルスの発生により、サブＣＰＵ３３０ａはタイマ割込み処理プログラムを読み込んで当該サブタイマ割込み処理を開始する。
【０４６５】
（ステップＳ１１００−１）
サブＣＰＵ３３０ａは、レジスタを退避する。
【０４６６】
（ステップＳ１１００−３）
サブＣＰＵ３３０ａは、割込みを許可するための処理を行う。
【０４６７】
（ステップＳ１１００−５）
サブＣＰＵ３３０ａは、副制御基板３３０で用いられる各種タイマカウンタの更新処理を行う。ここで、各種タイマカウンタは、特に断る場合を除き、当該副制御基板３３０のサブタイマ割込み処理の度に１ずつ減算され、０になると減算を停止する。
【０４６８】
（ステップＳ１２００）
サブＣＰＵ３３０ａは、サブＲＡＭ３３０ｃの受信バッファに格納されているコマンドを解析するとともに、受信したコマンドに応じた種々の処理を行う。副制御基板３３０においては、主制御基板３００からコマンドが送信されると、コマンド受信割込み処理が行われ、主制御基板３００から送信されたコマンドが受信バッファに格納される。ここでは、コマンド受信割込み処理によって受信バッファに格納されたコマンドを解析することとなる。
【０４６９】
（ステップＳ１３００）
サブＣＰＵ３３０ａは、変動演出の経過時間を計時するとともに、変動演出ごとにセットされるタイムテーブルを参照して、当該タイムテーブルに記憶された該当時間に対応する処理を実行するタイムスケジュール管理処理を行う。このタイムスケジュール管理処理の詳細は後述する。
【０４７０】
（ステップＳ１１００−７）
サブＣＰＵ３３０ａは、レジスタを復帰して当該サブタイマ割込み処理を終了する。
【０４７１】
図６０は、上記コマンド解析処理のうち、先読み指定コマンドを受信した際に実行される先読み指定コマンド受信処理を説明するフローチャートである。上記したとおり、先読み指定コマンドは、主制御基板３００において、図２２のステップＳ５３６−１７、ステップＳ５３６−２３、ステップＳ５３６−２７でセットされた後、ステップＳ１００−３９のサブコマンド送信処理（図１４参照）によって副制御基板３３０に送信される。
【０４７２】
（ステップＳ１２１０−１）
サブＣＰＵ３３０ａは、まず、受信した先読み指定コマンドを解析する。
【０４７３】
（ステップＳ１２１０−３）
サブＣＰＵ３３０ａは、保留表示シナリオ決定処理を行う。ここでは、上記ステップＳ１０００−３で更新される演出乱数を取得するとともに、現在の保留数等に基づいて１の保留表示シナリオ決定テーブル（図５０参照）を選択する。そして、取得した演出乱数、および、上記ステップＳ１２１０−１における解析結果に基づき、選択した保留表示シナリオ決定テーブルを参照して、保留表示画像の表示態様が規定されたシナリオを決定する。
【０４７４】
（ステップＳ１２１０−５）
サブＣＰＵ３３０ａは、上記ステップＳ１２１０−３で決定したシナリオに基づいて、先１バッファ２２２〜先４バッファ２２８、および、オペレーションバッファ２１８に保留表示情報をセットする。
【０４７５】
（ステップＳ１２１０−７）
サブＣＰＵ３３０ａは、上記ステップＳ１２１０−３で決定されたシナリオが、特定シナリオであるかを判定する。その結果、特定シナリオであると判定した場合にはステップＳ１２１０−９に処理を移し、特定シナリオではないと判定した場合には当該先読み指定コマンド受信処理を終了する。
【０４７６】
（ステップＳ１２１０−９）
サブＣＰＵ３３０ａは、先読み予告演出決定処理を行う。ここでは、当該表示領域２１４に特殊表示画像が表示されている間に開始される変動演出ごとに、先読み予告演出の実行可否ならびに実行パターンが決定される。なお、先読み予告演出を複数回実行する場合には、先読み予告演出の信頼度が低下する、所謂「格下げ」が生じないように、実行パターンを決定するのが望ましい。
【０４７７】
（ステップＳ１２１０−１１）
サブＣＰＵ３３０ａは、上記ステップＳ１２１０−９の決定に基づいて、先１バッファ２２２〜先４バッファ２２８に先読み予告演出情報をセットし、当該先読み指定コマンド受信処理を終了する。
【０４７８】
図６１は、上記コマンド解析処理のうち、変動コマンド（変動モードコマンドおよび変動パターンコマンド）を受信した際に実行される変動コマンド受信処理を説明するフローチャートである。上記したとおり、変動モードコマンドは、主制御基板３００において、図２６のステップＳ６１１−１３でセットされ、変動パターンコマンドは、主制御基板３００において、図２６のステップＳ６１１−１７でセットされた後、ステップＳ１００−３９のサブコマンド送信処理（図１４参照）によって副制御基板３３０に送信される。
【０４７９】
（ステップＳ１２２０−１）
サブＣＰＵ３３０ａは、まず、先１バッファ２２２〜先４バッファ２２８に記憶されている保留表示情報、先読み予告演出情報をシフトするシフト処理を行う。ここでは、先１バッファ２２２に記憶されている保留表示情報、先読み予告演出情報を演出用バッファ２２０にシフトし、先２バッファ２２４〜先４バッファ２２８に記憶されている保留表示情報、先読み予告演出情報を、それぞれ先１バッファ２２２〜先３バッファ２２６にシフトする。
【０４８０】
（ステップＳ１２２０−３）
サブＣＰＵ３３０ａは、受信した変動モードコマンドおよび変動パターンコマンドを解析する。
【０４８１】
（ステップＳ１２２０−５）
サブＣＰＵ３３０ａは、演出乱数を取得するとともに、上記ステップＳ１２２０−３の解析結果と、取得した演出乱数とに基づいて、図４７に示す前半変動演出決定テーブルおよび後半変動演出決定テーブルを参照して、前半および後半の変動演出の実行態様を決定する。また、ここでは、変動演出の実行態様を確認し、実行可能な要素演出を抽出する。そして、抽出した要素演出についての実行可否ならびに実行パターンを決定する。
【０４８２】
（ステップＳ１２２０−７）
サブＣＰＵ３３０ａは、上記ステップＳ１２２０−５で決定した変動演出の実行態様に基づいて、制御指令の出力情報が規定されたタイムテーブルをセットする。また、ここでは、上記ステップＳ１２２０−５で実行を決定した要素演出について、要素演出情報を演出用バッファ２２０に記憶し、当該変動コマンド受信処理を終了する。
【０４８３】
図６２は、上記タイムスケジュール管理処理（ステップＳ１３００）を説明するフローチャートである。
【０４８４】
（ステップＳ１３００−１）
サブＣＰＵ３３０ａは、変動演出の開始時かを判定する。その結果、変動演出の開始時であると判定した場合にはステップＳ１３００−９に処理を移し、変動演出の開始時ではないと判定した場合にはステップＳ１３００−３に処理を移す。
【０４８５】
（ステップＳ１３００−３）
サブＣＰＵ３３０ａは、上記ステップＳ１２２０−７でセットしたタイムテーブルを参照し、変動演出中であるかを判定する。その結果、変動演出中であると判定した場合にはステップＳ１３００−５に処理を移し、変動演出中ではないと判定した場合には当該タイムスケジュール管理処理を終了する。
【０４８６】
（ステップＳ１３００−５）
サブＣＰＵ３３０ａは、変動時間計時タイマを更新する。
【０４８７】
（ステップＳ１３００−７）
サブＣＰＵ３３０ａは、上記ステップＳ１２２０−７でセットしたタイムテーブルを参照し、現在の変動時間が、演出区切り点であるかを判定する。その結果、演出区切り点であると判定した場合にはステップＳ１３００−９に処理を移し、演出区切り点ではないと判定した場合にはステップＳ１３００−１１に処理を移す。
【０４８８】
（ステップＳ１３００−９）
サブＣＰＵ３３０ａは、演出用バッファ２２０の分割バッファのうち、現在の演出区切り点に対応する分割バッファからオペレーションバッファ２１８に、要素演出情報および保留表示情報を転記する転記処理を実行する。
【０４８９】
（ステップＳ１３００−１１）
サブＣＰＵ３３０ａは、オペレーションバッファ２１８に記憶されている要素演出情報および保留表示情報のうち、現在の変動時間で出力すべきものがあるかを判定する。そして、出力すべき演出情報があると判定した場合には、その演出情報をオペレーションバッファ２１８から取得して各演出用デバイスに出力し、当該タイムスケジュール管理処理を終了する。これにより、各演出用デバイスにおいて演出が実行されることとなる。
【０４９０】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０４９１】
なお、上記実施形態では、保留表示画像が変化するタイミング、および、先読み予告演出の実行タイミングが、いずれも変動演出の開始時である場合について説明した。しかしながら、変動演出の途中で保留表示画像が変化したり、先読み予告演出が実行されたりしてもよい。この場合には、保留表示情報や先読み予告演出情報を、所定の分割バッファにセットすればよい。
【０４９２】
また、上記実施形態における遊技性は一例にすぎず、遊技性は適宜設定可能であることは言うまでもない。したがって上記実施形態では、大役遊技の実行可否と、大役遊技が実行された場合における当該大役遊技の終了後の遊技状態とを、遊技者に付与する遊技利益として決定することとしたが、遊技利益はこれに限らず適宜設定可能である。また、上記実施形態では、大当たりの当選確率を異にする２つの遊技状態と、第２始動口１２２への遊技球の入球容易性を異にする２つの遊技状態とを組み合わせた４つの遊技状態が設けられているが、遊技状態の内容や種類はこれに限定されるものではない。
【０４９３】
いずれにしても、始動領域に遊技球が進入したことを条件として、遊技者に遊技利益を付与するか否かを決定する大役抽選で用いる大役抽選用乱数値、および、変動時間が規定された変動情報の決定に用いる変動用乱数値が取得されるとともに、取得された各乱数値が保留情報として保留記憶部に記憶され、始動条件の成立により、保留記憶部に記憶された保留情報が読み出され、保留情報の大役抽選用乱数値に基づいて大役抽選が実行される遊技機に広く適用可能である。
【０４９４】
また、上記実施形態においては、遊技の進行を制御する主制御基板３００と、主制御基板３００から送信されるコマンドに基づいて演出を実行制御する副制御基板３３０とが、上記のとおりに協働することで変動演出および保留表示演出が実行されることとした。しかしながら、主制御基板３００および副制御基板３３０において、上記の各機能をどのように分担するかは適宜設計することが可能である。
【０４９５】
また、上記実施形態では、大当たり決定乱数および当たり図柄乱数の２つの乱数によって本発明の大役抽選用乱数値が構成される場合について説明したが、大役抽選用乱数値は１種類の乱数で構成してもよい。同様に、上記実施形態では、リーチグループ決定乱数、リーチモード決定乱数、変動パターン乱数の３つの乱数によって本発明の変動用乱数値が構成される場合について説明したが、変動用乱数値は１種類、２種類もしくは４種類以上の乱数で構成してもよい。
【０４９６】
また、上記実施形態では、変動モード番号（変動モードコマンド）および変動パターン番号（変動パターンコマンド）によって、本発明の変動情報が構成される場合について説明したが、変動情報は、変動時間が規定されていれば、１つの情報で構成してもよいし、３以上の情報で構成してもよい。
【０４９７】
また、上記実施形態における演出の内容や、各演出を実行するための処理は一例に過ぎない。例えば、上記実施形態では、保留表示画像として、互いに表示色を異ならせた保留表示画像と、特殊表示画像とが設けられることとしたが、特殊表示画像以外の保留表示画像は１種類のみでもよい。いずれにしても、保留表示画像は、特殊表示画像を含んで、互いに識別可能に複数種類設けられていればよく、また、具体的な表示内容も特に限定されるものではない。
【０４９８】
また、上記実施形態では、先読み指定コマンドに基づいて保留表示画像の表示パターンを決定することとしたが、先読み指定コマンドは、大役抽選用乱数値および変動用乱数値に基づいて決定されることから、保留表示画像の表示パターンは、大役抽選用乱数値および変動用乱数値の双方に基づいて決定されていると言える。しかしながら、互いに識別可能な複数種類の保留表示画像のいずれを表示するかを示す表示パターンは、少なくとも保留情報の大役抽選用乱数値および変動用乱数値のいずれか一方または双方に基づいて決定されればよい。
【０４９９】
また、上記実施形態では、特定シナリオが決定された場合、対象保留が読み出されて実行される変動演出中も、特殊表示画像の表示が継続することとした。しかしながら、対象保留が読み出されて実行される変動演出の開始後は、特殊表示画像の表示を終了し、異なる保留表示画像を当該表示領域２１４に表示してもよい。いずれにしても、特定シナリオ（特定表示パターン）が決定された場合、特定シナリオ（特定表示パターン）の対象保留に対応する所定の保留表示画像を保留表示領域２１２に表示するとともに、少なくとも対象保留に対応する保留表示画像が保留表示領域２１２に表示されている間に、当該表示領域２１４に特殊表示画像が表示されれば、その表示期間は適宜設定可能である。
【０５００】
また、上記実施形態では特定シナリオ（特定表示パターン）の対象保留に対応する保留表示画像について、保留表示領域２１２にはデフォルトの保留表示画像を表示し、この間に、当該表示領域２１４に特殊表示画像を表示することとした。しかしながら、保留表示領域２１２に表示する、対象保留に対応する保留表示画像についても、デフォルト以外の保留表示画像としても構わない。
【０５０１】
また、上記実施形態では、特殊表示画像を保留表示画像の一表示態様として表示する場合について説明したが、特殊表示画像は、保留表示画像とは別に設けられた画像であってもよい。例えば、特殊表示画像を当該表示領域２１４に表示する場合に、読み出された保留に対応する保留表示画像を保留表示領域２１２から当該表示領域２１４にシフトして表示しつつ、この保留表示画像に重畳して、もしくは、保留表示画像とともに、特殊表示画像を当該表示領域２１４に表示してもよい。いずれにしても、少なくとも大役抽選用乱数値および変動用乱数値のいずれか一方または双方に基づいて、互いに識別可能な複数種類の保留表示画像のいずれを表示するかを示す表示パターンを保留ごとに決定し、決定された表示パターンにしたがって、保留記憶部に記憶されている保留に対応する保留表示画像を保留表示領域２１２に表示するとともに、読み出された保留に対応する保留表示画像を、保留表示領域２１２と異なる当該表示領域２１４に表示する。また、保留表示画像の表示パターンに、保留記憶部に記憶されたいずれかの保留を対象保留とし、対象保留が読み出される前に、所定の特殊表示画像の表示を開始することが規定された特定表示パターンを含んでおく。そして、特定表示パターンが決定された場合、特定表示パターンの対象保留に対応する所定の保留表示画像を保留表示領域２１２に表示するとともに、少なくとも対象保留に対応する保留表示画像が保留表示領域２１２に表示されている間に、当該表示領域２１４に特殊表示画像を表示すればよい。
【０５０２】
また、上記実施形態では、特殊表示画像を１種類のみ説明したが、特殊表示画像を複数種類設けることとし、特殊表示画像の種類ごとに信頼度の設定を行ってもよい。この場合、特定シナリオ（特定表示パターン）には、当該表示領域２１４に表示する特殊表示画像の種類、および、特殊表示画像の表示開始時期が規定されていればよい。
【０５０３】
なお、上記実施形態において、図２１の処理を実行するメインＣＰＵ３００ａが、本発明の保留記憶手段に相当し、メインＲＡＭ３００ｃの特図保留記憶領域が、本発明の保留記憶部に相当する。
また、上記実施形態において、図２５のステップＳ６１０−９、ステップＳ６１０−１１の処理を実行するメインＣＰＵ３００ａが、本発明の抽選手段に相当する。
また、上記実施形態において、変動モード番号および変動パターン番号が本発明の変動情報に相当し、図２６の処理を実行するメインＣＰＵ３００ａが、本発明の変動情報決定手段に相当する。
また、上記実施形態において、図６１のステップＳ１２２０−５、ステップＳ１２２０−７の処理を実行するサブＣＰＵ３３０ａが、本発明の変動演出決定手段に相当する。
また、上記実施形態において、図６２の処理を実行するサブＣＰＵ３３０ａが、本発明の変動演出実行手段および保留表示制御手段に相当する。
また、上記実施形態において、図６０の処理を実行するサブＣＰＵ３３０ａが、本発明の保留表示決定手段に相当する。
【符号の説明】
【０５０４】
１００  …遊技機
１０８  …遊技盤
１１６  …遊技領域
１２０  …第１始動口
１２２  …第２始動口
３００  …主制御基板
３００ａ  …メインＣＰＵ
３００ｂ  …メインＲＯＭ
３００ｃ  …メインＲＡＭ
３３０  …副制御基板
３３０ａ  …サブＣＰＵ
３３０ｂ  …サブＲＯＭ
３３０ｃ  …サブＲＡＭ
【図１】
0006615440.tif 000002
【図２】
0006615440.tif 000003
【図３】
0006615440.tif 000004
【図４】
0006615440.tif 000005
【図５】
0006615440.tif 000006
【図６】
0006615440.tif 000007
【図７】
0006615440.tif 000008
【図８】
0006615440.tif 000009
【図９】
0006615440.tif 000010
【図１０】
0006615440.tif 000011
【図１１】
0006615440.tif 000012
【図１２】
0006615440.tif 000013
【図１３】
0006615440.tif 000014
【図１４】
0006615440.tif 000015
【図１５】
0006615440.tif 000016
【図１６】
0006615440.tif 000017
【図１７】
0006615440.tif 000018
【図１８】
0006615440.tif 000019
【図１９】
0006615440.tif 000020
【図２０】
0006615440.tif 000021
【図２１】
0006615440.tif 000022
【図２２】
0006615440.tif 000023
【図２３】
0006615440.tif 000024
【図２４】
0006615440.tif 000025
【図２５】
0006615440.tif 000026
【図２６】
0006615440.tif 000027
【図２７】
0006615440.tif 000028
【図２８】
0006615440.tif 000029
【図２９】
0006615440.tif 000030
【図３０】
0006615440.tif 000031
【図３１】
0006615440.tif 000032
【図３２】
0006615440.tif 000033
【図３３】
0006615440.tif 000034
【図３４】
0006615440.tif 000035
【図３５】
0006615440.tif 000036
【図３６】
0006615440.tif 000037
【図３７】
0006615440.tif 000038
【図３８】
0006615440.tif 000039
【図３９】
0006615440.tif 000040
【図４０】
0006615440.tif 000041
【図４１】
0006615440.tif 000042
【図４２】
0006615440.tif 000043
【図４３】
0006615440.tif 000044
【図４４】
0006615440.tif 000045
【図４５】
0006615440.tif 000046
【図４６】
0006615440.tif 000047
【図４７】
0006615440.tif 000048
【図４８】
0006615440.tif 000049
【図４９】
0006615440.tif 000050
【図５０】
0006615440.tif 000051
【図５１】
0006615440.tif 000052
【図５２】
0006615440.tif 000053
【図５３】
0006615440.tif 000054
【図５４】
0006615440.tif 000055
【図５５】
0006615440.tif 000056
【図５６】
0006615440.tif 000057
【図５７】
0006615440.tif 000058
【図５８】
0006615440.tif 000059
【図５９】
0006615440.tif 000060
【図６０】
0006615440.tif 000061
【図６１】
0006615440.tif 000062
【図６２】
0006615440.tif 000063